(57)【要約】  オンライン広告システム及びその方法に関するもので、多数の顧客が広告を閲覧する時にその代価として与える個人積立金を統合処理して実時間累積し、その累積された積立金をある顧客からの購買信号発生時に購買代金の割引率として提供されるようにすることによって広告閲覧及びショッピングを活性化させるようにしたオンライン広告システム及びその方法を提供する。本発明を適用すれば、多数の顧客には広告情報及び商品情報閲覧に対する代価として積立金が提供され、該提供された積立金は会員共同で累積されて会員統合積立型ポイントを実時間で形成し、ある顧客の購買信号によって会員が共同で累積した会員統合積立型ポイントが、該当顧客の商品購買代金に対する割引率として支払われるようになるので広告閲覧を活性化させることができ、実時間でウェブサイトに掲示された会員統合積立型ポイントが変更されるので消費の活性化を促すことが可能になる。【選択図】図１
2009538466.tif 000002
【特許請求の範囲】
【請求項１】
会員統合積立型ポイントを提供するオンライン広告管理サーバーのウェブページに接続し、該ウェブページに掲載された広告情報及び商品情報を閲覧するために、内部にモデムなどの通信モジュールが搭載されたユーザー端末機と、
前記ユーザー端末機を通じて広告情報を閲覧できるようにオンライン広告管理サーバーのウェブページに広告情報を提供して掲載するようにしながら、顧客の広告閲覧に対して所定の会員統合積立型ポイントを提供するための第１〜第Ｎ広告主端末機と、
前記ユーザー端末機を通じて商品情報を閲覧できるようにオンライン広告管理サーバーのウェブページに商品情報を提供して販売するように掲載するようにしながら、顧客の商品情報閲覧に対して所定の会員統合積立型ポイントを提供するための第１〜第Ｎ売主サーバーと、
前記第１〜第Ｎ広告主端末機及び第１〜第Ｎ売主サーバーから広告情報及び商品情報を受けてウェブページに掲載し、ユーザー端末機から転送される広告情報及び商品情報閲覧信号によって支払われたポイントを会員が共同で積み立てた会員統合積立型ポイントに累積積立させ、顧客の商品購買信号を受信して該当顧客の購買代金に前記会員統合積立型ポイントを通じた割引処理を行い、積立型ポイントデータを更新させるように処理し、売主よりアップロードした商品を販売代行するオンライン広告管理サーバーと、から構成され、
顧客の広告閲覧及び商品情報閲覧によって付加された積立金を共同で累積させて購買顧客に割引金額として提供するようにしたことを特徴とする、オンライン広告システム。
【請求項２】
前記オンライン広告管理サーバーには、前記第１〜第Ｎ広告主端末機及び第１〜第Ｎ売主サーバー、ユーザー端末機から前記オンライン広告管理サーバーが接続可能にＵＲＬをルーティングするウェブサーバーが提供され、前記会員統合積立型ポイント更新情報及び顧客購買信号、顧客情報、売主情報、広告主情報を格納するための第１及び第２データベースがさらに構成されたことを特徴とする、請求項１に記載のオンライン広告システム。
【請求項３】
前記オンライン広告管理サーバーは会員のログイン情報に基づいて該当顧客の年齢、性別、地域別に差別化された広告情報を提供するように設定されたことを特徴とする、請求項１に記載のオンライン広告システム。
【請求項４】
前記オンライン広告管理サーバーは、会員のログイン情報を通じて該当会員を把握し、同一会員に同一広告に対する閲覧代価として積立金が支払われないように設定されたことを特徴とする、請求項１に記載のオンライン広告システム。
【請求項５】
前記オンライン広告管理サーバーは、そのウェブサイトメイン画面上端に広告閲覧及び商品情報閲覧を通じて会員が共同で積み立てた会員統合積立型ポイントの累積情報が出力されるように構成されたことを特徴とする、請求項１に記載のオンライン広告システム。
【請求項６】
前記オンライン広告管理サーバーは、
その内部に第１〜第Ｎ広告主端末機及び第１〜第Ｎ売主サーバーから広告情報及び商品情報を受けてウェブページに掲載し、ユーザー端末機から転送される広告情報及び商品情報閲覧信号を受信するためにモデムなどが備えられた通信モジュールと、
第１〜第Ｎ広告主端末機から提供された広告情報をアップロードして掲載し、該当広告情報に対する顧客の接続状態を確認して管理する広告情報管理部と、
第１〜第Ｎ売主サーバーから提供された商品情報をアップロードして掲載し、該当商品情報に対する顧客の接続状態を確認して管理する商品情報管理部と、
会員別ターゲット広告が可能なように会員の性別、年齢、地域などの会員情報を管理する会員情報管理部と、
前記広告情報管理部及び商品情報管理部と連動して広告情報及び商品情報に対する会員別閲覧情報を管理する情報閲覧管理部と、
ユーザー端末機から転送される広告情報及び商品情報閲覧信号を受信して会員統合積立金情報を更新し、あるユーザー端末機から転送される商品購買信号によって該当会員統合積立金を支払処理して該当統合積立金を焼結するように処理する会員統合積立金管理プロセッサと、
前記会員統合積立金管理プロセッサと連動し、あるユーザー端末機から転送される商品購買信号によって既に積み立てられた会員統合積立金を通じて購買割引決済処理を行う決済処理プロセッサと、
第１〜第Ｎ広告主端末機から提供された広告情報を格納する広告情報ＤＢと、
前記第１〜第Ｎ売主サーバーから提供された商品情報を格納する商品情報ＤＢと、
会員別ターゲット広告が可能なように会員の性別、年齢、地域などの会員情報を格納する会員情報ＤＢと、
前記広告情報管理部及び商品情報管理部と連動して広告情報及び商品情報に対する会員別閲覧情報を格納する情報閲覧ＤＢと、
ユーザー端末機から転送される広告情報及び商品情報閲覧信号を受信して会員統合積立金情報を更新して格納し、ある顧客の商品購買信号によって支払われた該当会員統合積立金を更新して格納する積立金変動情報ＤＢと、
前記会員統合積立金管理プロセッサと連動し、あるユーザー端末機から転送される商品購買信号によって既に積み立てられた会員統合積立金を通じて購買割引された情報を格納する商品購買割引情報ＤＢと、
前記第１〜第Ｎ広告主端末機及び第１〜第Ｎ売主サーバーから広告情報及び商品情報を受けてウェブページに掲載し、ユーザー端末機から転送される広告情報及び商品情報閲覧信号によって前記会員統合積立金管理プロセッサを駆動させて会員統合積立型ポイントを累積積立させ、顧客の商品購買信号を受信して前記決済処理プロセッサを通じて該当顧客の購買代金に前記会員統合積立型ポイントを通じた割引処理を行い、前記会員統合積立金管理プロセッサを駆動させて積立型ポイントデータを更新させるように処理することによって売主よりアップロードした商品の販売代行処理を行い、広告閲覧を活性化させるように制御する制御部と、
からなることを特徴とする、請求項１に記載のオンライン広告システム。
【請求項７】
多数の会員が広告情報及び商品情報を選択することによって会員統合積立型ポイントを提供し、これをある特定顧客の商品購買信号発生時まで統合累積処理し、購買信号発生時に前記会員統合積立型ポイントを割引ポイントとして支払処理するためのオンライン広告管理サーバーに対して広告主端末機及び売主サーバーが広告情報及び商品情報をアップロードして登録する過程と、
前記オンライン広告管理サーバーが前記ユーザー端末機からＩＤ及びパスワード情報を受けて該当情報を認証処理し、顧客のログイン処理を行う過程と、
前記オンライン広告管理サーバーが前記ユーザー端末機から特定広告または商品情報に対する閲覧信号が印加されるか否か判断する過程と、
前記オンライン広告管理サーバーが該当顧客の閲覧行為によって所定のポイントを提供し、そのポイントを会員統合積立型ポイントとして合算処理する過程と、
前記オンライン広告管理サーバーが、あるユーザー端末機から特定商品に対する購買信号が印加されるか否か判断する過程と、
前記オンライン広告管理サーバーが顧客の商品購買信号によって該当時点まで累積された前記会員統合積立型ポイントを該当購買商品の割引ポイントとして提供処理する過程と、
前記オンライン広告管理サーバーが前記会員統合積立型ポイントを最初のゼロ状態（０）に更新処理する過程と、
からなることを特徴とする、オンライン広告方法。
【請求項８】
前記オンライン広告管理サーバーが前記ユーザー端末機から特定広告または商品情報に対する閲覧信号が印加される過程には、
あらかじめ格納された該当広告または商品情報を閲覧した会員情報を抽出し、比較することによって該当顧客が以前に同じ広告または商品情報を閲覧したことがあるか否か判断する過程と、
前記オンライン広告管理サーバーの判断結果、該当顧客が以前に該当広告及び商品情報を閲覧したことがある場合には、前記オンライン広告管理サーバーは、該当顧客による会員統合積立型ポイントの累積処理を行なわない過程と、
がさらに含まれたことを特徴とする、請求項７に記載のオンライン広告方法。
【請求項９】
会員統合積立型ポイントを提供するオンライン広告管理サーバーのウェブページに接続し、そのウェブページに掲載された広告情報及び商品情報を閲覧するために、内部にモデムなどの通信モジュールが搭載されたユーザー端末機と、
前記ユーザー端末機を通じて広告情報を閲覧できるようにオンライン広告管理サーバーのウェブページに広告情報を提供して掲載するようにしながら、顧客の広告閲覧に対して所定の会員統合積立型ポイントを提供するための第１〜第Ｎ広告主端末機と、
前記ユーザー端末機を通じて商品情報を閲覧できるようにオンライン広告管理サーバーのウェブページに商品情報を提供して販売するように掲載するようにしながら、顧客の商品情報閲覧に対して所定の会員統合積立型ポイントを提供するための第１〜第Ｎ売主サーバーと、
前記第１〜第Ｎ広告主端末機及び第１〜第Ｎ売主サーバーから広告情報及び商品情報を受けてウェブページに掲載し、ユーザー端末機から転送される広告情報及び商品情報閲覧信号によって支払われたポイントを、顧客の選択によって掲示された商品のカテゴリ別に会員が共同で積み立てた会員統合積立型ポイントに累積積立させ、ある顧客の商品購買信号を受信して該当購買商品のカテゴリに付加された前記会員統合積立型ポイントを通じた割引処理を行い、該当カテゴリ別積立型ポイントデータを更新させるように処理し、売主よりアップロードした商品を販売代行するオンライン広告管理サーバーと、から構成され、
顧客の広告閲覧及び商品情報閲覧によって付加された積立金を共同で累積させて購買顧客に割引金額として提供するようにしたことを特徴とする、オンライン広告システム。
【請求項１０】
オンライン広告管理サーバーがユーザー端末機からＩＤ及びパスワード情報を受信し、該当情報を認証処理して顧客のログイン処理を行う過程と、
前記オンライン広告管理サーバーが前記ユーザー端末機から特定広告または商品情報に対する閲覧信号が印加されるか否か判断する過程と、
閲覧信号が印加された場合には、前記オンライン広告管理サーバーがデータベースに格納された多数商品のカテゴリ情報を抽出する過程と、
前記オンライン広告管理サーバーが該当ユーザー端末機に該当カテゴリのうちいずれかのカテゴリを選択要請する信号を転送する過程と、
前記オンライン広告管理サーバーが前記ユーザー端末機から転送されたカテゴリ選択信号によって該当会員のポイントを該当カテゴリに該当する前記会員統合積立型ポイントを累積更新する過程と、
前記オンライン広告管理サーバーが、あるユーザー端末機から特定商品に対する購買信号が印加されるか否か判断する過程と、
該当顧客が購買選択した商品のカテゴリ情報及び該当カテゴリ別に累積された会員統合積立型ポイント情報を抽出し、その会員統合積立型ポイントを該当購買商品の割引ポイントとして提供処理する過程と、
前記オンライン広告管理サーバーが該当カテゴリ別前記会員統合積立型ポイントを最初のゼロ状態（０）に更新処理する過程と、
からなることを特徴とする、オンライン広告方法。
【請求項１１】
会員統合積立型ポイントを提供するオンライン広告管理サーバーのウェブページに接続し、そのウェブページに掲載された広告情報及び商品情報を閲覧するために、内部にモデムなどの通信モジュールが搭載されたユーザー端末機と、
前記ユーザー端末機を通じて広告情報を閲覧できるようにオンライン広告管理サーバーのウェブページに広告情報を提供して掲載するようにしながら、顧客の広告閲覧に対して所定の会員統合積立型ポイントを提供するための第１〜第Ｎ広告主端末機と、
前記ユーザー端末機を通じて商品情報を閲覧できるようにオンライン広告管理サーバーのウェブページに商品情報を提供して販売するように掲載するようにしながら、顧客の商品情報閲覧に対して所定の会員統合積立型ポイントを提供するための第１〜第Ｎ売主サーバーと、
前記第１〜第Ｎ広告主端末機及び第１〜第Ｎ売主サーバーから広告情報及び商品情報を受けてウェブページに掲載し、各商品を多数の商品価格帯別に分類し、ユーザー端末機から転送される広告情報及び商品情報閲覧信号によって支払われたポイントを、顧客の選択による商品価格帯別会員統合積立型ポイントに累積積立させ、ある顧客の商品購買信号を受信して該当購買商品の価格帯に該当する前記会員統合積立型ポイントを通じた割引処理を行い、該当商品価格帯の積立型ポイントデータを更新させるように処理し、売主よりアップロードした商品を販売代行するオンライン広告管理サーバーと、から構成され、
顧客の広告閲覧及び商品情報閲覧によって付加された積立金を共同で累積させて購買顧客に割引金額として提供するようにしたことを特徴とする、オンライン広告システム。
【請求項１２】
オンライン広告管理サーバーがユーザー端末機からＩＤ及びパスワード情報を受信し、該当情報を認証処理して顧客のログイン処理を行う過程と、
前記オンライン広告管理サーバーが前記ユーザー端末機から特定広告または商品情報に対する閲覧信号が印加されるか否か判断する過程と、
閲覧信号が印加された場合には、前記オンライン広告管理サーバーがデータベースに格納された多数商品の価格帯別分類情報を抽出する過程と、
前記オンライン広告管理サーバーが該当ユーザー端末機に該当価格帯情報のうちいずれかの価格帯を選択要請する信号を転送する過程と、
前記オンライン広告管理サーバーが前記ユーザー端末機から転送された価格帯選択信号によって該当会員のポイントを該当価格帯に該当する前記会員統合積立型ポイントを累積更新する過程と、
前記オンライン広告管理サーバーが、あるユーザー端末機から特定商品に対する購買信号が印加されるか否か判断する過程と、
該当顧客が購買選択した商品のカテゴリ情報及び該当購買商品の価格帯に該当する会員統合積立型ポイント情報を抽出し、その会員統合積立型ポイントを該当購買商品の割引ポイントとして提供処理する過程と、
前記オンライン広告管理サーバーが該当価格帯の前記会員統合積立型ポイントを最初のゼロ状態（０）に更新処理する過程と、
からなることを特徴とする、オンライン広告方法。
【請求項１３】
オンライン広告管理サーバーが広告主端末機から広告閲覧時提供する積立金情報を受けて設定する過程と、
前記オンライン広告管理サーバーが、ある顧客の広告閲覧信号がユーザー端末機から転送されるか否か判断する過程と、
前記オンライン広告管理サーバーが該当広告のポイント設定情報を抽出し、該当広告の支払残余ポイントが存在するか否か判断する過程と、
もし、該当広告の支払残余ポイントが存在しない場合には、ウェブページに掲示された広告情報に広告閲覧時ポイント支払不可情報を掲示する過程と、
ポイント支払不可状況では前記オンライン広告管理サーバーが該当広告主端末機にポイント消尽情報を転送する過程と、
該当広告の支払残余ポイントが存在する場合には、前記オンライン広告管理サーバーがあらかじめ累積された前記会員統合積立型ポイントに与えられたポイントを累積更新する過程と、
前記オンライン広告管理サーバーが、あるユーザー端末機から特定商品に対する購買信号が印加されるか否か判断する過程と、
前記オンライン広告管理サーバーが顧客の商品購買信号によって該当時点まで累積された前記会員統合積立型ポイントを該当購買商品の割引ポイントとして提供処理する過程と、
前記オンライン広告管理サーバーが前記会員統合積立型ポイントを最初のゼロ状態（０）に更新処理する過程と、
からなることを特徴とする、オンライン広告方法。
【請求項１４】
前記オンライン広告管理サーバーが広告主端末機から広告閲覧時に提供する積立金情報を受けて設定する過程は、
広告閲覧時に提供する全体ポイント金額をあらかじめ設定し、
広告１回閲覧時に提供するポイント金額情報を設定することであることを特徴とする、請求項１３に記載のオンライン広告方法。
【請求項１５】
前記オンライン広告管理サーバーが各広告別にあらかじめ設定された支払ポイントを全て消尽した広告に対しては、そのウェブサイトに掲示された該当広告を他の広告よりも低い順位で画面に出力されるように自動設定することが可能であることを特徴とする、請求項１３に記載のオンライン広告方法。
【請求項１６】
前記オンライン広告管理サーバーが各広告別にあらかじめ設定された支払ポイントを全て消尽した広告に対しては、そのウェブサイトに掲示された該当広告を自動で削除処理するように設定することを特徴とする、請求項１３に記載のオンライン広告方法。
【請求項１７】
会員統合積立型ポイントを提供するオンライン広告管理サーバーのウェブページに接続し、そのウェブページに掲載された広告情報及び商品情報を閲覧するために、内部にモデムなどの通信モジュールが搭載されたユーザー端末機と、
前記ユーザー端末機を通じて広告情報を閲覧できるようにオンライン広告管理サーバーのウェブページに広告情報を提供して掲載するようにしながら、顧客の広告閲覧に対して所定の会員統合積立型ポイントを提供し、顧客を分類する等級情報及びその顧客等級別追加購買割引ポイントを提供するための第１〜第Ｎ広告主端末機と、
前記ユーザー端末機を通じて商品情報を閲覧できるようにオンライン広告管理サーバーのウェブページに商品情報を提供して販売するように掲載するようにしながら、顧客の商品情報閲覧に対して所定の会員統合積立型ポイントを提供し、顧客を分類する等級情報及びその顧客等級別追加購買割引ポイントを提供するための第１〜第Ｎ売主サーバーと、
前記第１〜第Ｎ広告主端末機及び第１〜第Ｎ売主サーバーから受け取った多数のユーザー等級情報によって、ユーザーの等級が製品別に分類されて登録されている状態で、ある特定ユーザー端末機から特定製品情報または広告を選択して閲覧するための信号が印加されると、前記オンライン広告管理サーバーＯＡＭＳは、該当ユーザーが選択した製品または広告情報を抽出し、該当ユーザーのログイン情報を通じてあらかじめ登録された等級情報を抽出し、該当ユーザーに特別購買割引ポイントをより多く支払うオンライン広告管理サーバーと、
から構成されたことを特徴とする、オンライン広告システム。
【請求項１８】
前記特別購買割引ポイントは、該当ユーザーが購買信号を発生する場合に限って追加に割引されるポイントであることを特徴とする、請求項１７に記載のオンライン広告システム。
【請求項１９】
前記ユーザーの等級情報は、ユーザーの性別、地域別、年齢別に多数等級に細分化される等級情報であることを特徴とする、請求項１７に記載のオンライン広告システム。
【請求項２０】
前記オンライン広告管理サーバーは、
広告主サーバー及び売主サーバー、ユーザーコンピュータ端末機が接続され、各種データをアップロード及びダウンロードできるようにプロトコルをマッチングさせ、データ互換処理を行う通信モジュールと、
前記ユーザーコンピュータ端末機から転送されたユーザーのログイン情報を通じて該当ユーザーの認証を行う公知のユーザー認証プロセッサと、
製品別等級情報をあらかじめ登録し、ユーザー端末機が閲覧信号を発生させた製品を確認して、あらかじめ登録された等級情報を抽出し、ユーザーのログイン情報を用いて該当ユーザーの属した等級を判断し、その等級に該当する特別購買割引ポイントをユーザーに提供するための全体プロセッサを制御する制御部と、
前記広告主サーバー及び売主サーバーから転送された販売商品別情報及び該当商品別ユーザーの等級分類情報を登録させ、接続したユーザーを確認し、該当ユーザーに対する商品別等級を指定する販売商品別等級分類プロセッサと、
前記通信モジュールを通じて信号接続された前記ユーザー端末機の接続状態をチェックするためのユーザー接続チェックプロセッサと、
ユーザーコンピュータ端末機から転送された広告及び商品情報閲覧信号によって特別購買割引ポイントと無関係に会員が統合して特定会員の購買信号発生時に割引ポイントとして提供される統合積立型ポイントを管理する統合積立型ポイント管理プロセッサと、
前記販売商品別等級分類プロセッサと連動して、ユーザー別に付与された商品別等級ポイントを累積管理するための等級別ポイント管理プロセッサと、
あるユーザーコンピュータ端末機から転送された購買信号を受けて決済処理を行う購買信号チェックプロセッサと、
から構成されたことを特徴とする、請求項１７に記載のオンライン広告システム。
【請求項２１】
広告主端末機及び売主サーバーが前記オンライン広告管理サーバーに広告情報及び商品情報をアップロードさせる過程と、
前記広告主端末機及び売主サーバーが前記オンライン広告管理サーバーに広告情報及び商品情報のターゲットとなるユーザーの等級情報（年齢別、地域別、性別に分類された等級情報）を転送する過程と、
前記オンライン広告管理サーバーがアップロードされた広告情報及び商品情報、商品及び広告別ユーザーの等級情報を別のウェブページを通じて掲載し、等級情報をプロセッサに自動処理されるように設定する過程と、
前記オンライン広告管理サーバーが前記ユーザー端末機からのＩＤ及びパスワード情報によってログイン処理を行う過程と、
前記オンライン広告管理サーバーが、前記ユーザー端末機から特定広告または商品情報に対する閲覧信号が印加されるか否か判断する過程と、
閲覧信号が印加された場合にはあらかじめ格納された該当広告または商品情報を閲覧した会員情報を抽出し、該当商品情報及び広告情報に関連して格納されたユーザーの等級情報を抽出して、該当ユーザーの等級を定める過程と、
前記オンライン広告管理サーバーが該当顧客の閲覧行為によって所定のポイントを提供し、該当ポイントを累積演算し、会員統合積立型ポイント情報を更新処理する過程と、
前記オンライン広告管理サーバーが該当商品情報及び広告情報に関連して格納されたユーザーの等級情報を通じて、定められた該当ユーザーの等級によって等級別特別購買割引ポイントを累積演算し、更新処理する過程と、
以降、前記オンライン広告管理サーバーが、あるユーザー端末機から特定商品に対する購買信号が印加されるか否か判断する過程と、
あるユーザー端末機から特定商品に対する購買信号が印加されると、前記オンライン広告管理サーバーが該当ユーザーの等級情報を確認し、該当時点まで累積された前記会員統合積立型ポイント及び該当ユーザーの属した等級ポイントを割引ポイントとして支払う過程と、
前記オンライン広告管理サーバーが前記会員統合積立型ポイント及び該当ユーザーの属した等級ポイントを最初のゼロ状態（０）に更新処理する過程と、
からなることを特徴とする、オンライン広告方法。
【請求項２２】
ユーザー端末機からあらかじめ特定商品を選択して登録させ、統合積立型ポイントを通じて割引受ける金額を指定し、その統合積立型ポイントの累積金額を登録させることによって、そのユーザーの広告閲覧や、商品情報閲覧を通じて統合型に累積される会員統合積立型ポイントが該当ユーザーの設定ポイントになると自動で購買信号が発生されるようにしたオンライン広告管理サーバーを含むことを特徴とする、オンライン広告システム。
【請求項２３】
前記オンライン広告管理サーバーは、
広告主サーバー及び売主サーバー、ユーザーコンピュータ端末機が接続されて、各種データをアップロード及びダウンロードできるようにプロトコルをマッチングさせ、データ互換処理を行う通信モジュールと、
前記ユーザーコンピュータ端末機から転送されたユーザーのログイン情報を通じて該当ユーザーの認証を行う公知のユーザー認証プロセッサと、
ユーザー端末機から転送された広告閲覧及び商品情報閲覧信号に対応して自動で一定額のポイントを提供し、そのポイントを累積して購買信号を発生させる特定ユーザーが割引金額として受けることができるように会員統合積立型ポイントを演算累積管理し、ユーザー端末機から予約購買信号及びポイント設定情報を受けて登録させ、会員統合積立型ポイントが該当ユーザーの設定ポイントになる時点に自動で該当ユーザーの購買信号を発生させて購買処理を行う制御部と、
ユーザーコンピュータ端末機から転送された広告及び商品情報閲覧信号によって特別購買割引ポイントと無関係に会員が統合して特定会員の購買信号発生時に割引ポイントとして提供される統合積立型ポイントを管理する統合積立型ポイント管理プロセッサと、
ユーザー端末機から予約購買信号及びポイント設定情報を受けて登録させ、会員統合積立型ポイントが該当ユーザーの設定ポイントになる時点に自動で該当ユーザーの購買信号を発生させることによって予約購買処理を行う購買ポイント設定管理プロセッサと、
あるユーザーコンピュータ端末機から転送された購買信号を受けて決済処理を行う購買信号チェックプロセッサと、
から構成されたことを特徴とする、請求項２２に記載のオンライン広告システム。
【請求項２４】
広告主端末機及び売主サーバーが前記オンライン広告管理サーバーに接続して、広告情報及び商品情報を前記オンライン広告管理サーバーにアップロードする過程と、
前記オンライン広告管理サーバーが前記ユーザー端末機からのＩＤ及びパスワード情報によってログイン処理を行う過程と、
以降、前記オンライン広告管理サーバーが、接続したユーザー端末機から自動予約購買信号が印加されるか否か判断する過程と、
ユーザー端末機から自動予約購買信号が印加されていない場合には、前記オンライン広告管理サーバーが、前記ユーザーコンピュータ端末機から特定広告または商品情報に対する閲覧信号が印加されるか否か判断する過程と、
閲覧信号が印加された場合には、あらかじめ格納された該当広告または商品情報を閲覧した会員情報を抽出し、閲覧の代価としてあらかじめ設定された所定のポイントを会員統合積立型ポイントに累積演算処理する過程と、
前記オンライン広告管理サーバーが、あるユーザー端末機から特定商品に対する購買信号が印加されるか否か判断する過程と、
もし、該当ユーザー端末機から自動予約購買信号、商品情報及び設定ポイント情報が印加された場合には、前記オンライン広告管理サーバーが該当商品情報、設定ポイント情報及びユーザー情報を登録させる過程と、
前記オンライン広告管理サーバーが前記ユーザーコンピュータ端末機から特定広告または商品情報に対する閲覧信号が印加されるか否か判断する過程と、
閲覧信号が印加された場合には、あらかじめ格納された該当広告または商品情報を閲覧した会員情報を抽出し、閲覧の代価としてあらかじめ設定された所定のポイントを会員統合積立型ポイントに累積演算処理する過程と、
前記オンライン広告管理サーバーが、累積された会員統合積立型ポイントがあらかじめ登録された予約購買ポイントと一致するか否か判断する過程と、
あるユーザーがあらかじめ設定した予約購買ポイントと会員統合積立型ポイントとが一致する場合には、前記オンライン広告管理サーバーが該当ユーザーコンピュータ端末機に決済要求信号を転送する過程と、
前記オンライン広告管理サーバーが該当ユーザーコンピュータ端末機から決済信号を受信して、あらかじめ累積された会員統合積立型ポイント金額だけ割引された金額として決済処理を行う過程と、
前記オンライン広告管理サーバーが前記会員統合積立型ポイントを最初のゼロ状態（０）に更新処理する過程と、
からなることを特徴とする、オンライン広告方法。
【請求項２５】
ウェブブラウザの出力商品情報を確認できるようにした画面チェックプログラムが搭載されており、一定の時間間隔で自動でオンライン広告管理サーバーに、ウェブブラウザに出力される商品コード情報を転送するユーザー端末機と、
オンライン広告管理サーバーに自社の商品情報を画面出力させるユーザーの数字と、該当ユーザーの数字が一定時間維持される場合、特別購買ポイントを支払できるようにユーザー及び時間条件情報を転送するための売主サーバーと、
前記売主サーバーから自社の商品情報を画面出力させるユーザーの数字と、該当ユーザーの数字が一定時間維持される場合、特別購買ポイントを支払できるようにユーザー及び時間条件情報を受けて登録させ、多数のユーザー端末機に搭載された画面チェックプログラムから商品コード情報を受けて該当商品情報を閲覧する全体ユーザーの数字を演算し、該当ユーザーが、売主が設定した一定以下の数字であり、一定時間該当閲覧ユーザー数字が維持される時点に、特別購買ポイントを支払うように処理するオンライン広告管理サーバーと、
から構成されたことを特徴とする、オンライン広告システム。
【請求項２６】
広告主端末機及び売主サーバーがオンライン広告管理サーバーに広告情報及び商品情報、自社の商品情報を画面に出力させるユーザーの数字と、該当ユーザーの数字が一定時間維持される場合、特別購買ポイントを支払できるようにユーザー及び時間条件情報を前記オンライン広告管理サーバーにアップロードさせる過程と、
前記オンライン広告管理サーバーが、ユーザーコンピュータ端末機に搭載された画面チェックプログラムから商品コード情報を受けて該当商品情報を閲覧する全体ユーザーの数字を演算する過程と、
前記オンライン広告管理サーバーが、同一商品情報を閲覧しているユーザーが売主が設定した一定数字以下か判断する過程と、
前記オンライン広告管理サーバーが、一定時間該当閲覧ユーザー数字が設定数字以下に維持されるか否か判断する過程と、
前記オンライン広告管理サーバーが、該当条件を満足する時点に特別購買ポイントを支払うように処理する過程と、
もし、同一商品情報を閲覧しているユーザーが、売主が設定した一定数字以下でないか、一定時間該当閲覧ユーザー数字が設定数字以下に維持されない時点に、他のユーザーの端末機から購買信号が印加されると、前記オンライン広告管理サーバーが該当ユーザーに会員統合積立型ポイントを割引ポイントとして提供する過程と、
一方、同一商品情報を閲覧しているユーザーが、売主が設定した一定数字以下であり、一定時間該当閲覧ユーザー数字が設定数字以下に維持される時点に、特別購買ポイントを受けたユーザーの端末機から購買信号が印加されると、前記オンライン広告管理サーバーが該当ユーザーに会員統合積立型ポイント及び特別購買ポイントを割引ポイントとして提供し、決済処理を行う過程と、
前記オンライン広告管理サーバーが前記会員統合積立型ポイント及び該当ユーザーの属した等級ポイントを最初のゼロ状態（０）に更新処理する過程と、
からなることを特徴とする、オンライン広告方法。
【請求項２７】
そのウィンドウズ上で駆動される各種アプリケーション（文書作成プログラム、イメージ編集プログラム、ゲームプログラム及びウィンドウズエクスプローラプログラム）と連動してユーザーがあらかじめ指定した購買希望商品情報、統合積立型ポイント情報、購買決定手段が備えられた画面を、該当アプリケーション画面上に出力させるようにするユーザー端末機を含むことを特徴とする、オンライン広告システム。
【請求項２８】
会員統合積立型ポイントを提供するオンライン広告管理サーバーのウェブページに接続して、該ウェブページに掲載された広告情報及び商品情報を閲覧するために、内部にモデムなどの通信モジュールが搭載されたユーザー端末機と、
前記ユーザー端末機を通じて広告情報を閲覧できるようにオンライン広告管理サーバーのウェブページに広告情報を提供して掲載するようにしながら、顧客の広告閲覧に対して所定の会員統合積立型ポイントを提供し、広告／販売アシスタントに広告費用を持分率方式で販売して、商品販売時に広告／販売アシスタントの持分率によって選別的なインセンティブを支払うようにする第１〜第Ｎ広告主端末機と、
前記ユーザー端末機を通じて商品情報を閲覧できるようにオンライン広告管理サーバーのウェブページに商品情報を提供して販売するように掲載するようにしながら、顧客の商品情報閲覧に対して所定の会員統合積立型ポイントを提供し、広告／販売アシスタントに広告費用を持分率方式で販売して、商品販売時に広告／販売アシスタントの持分率によって選別的なインセンティブを支払うようにする第１〜第Ｎ売主サーバーと、
前記第１〜第Ｎ広告主端末機及び第１〜第Ｎ売主サーバーがアップロードした広告情報及び商品情報を閲覧し、特定商品を指定した状態で、オンライン広告管理サーバーに広告／販売アシスタント申請信号及び広告持分購買信号を発生し、広告持分費用に対して決済信号を発生させる広告／販売アシスタント端末機と、
前記第１〜第Ｎ広告主端末機及び第１〜第Ｎ売主サーバーから広告情報及び商品情報を受けてウェブページに掲載し、ユーザー端末機から転送される広告情報及び商品情報閲覧信号によって会員統合積立型ポイントを累積積立させ、顧客の商品購買信号を受信して該当顧客の購買代金に前記会員統合積立型ポイントを通じた割引処理を行い、積立型ポイントデータを更新させるように処理し、売主よりアップロードした商品を販売代行し、広告／販売アシスタントに広告費用を持分率方式で販売して、商品販売による決済処理時に広告／販売アシスタントの持分率によって選別的なインセンティブを支払うようにするオンライン広告管理サーバーと、
から構成されたことを特徴とする、オンライン広告システム。
【請求項２９】
前記オンライン広告管理サーバーには、前記第１〜第Ｎ広告主端末機、第１〜第Ｎ売主サーバー及びユーザー端末機が前記オンライン広告管理サーバーに接続可能に前記オンライン広告管理サーバーのＵＲＬをルーティングするウェブサーバーが提供され、前記会員統合積立型ポイント更新情報及び顧客購買信号、顧客情報、売主情報、広告主情報、広告／販売アシスタント情報、及び広告／販売アシスタント別持分率情報を格納するための第１及び第２データベースがさらに含まれたことを特徴とする、請求項２８に記載のオンライン広告システム。
【請求項３０】
広告主端末機及び売主サーバーがオンライン広告管理サーバーに広告情報及び商品情報をアップロードする過程と、
前記オンライン広告管理サーバーが、アップロードされた広告情報及び商品情報を別のウェブページを通じて掲載する過程と、
前記オンライン広告管理サーバーが広告／販売アシスタント端末機から商品選択情報及び広告持分決済情報を受信し、該当持分に対する広告金額を決済処理し、該当広告／販売アシスタント情報及び決済情報を登録させる過程と、
前記オンライン広告管理サーバーが、商品が販売されるか否か判断し、該当商品に関連した広告／販売アシスタント情報が存在するか否か判断する過程と、
前記オンライン広告管理サーバーが販売された商品に関連した広告／販売アシスタント情報が存在する場合には、該当広告／販売アシスタント情報に含まれた持分率情報を通じて該当広告／販売アシスタント端末機に販売インセンティブを提供する過程と、
前記オンライン広告管理サーバーがあらかじめ設定されたインセンティブ情報と商品販売によって支払ったインセンティブ情報とを比較し、商品販売によって支払ったインセンティブが既設定インセンティブより大きいか等しいか判断する過程と、
商品販売によって支払ったインセンティブが既設定インセンティブより大きいか等しい場合には、それ以上前記オンライン広告管理サーバーが該当広告／販売アシスタントにインセンティブを支払わない過程と、
商品販売によって支払ったインセンティブが既設定インセンティブより小さい場合には、前記オンライン広告管理サーバーが持続して該当指定商品の販売によってインセンティブを支払うように処理する過程と、
からなることを特徴とする、オンライン広告方法。
【請求項３１】
そのウェブサイトメイン画面の上端所定部には特定商品の検索結果を画面出力させるための検索語を入力するための検索語入力窓が備えられており、その下端にはその会員統合積立型ポイントの高い順に検索結果情報を再整列したり、イベント金額や割引比率の高い順に検索結果情報を再整列したり、地域別に検索結果情報を選択できるようにした累積順整列ボタン、イベント整列ボタン、地域別整列ボタンが備えられたオンライン広告管理サーバーが含まれたことを特徴とする、オンライン広告システム。
【請求項３２】
広告主端末機及び売主サーバーがオンライン広告管理サーバーに広告情報及び商品情報をアップロードする過程と、
前記オンライン広告管理サーバーが、アップロードされた広告情報及び商品情報を別のウェブページを通じて掲載する過程と、
前記オンライン広告管理サーバーが、広告情報及び商品情報を累積順整列、イベント整列、地域別に整列されるデータベースを構築する過程と、
前記オンライン広告管理サーバーがユーザーコンピュータ端末機から累積順整列信号、イベント整列信号、地域別整列信号のうちいずれかの信号を受信する過程と、
前記オンライン広告管理サーバーがユーザーコンピュータ端末機から転送された信号によって広告情報及び商品情報の出力情報を再整列する過程と、
を含むことを特徴とする、オンライン広告方法。
【請求項３３】
広告データをサーバーに登録させ、クリック当たり広告費用を振り込み、サーバーに登録された会員情報を受け取るための広告主端末機Ｂ１〜Ｂｎと、
サーバーに登録された広告データを閲覧し、既設定された広告当籤金競売入札時間帯に時間経過に比例して増加する累積当籤金情報を確認し、特定当籤金に対する入札信号を発生するために内部にモデムなどの通信モジュールが備えられており、ウェブブラウザが備えられたユーザー端末機Ａ１〜Ａｎと、
前記広告主端末機Ｂ１〜Ｂｎから広告データを受信して登録し、前記ユーザー端末機Ａ１〜Ａｎから広告データ閲覧信号を受信して広告費用を精算し、その広告費用を累積して特定時間帯になると時間経過に比例するようにして累積金額情報を累積して出力させ、特定累積金額に対する入札信号を前記ユーザー端末機Ａ１〜Ａｎから受信し該当ユーザーを当籤者として選定して当籤金を支払い、次回の当籤金累積を実行するようにしたオンライン広告管理サーバーＯＡＭＳと、
前記オンライン広告管理サーバーＯＡＭＳと連動し、前記オンライン広告管理サーバーＯＡＭＳから受け取った広告データをホームページに掲載するための広告データ掲載サーバーと、
から構成されたことを特徴とする、オンライン広告システム。
【請求項３４】
前記オンライン広告管理サーバーＯＡＭＳの内部には前記広告主端末機Ｂ１〜Ｂｎ及び前記ユーザー端末機Ａ１〜Ａｎとのウェブ通信を行うウェブサーバーＷＢＳが備えられていることを特徴とする、請求項３３に記載のオンライン広告システム。
【請求項３５】
前記オンライン広告管理サーバーＯＡＭＳは、前記ユーザー端末機Ａ１〜Ａｎから特定累積金額に対する入札信号を受信すると、該当ユーザーが登録された広告データのうち、一定個数以上をクリックしたユーザーか否か判断した後、当籤者として選定するようにあらかじめ設定されていることを特徴とする、請求項３３に記載のオンライン広告システム。
【請求項３６】
前記オンライン広告管理サーバーＯＡＭＳは、前記ユーザー端末機Ａ１〜ＡｎのＩＰアドレスまたはＭＡＣアドレス、クッキー情報を格納し、既に閲覧したユーザー端末機情報を各広告データ別に比較することによって、同一ユーザーが同一広告データを多数回閲覧した場合、該当広告データを１回閲覧したと処理するようにあらかじめ設定されていることを特徴とする、請求項３３に記載のオンライン広告システム。
【請求項３７】
前記オンライン広告管理サーバーＯＡＭＳは、当籤者の選定時に入札ボタンを最初にクリックしたユーザーではなく任意クリック順番のユーザーを当籤者として選定するようにあらかじめ設定されており、当籤順番は各回ごとに任意抽出するように設定されていることを特徴とする、請求項３３に記載のオンライン広告システム。
【請求項３８】
前記広告データ掲載サーバーのホームページには、多数の広告データが掲載されており、その広告データを多数のユーザーが閲覧することによって統合積立した金額をあらかじめ設定された競売時間帯に分割して時間経過によって増加するように表示する当籤可能金額情報と、その当籤可能金額情報の側面に備えられた競売入札ボタンが表示されることを特徴とする、請求項３３に記載のオンライン広告システム。
【請求項３９】
前記オンライン広告管理サーバーＯＡＭＳは、その内部に前記広告主端末機Ｂ１〜Ｂｎから広告データを受信し、前記ユーザー端末機Ａ１〜Ａｎから広告クリック信号を受け、競売時間帯に累積当籤金情報を実時間で提供し、ユーザー端末機から入札信号を受信する通信モジュールと、
会員情報及び広告主情報を登録し、認証処理する会員／広告主情報管理部と、
前記広告主端末機Ｂ１〜Ｂｎから受け取った広告データを登録管理する広告データ登録管理部と、
広告データをホームページに掲載した各種業者サーバーから会員情報及び広告別クリック情報を受信して演算管理する広告クリック数演算部と、
前記広告クリック数演算部と連動して広告別／クリック数別広告費用を累積管理する累積金額管理部と、
競売時間となり、各回別分割当籤金を時間経過別に累積変動させ、当籤金が選定されると該当回の当籤金をリセットさせる時間別当籤金変動／更新管理部と、
広告データの重複クリック、一日競売の重複当籤を防止するために会員のＩＰまたはＭＡＣアドレス、クッキー情報を格納管理する会員ＩＰ管理部と、
前記ユーザー端末機Ａ１〜Ａｎから受信した広告データ別クリック信号を演算して広告費用を精算するための広告費用精算部と、
会員情報及び広告主情報を登録するための会員／広告主ＤＢと、
前記広告主端末機Ｂ１〜Ｂｎから受け取った広告データを格納するための広告データＤＢと、
広告データをホームページに掲載した各種業者サーバーから会員情報及び広告別クリック情報を受信して格納するクリック数演算ＤＢと、
広告別／クリック数別広告費用を累積格納する累積金額／当籤金変動ＤＢと、
広告データの重複クリック、一日競売の重複当籤を防止するために会員のＩＰまたはＭＡＣアドレス、クッキー情報を格納する会員ＩＰＤＢと、
前記ユーザー端末機Ａ１〜Ａｎから受信した広告データ別クリック信号を演算して広告費用情報を格納する広告費用精算ＤＢと、
広告主端末機Ｂ１〜Ｂｎから広告データを受信して登録し、前記ユーザー端末機Ａ１〜Ａｎから広告データ閲覧信号を受信して広告費用を精算するように制御し、その広告費用を実時間累積し、競売時間になったか否かを判断し、時間経過に比例して当籤金を分割累積処理し、特定当籤金額に対する選択信号を前記ユーザー端末機Ａ１〜Ａｎから受信して該当ユーザーを当籤者として選定して当籤金を支払い、次回の当籤金累積を実行するように制御する制御部と、
を含んで構成されたことを特徴とする、請求項３３に記載のオンライン広告システム。
【請求項４０】
前記広告データ掲載サーバーのホームページには、ユーザーの広告クリックにより積み立てられた全体累積金額が分割され、広告サイト別個別広告競売を進行するための累積金額情報を別途に表示する累積金額情報が広告サイト別に表示され、該当広告サイト別広告競売進行時間情報が表示されたことを特徴とする、請求項３３に記載のオンライン広告システム。
【請求項４１】
オンライン広告管理サーバーＯＡＭＳが広告主端末機Ｂ１〜Ｂｎから広告データを受信して登録させる第１過程と、
その広告データが掲載される業者のホームページに競売入札時間を公表する第２過程と、
前記オンライン広告管理サーバーＯＡＭＳが、ユーザー端末機Ａ１〜Ａｎから転送された広告データ情報及びそのクリック情報を受信して各広告別クリック数を演算処理する第３過程と、
該当広告のクリック別積立金額を統合累積処理する第４過程と、
前記オンライン広告管理サーバーＯＡＭＳが、競売入札時間になったか否か判断する第５過程と、
競売入札時間になった場合には、前記オンライン広告管理サーバーＯＡＭＳが該当全体競売累積金額を一定時間単位（秒または分）で分割し、各時間単位の経過によって累積金額増加額を表示する第６過程と、
累積金額増加分が表示される途中に、前記オンライン広告管理サーバーＯＡＭＳがあるユーザー端末機Ａ１〜Ａｎから入札信号を受信する第７過程と、
前記オンライン広告管理サーバーＯＡＭＳが該当時点の累積当籤金を該当入札者に支払う当籤金として確定する第８過程と、
全体累積当籤金額から該当回の当籤金を減算処理する第９過程と、
前記オンライン広告管理サーバーＯＡＭＳが競売時間が終了したか否か判断する第１０過程と、
競売時間が終了した場合には、前記オンライン広告管理サーバーＯＡＭＳが各回の当籤者に当籤金を支払処理する第１１過程と、
からなることを特徴とする、オンライン広告方法。
【請求項４２】
前記第７過程は、前記オンライン広告管理サーバーＯＡＭＳが各ユーザー端末機Ａ１〜Ａｎから転送されたクリック信号及びユーザー情報を受信してＤＢに順次に累積し、任意の順番を当籤者として選定する過程をさらに含むことを特徴とする、請求項４１に記載のオンライン広告方法。
【請求項４３】
前記第３過程は、それ以前に前記オンライン広告管理サーバーＯＡＭＳがユーザー端末機Ａ１〜Ａｎから転送された広告データ情報及びそのクリック情報を受信する時に、該当広告クリック情報に対する同一ユーザーのアカウント（ＩＤやクッキー情報、ＩＰ、ＭＡＣアドレス）が存在するか否か判断する過程と、
同一広告データに対して同一ユーザーのクリックが既に存在した場合には、前記オンライン広告管理サーバーＯＡＭＳが該当ユーザーのクリックによる積立金を累積しないように処理する過程がさらに含まれることを特徴とする、請求項４１に記載のオンライン広告方法。
【請求項４４】
前記第７過程と８過程の間には、該当ユーザーのアカウント情報を認証して該当ユーザーの同日付の広告クリック数が既設定クリック数よりも大きいか等しいか判断する過程と、
同日付の該当ユーザーの広告クリック数が既設定クリック数よりも小さい場合には該当ユーザーの当籤を取消する過程と、
前記オンライン広告管理サーバーＯＡＭＳの判断結果、同日付の該当ユーザーの広告クリック数が既設定クリック数に比べて大きいか等しい場合には、該当ユーザーを当籤者として確定する過程と、
がさらに含まれることを特徴とする、請求項４１に記載のオンライン広告方法。
【請求項４５】
前記第１１過程は、
前記オンライン広告管理サーバーＯＡＭＳがユーザー端末機Ａ１〜Ａｎを通じて受信した会員アカウントを通じて該当予備当籤者が会員であるか否か判断する過程と、
会員でない場合には待ち時間をカウントする過程と、
一定の設定時間が経過した時点に該当予備当籤者が会員加入をしたか否か判断する過程と、
会員に加入していない場合には、該当ユーザーの当籤を取消処理する過程と、
該当回の当籤金額を全体累積金額に合算処理する過程と、
一定時間、該当予備当籤者が会員加入をしたか既存会員である場合には、前記オンライン広告管理サーバーＯＡＭＳが該当予備当籤者を該当回の当籤者として確定して当籤金を支払処理する過程と、
をさらに含むことを特徴とする、請求項４１に記載のオンライン広告方法。
【請求項４６】
前記第８過程は、前記オンライン広告管理サーバーＯＡＭＳが入札順序別入札者情報を累積格納する過程と、
最優先入札信号を発生した入札者情報を抽出して当籤者として確定処理する過程と、
前記オンライン広告管理サーバーＯＡＭＳが該当回を終了し、該当回の累積金額を当籤金として支払しながら該当回の累積金額情報をリセットさせる過程と、
をさらに含むことを特徴とする、請求項４１に記載のオンライン広告方法。
【請求項４７】
オンライン広告管理サーバーＯＡＭＳが広告主端末機Ｂ１〜Ｂｎから広告データを受信して登録させる第１過程と、
その広告データが掲載される業者のホームページに全体広告競売及び広告サイト別個別広告競売入札時間を公表する第２過程と、
前記オンライン広告管理サーバーＯＡＭＳがユーザー端末機Ａ１〜Ａｎから転送された広告データ情報及びそのクリック情報を受信して各広告別クリック数を演算処理する第３過程と、
該当広告のクリック別積立金額を統合広告競売分と、各広告サイト別広告競売分の累積金額として分割累積する第４過程と、
前記オンライン広告管理サーバーＯＡＭＳが、統合広告競売入札時間になったか否か判断する第５過程と、
統合広告競売入札時間になった場合には、前記オンライン広告管理サーバーＯＡＭＳが該当全体競売累積金額を一定時間単位（秒または分）で分割し、各時間単位の経過によって累積金額増加額を表示する第６過程と、
累積金額増加分が表示される途中に、前記オンライン広告管理サーバーＯＡＭＳがあるユーザー端末機Ａ１〜Ａｎから入札信号を受信する第７過程と、
前記オンライン広告管理サーバーＯＡＭＳが各回の当籤者に当籤金を支払処理する第８過程と、
全体累積当籤金額から該当回の当籤金を減算処理する第９過程と、
前記オンライン広告管理サーバーＯＡＭＳが、全体競売時間が終了したか否か判断する第１０過程と、
全体広告競売時間が終了した場合には、前記オンライン広告管理サーバーＯＡＭＳが各広告データ別に累積された累積金額情報を抽出する第１１過程と、
該当広告別累積金額を一定時間単位（例えば、秒または分）で分割し、各時間単位の経過によって累積金額増加額を表示する第１２過程と、
前記オンライン広告管理サーバーＯＡＭＳが、あるユーザー端末機Ａ１〜Ａｎから入札信号を受信する第１３過程と、
該当当籤金分だけを累積当籤金額から減算処理する第１４過程と、
前記オンライン広告管理サーバーＯＡＭＳが、該当個別広告競売時間が終了したか否か判断する第１５過程と、
個別広告競売時間が終了した場合には、前記オンライン広告管理サーバーＯＡＭＳは、各回の当籤者に当籤金を支払処理する第１６過程と、
からなることを特徴とする、オンライン広告方法。
【請求項４８】
第１３過程は、各広告別個別広告競売に参加して入札信号を発生できるユーザーは、該当日時に該当広告情報を閲覧したユーザーに限定することを特徴とする、請求項４７に記載のオンライン広告方法。
【請求項４９】
前記第１３過程は、
該当ユーザーのアカウント情報を通じて該当ユーザーが該当広告データを該当日時にクリックしたことがあるか否か判断する過程と、
該当ユーザーが該当広告データを該当日時にクリックしたことがない場合には、前記オンライン広告管理サーバーＯＡＭＳが一定時間カウントを行い、設定時間に該当広告をクリックしたか否か判断する過程と、
広告をクリックした場合には当籤金を確定して該当当籤金分だけを累積当籤金額から減算する過程と、
広告をクリックしない場合には該当当籤者を取消処理する過程と、
前記オンライン広告管理サーバーＯＡＭＳの判断結果、該当日時に該当広告データを該当ユーザーがクリックした場合には、該当時点の当籤金額を確定する過程と、
をさらに含むことを特徴とする、請求項４７に記載のオンライン広告方法。
【請求項５０】
オンライン広告管理サーバーＯＡＭＳが広告主端末機Ｂ１〜Ｂｎから広告データを受信して登録させる第１過程と、
その広告データが掲載されるホームページに競売入札時間及び入札条件を公表する第２過程と、
前記オンライン広告管理サーバーＯＡＭＳがユーザー端末機Ａ１〜Ａｎから転送された広告データ情報及びそのクリック情報を受信する第３過程と、
各広告別積立金を全体累積積立金額に統合累積処理し、該当広告別競売時間情報を抽出して個人別に競売参加時間を与える第４過程と、
前記オンライン広告管理サーバーＯＡＭＳが、広告競売入札時間になったか否か判断する第５過程と、
広告競売入札時間になった場合には、前記オンライン広告管理サーバーＯＡＭＳが該当統合累積された広告競売累積金額を一定時間単位で分割し、各時間単位の経過によって累積金額増加額を表示する第６過程と、
累積金額増加分が表示される途中に、前記オンライン広告管理サーバーＯＡＭＳは、あるユーザー端末機Ａ１〜Ａｎから入札信号が受信されるか否か判断する第７過程と、
該当ユーザーのアカウント情報を認証して該当ユーザーに提供された競売参加時間以内に受信された入札信号か否か判断する第８過程と、
該当ユーザーに提供された競売参加時間が超過した状態で前記ユーザー端末機Ａ１〜Ａｎから転送された入札信号を受信した場合には、前記オンライン広告管理サーバーＯＡＭＳが該当入札者の当籤を取消処理する第９過程と、
該当ユーザーに提供された競売参加時間内に入札信号を前記オンライン広告管理サーバーＯＡＭＳが受信した場合には、該当入札者を当籤者として確定して当籤金を支払処理する第１０過程と、
前記オンライン広告管理サーバーＯＡＭＳが広告競売時間が終了したか否か判断し、残余競売時間が存在する場合には再び前記ユーザー端末機Ａ１〜Ａｎから広告データクリック信号を受信して演算し、それによる全体累積金額を変更しながら次回の競売を進行する第１１過程と、
からなることを特徴とする、オンライン広告方法。
【請求項５１】
前記第４過程は、前記オンライン広告管理サーバーＯＡＭＳが提供する競売参加時間が、広告主の選択によって異なって提供されるか、広告データの種類別に差別化された競売参加時間が提供される過程をさらに含むことを特徴とする、請求項５０に記載のオンライン広告方法。
【請求項５２】
広告データをサーバーに登録させ、クリック当たり広告費用を振り込み、サーバーに登録された会員情報を受けるための広告主端末機Ｂ１〜Ｂｎと、
サーバーに登録された広告データを閲覧し、既設定された広告当籤金競売入札時間帯に時間経過に比例して増加する累積当籤金情報を確認し、特定当籤金に対する入札信号を発生するために内部にモデムなどの通信モジュールが備えられており、ウェブブラウザが備えられたユーザー端末機Ａ１〜Ａｎと、
オンライン広告管理サーバーＯＡＭＳから認証信号を受信して無線インターネット自動コールバック設定要請信号を発生し、オンライン広告管理サーバーＯＡＭＳから広告データを受信して閲覧しその閲覧情報をオンライン広告管理サーバーＯＡＭＳに自動転送するユーザー携帯電話Ｃ１〜Ｃｎと、
広告主端末機Ｂ１〜Ｂｎから広告データを受信して登録し、前記ユーザー端末機Ａ１〜Ａｎ及びユーザー携帯電話Ｃ１〜Ｃｎから広告データ閲覧信号を受信して広告費用を精算し、その広告費用を累積して特定時間帯になると時間経過に比例するようにして累積金額情報を累積して出力させ、特定累積金額に対する入札信号を前記ユーザー端末機Ａ１〜Ａｎから受信して該当ユーザーを当籤者として選定して当籤金を支払い、次回の当籤金累積を実行するようにしたオンライン広告管理サーバーＯＡＭＳと、
前記オンライン広告管理サーバーＯＡＭＳの内部に備えられ、前記広告主端末機Ｂ１〜Ｂｎ及び前記ユーザー端末機Ａ１〜Ａｎとのウェブ通信を行うウェブサーバーＷＢＳ及びユーザー携帯電話Ｃ１〜Ｃｎを通じた無線データ通信を行うＷＡＰサーバーＷＡＰＳと、
前記オンライン広告管理サーバーＯＡＭＳと連動し、前記オンライン広告管理サーバーＯＡＭＳから受け取った広告データをホームページに掲載するための広告データ掲載サーバーと、
から構成されたことを特徴とする、オンライン広告システム。
【請求項５３】
オンライン広告管理サーバーが広告主端末機Ｂ１〜Ｂｎから広告データを受信して登録させる第１過程と、
ユーザー携帯電話Ｃ１〜Ｃｎから広告受信に対する携帯電話番号登録要請信号を受信して該当携帯電話番号を登録し認証処理する第２過程と、
前記オンライン広告管理サーバーＯＡＭＳが前記ユーザー携帯電話Ｃ１〜ＣｎにコールバックＵＲＬ情報を転送する第３過程と、
前記ユーザー携帯電話Ｃ１〜Ｃｎで該当コールバックＵＲＬが選択されると、該当ＵＲＬのアドレスである前記オンライン広告管理サーバーＯＡＭＳに接続されて該当ＵＲＬにあらかじめ設定された広告データを前記ユーザー携帯電話Ｃ１〜Ｃｎに転送して画面出力させる第４過程と、
前記オンライン広告管理サーバーＯＡＭＳがユーザー携帯電話Ｃ１〜Ｃｎに転送される広告データの閲覧に対する代価として提供される競売参加時間情報及びユーザー情報を登録し、各広告別積立金を全体累積積立金額に統合累積処理する第５過程と、
前記オンライン広告管理サーバーＯＡＭＳが、広告競売入札時間になったか否か判断する第６過程と、
広告競売入札時間になった場合には、前記オンライン広告管理サーバーＯＡＭＳは、該当統合累積された広告競売累積金額を一定時間単位（初め／方）で分割し、各時間単位の経過によって累積金額増加額を表示する第７過程と、
累積金額増加分が表示される途中に、前記オンライン広告管理サーバーＯＡＭＳがあるユーザー端末機Ａ１〜Ａｎまたはユーザー携帯電話Ｃ１〜Ｃｎから入札信号を受信する第８過程と、
該当ユーザーのアカウント情報を認証して該当ユーザーに提供された競売参加時間以内に受信された入札信号か否か判断する第９過程と、
該当ユーザーに提供された競売参加時間が超過した状態で前記ユーザー端末機Ａ１〜Ａｎまたはユーザー携帯電話Ｃ１〜Ｃｎから転送された入札信号を受信した場合には、前記オンライン広告管理サーバーＯＡＭＳが該当入札者の当籤を取消処理する第１０過程と、
該当ユーザーに提供された競売参加時間内に前記ユーザー端末機Ａ１〜Ａｎから転送された入札信号を受信した場合には、前記オンライン広告管理サーバーＯＡＭＳが該当入札者を当籤者として確定して当籤金を支払処理する第１１過程と、
前記オンライン広告管理サーバーＯＡＭＳが、広告競売時間が終了したか否か判断する第１２過程と、
残余競売時間が存在する場合には、再び前記ユーザー端末機Ａ１〜Ａｎから広告データクリック信号を受信して演算し、それによる全体累積金額を変更しながら次回競売を進行する第１３過程と、
からなることを特徴とする、請求項５２のシステムを用いるオンライン広告方法。
【請求項５４】
広告データをサーバーに登録させ、クリック当たりの広告費用、誘導検索語選択費用を振り込み、サーバーに登録された会員情報を受けるための広告主端末機Ｂ１〜Ｂｎと、
サーバーに登録された広告データを閲覧し、検索ポータルの検索窓に出力される誘導検索語を選択して積立金や積立時間を受け取り、既設定された広告当籤金競売入札時間帯に時間経過に比例して増加する累積当籤金情報を確認し、特定当籤金に対する入札信号を発生するために内部にモデムなどの通信モジュールが備えられており、ウェブブラウザが備えられたユーザー端末機Ａ１〜Ａｎと、
前記広告主端末機Ｂ１〜Ｂｎから広告データを受信して登録し、前記ユーザー端末機Ａ１〜Ａｎから広告データ閲覧信号を受信したり、検索ポータルサーバーから検索ポータルの検索窓に出力される誘導検索語の選択信号を受けて広告費用を精算し、その広告費用を累積して特定時間帯になると時間経過に比例して累積金額情報を累積して出力させ、特定累積金額に対する入札信号を前記ユーザー端末機Ａ１〜Ａｎから受信して該当ユーザーを当籤者として選定して当籤金を支払い、次回の当籤金累積を実行するようにしたオンライン広告管理サーバーＯＡＭＳと、
前記オンライン広告管理サーバーＯＡＭＳと連動し、前記オンライン広告管理サーバーＯＡＭＳから受け取った広告データをホームページに掲載するための広告データ掲載サーバーと、
前記オンライン広告管理サーバーＯＡＭＳから転送された誘導検索語情報を特定検索語及びその検索語と類似な類似検索語と連動させてＤＢに格納し、特定検索語の入力信号をユーザー端末機Ａ１〜Ａｎから受信して類似検索語及び誘導検索語を検索窓に共に出力させ、誘導検索語の選択信号を受けて前記オンライン広告管理サーバーＯＡＭＳに転送する検索ポータルサーバーと、
から構成されたことを特徴とする、オンライン広告システム。
【請求項５５】
前記検索ポータルサーバーは、その検索窓を通じて類似検索語と一緒に出力される誘導検索語にはその誘導検索語を選択したユーザーに競売参加時間を提供するという情報が別に文字や図案で表示されるように構成されたことを特徴とする、請求項５４に記載のオンライン広告システム。
【請求項５６】
前記誘導検索語は、ユーザーが入力した検索語と類似する検索語であるか、全く異なる検索語であり、該全く異なる検索語は、特定検索語と一緒に連動してＤＢに構築されることを特徴とする、請求項５４に記載のオンライン広告システム。
【請求項５７】
オンライン広告管理サーバーＯＡＭＳが広告主端末機Ｂ１〜Ｂｎから特定検索語に対する誘導検索費用に対する登録申請及び特定検索ポータル情報を受信した状態で、該当検索ポータルサーバーに誘導検索語と競売時間表示情報を連係登録させる第１過程と、
前記検索ポータルサーバーが、特定検索語が検索窓に入力されるか否か判断する第２過程と、
該当検索語と関連してＤＢにあらかじめ構築された誘導検索語情報を抽出し、検索窓に出力させる第３過程と、
前記検索ポータルサーバーが、ユーザー端末機Ａ１〜Ａｎから競売時間積立が可能な誘導検索語を選択／入力した信号が受信されるか否か判断する第４過程と、
競売時間積立が可能な誘導検索語を選択／入力した信号が受信される場合には、該当検索結果データを前記ユーザー端末機Ａ１〜Ａｎに転送する第５過程と、
前記検索ポータルサーバーが前記オンライン広告管理サーバーＯＡＭＳに該当ユーザー別広告競売参加時間積立情報を転送する第６過程と、
前記オンライン広告管理サーバーＯＡＭＳが該当ユーザー別広告競売参加時間積立情報を更新処理し、各広告別積立金を全体累積積立金額に統合累積処理する第７過程と、
前記オンライン広告管理サーバーＯＡＭＳが、広告競売入札時間になったか否か判断する第８過程と、
広告競売入札時間になった場合には、前記オンライン広告管理サーバーＯＡＭＳは、該当統合累積された広告競売累積金額を一定時間単位（秒／分）で分割し、各時間単位の経過によって累積金額増加額を表示する第９過程と、
累積金額増加分が表示される途中に、前記オンライン広告管理サーバーＯＡＭＳが、あるユーザー端末機Ａ１〜Ａｎから入札信号が受信されるか否か判断する第１０過程と、
該当ユーザーのアカウント情報を認証して該当ユーザーに提供された競売参加時間以内に受信された入札信号か否かを判断する第１１過程と、
該当ユーザーに提供された競売参加時間が超過した状態で前記ユーザー端末機Ａ１〜Ａｎから転送された入札信号を受信した場合には、前記オンライン広告管理サーバーＯＡＭＳが該当入札者の当籤を取消処理する第１２過程と、
該当ユーザーに提供された競売参加時間内に前記ユーザー端末機Ａ１〜Ａｎから転送された入札信号が受信された場合には、前記オンライン広告管理サーバーＯＡＭＳが該当入札者を当籤者として確定して当籤金を支払処理する第１３過程と、
前記オンライン広告管理サーバーＯＡＭＳが、広告競売時間が終了したか否か判断する第１４過程と、
残余競売時間が存在する場合には再び前記ユーザー端末機Ａ１〜Ａｎから広告データクリック信号を受信して演算し、それによる全体累積金額を変更しながら次回の広告競売を進行する第１５過程と、
からなることを特徴とする、請求項５４に記載のシステムを用いるオンライン広告方法。
【発明の詳細な説明】
【技術分野】
【０００１】
本発明は、オンライン広告システム及びその方法に関するもので、多数の顧客が広告を閲覧する時にその代価として与える個人積立金を統合処理して実時間累積し、その累積された積立金を、ある顧客からの購買信号発生時に当該顧客に購買代金の割引率として提供されるようにすることによって、広告閲覧及びショッピングを活性化が図られるようにしたオンライン広告システム及びその方法に関する。
【背景技術】
【０００２】
国内外のオンライン市場が急速に成長しつつあり、このオンライン市場は、オンライン広告市場とオンラインショッピング市場とに大別されることができる。オンライン広告市場は終局には会社や製品に対する広告であるからショッピング市場と間接的に関連している市場であるが、オンライン市場を区分するに当っては、純粋なオンライン広告市場とショッピング市場とに分類する。
【０００３】
オンライン広告市場における主なマーケティング方向は、“どれくらい多くの顧客に該当の広告を露出させられるか”、“どれくらい效果的に有効消費顧客に広告を露出させられるか”という二つに分けられる。
【０００４】
オンラインショッピング市場は、“どれくらい多くの顧客に該当の商品を販売できるか”という一つの方向にマーケティングがなされている。
【０００５】
したがって、このようなオンライン広告市場とショッピング市場は結局として、多くの顧客に広告やショッピング情報を露出させて商品販売にまでつながるように導くことを目的としている市場であり、そのための様々な広告技法やショッピング活性化技法が提案されている。
【０００６】
広告技法やショッピング活性化技法の代表には、顧客に積立金を提供する方法がある。すなわち、この方法は、ある顧客が広告を閲覧したり、商品を購買した場合、その行為に見合う所定の積立金を当該顧客に提供することによってより多くの広告閲覧を誘導し、より多くの商品を購買できるようにする。
【０００７】
かかる従来の技法のように顧客が広告を閲覧したり、商品を購買した場合に積立金を提供する方法は、広告を閲覧したり、商品を購買した多数の顧客に策定されたマーケティング費用を分割して支払う方法である。
【発明の概要】
【発明が解決しようとする課題】
【０００８】
しかしながら、このような従来の技法は、個々の顧客の立場では支払われる積立金がわずかであるがためにこれといったメリットを感じることができず、その分、広告を通した販売者のマーケティングやショッピング活性化にあまり役に立たないという欠点があった。
【０００９】
また、広告とは違い、商品を購買するために商品情報を閲覧する場合には別段積立金を支払わないので、実購買者でないと商品情報を閲覧する行為もあまりせず、よって、ショッピングを活性化させる基盤を築くことができなかった。
【課題を解決するための手段】
【００１０】
本発明は上記従来技術の事情に鑑みてなされたもので、その目的は、多数の顧客が広告を閲覧する時に与える積立金を統合処理して実時間累積し、その累積された積立金、すなわち多数の会員が共同で積み立てておいた統合積立金を、ある顧客からの購買信号発生時に当該顧客の購買代金の割引率として提供されるようにすることによって、広告閲覧及びショッピングの活性化が図られるようにしたオンライン広告システム及びその方法を提供することにある。
【００１１】
本発明の他の目的は、多数の顧客が商品情報を閲覧する時に与える積立金を統合処理して実時間累積し、その累積された積立金、すなわち多数の会員が共同で積み立てておいた統合積立金を、ある顧客の購買信号発生時に当該顧客の購買代金の割引率として提供されるようにすることによって、積立金額を増やし、ショッピングの活性化が図られるようにしたオンライン広告システム及びその方法を提供することにある。
【００１２】
本発明のさらに他の目的は、多数の顧客が広告を閲覧する時に与える積立金を、各製品カテゴリ別または製品価格帯別または各製品別に統合処理して実時間累積し、その累積された積立金、すなわち統合積立金を、ある顧客からの購買信号発生時に当該顧客の購買代金の割引率として提供されるようにすることによって、広告閲覧及びショッピングの活性化が図られるようにしたオンライン広告システム及びその方法を提供するにある。
【００１３】
本発明のさらに他の目的は、各商品別に既存購買顧客に反映された割引率情報を閲覧可能に提供することによって、顧客がある程度の割引率において購買信号を発生させることが有利であるかを判断できるようにすることによって、ショッピングを活性化させるようにしたオンライン広告システム及びその方法を提供することにある。
【００１４】
本発明のさらに他の目的は、各広告別に相異なる累積ポイント情報を掲示することによって、顧客が広告選択に当たってより大きい累積ポイントが提供される広告がどの広告かを確認できるようにし、かつ、多数の顧客が広告を閲覧する時に与える積立金を統合処理して実時間累積し、その累積された積立金、すなわち多数の会員が共同で積み立てておいた統合積立金を、ある顧客からの購買信号発生時に当該顧客の購買代金の割引率として提供されるようにすることによって、広告閲覧及びショッピングの活性化が図られるようにしたオンライン広告システム及びその方法を提供することにある。
【００１５】
本発明のさらに他の目的は、販売者の広告視聴者に対する指定条件（年齢、性別、趣味など）によって各ユーザーの等級を分類し、多数の顧客が広告を閲覧する時に与える積立金を統合積立用として累積し、該当のユーザーが広告を閲覧する時に、ポイントが個人等級別に差等累積される等級別ポイントを提供し、該当の等級群別に分類されたあるユーザーが購買行為をすると、等級別ポイントが消尽されるようにしたオンライン広告システム及びその方法を提供することにある。
【００１６】
本発明のさらに他の目的は、ユーザーが特定商品を指定し、購買する時点の統合積立型ポイントをあらかじめ設定することによって、統合積立型ポイントがあらかじめ設定したユーザーの統合積立型ポイントとして累積されると、該当のユーザーから自動で購買信号が発生されるようにしたオンライン広告システム及びその方法を提供することにある。
【００１７】
本発明のさらに他の目的は、ユーザーのコンピュータ端末機にウェブブラウザと連動した別のプログラムを搭載し、あらかじめ販売者が設定した一定人員数のユーザーが該当の商品情報を閲覧する時点に、該当の商品情報を画面出力させているユーザーにのみ、商品購買時に受けることができる所定の特別割引ポイントをさらに提供するようにしたオンライン広告システム及びその方法を提供することにある。
【００１８】
本発明のさらに他の目的は、ウィンドウズ上で駆動される文書作成プログラム、イメージ編集プログラム、ゲームプログラム、ウィンドウズエクスプローラプログラムを含む各種アプリケーションの画面ページに連動してユーザーの購買希望商品情報及び統合積立型ポイント情報、購買決定手段が備えられた画面を該当の画面上に出力させるようにすることによって、ポイント情報確認を容易にし、購買決定信号を迅速に発生させるようにしたオンライン広告システム及びその方法を提供するにある。
【００１９】
本発明のさらに他の目的は、商品広告を出力させるウェブサーバーの広告費用に対する口座を広告／販売アシスタントが買収し、該当の広告商品が販売されると当該商品提供業者からインセンティブの精算処理がなされるように管理することによって、統合積立型ポイント提供システムに対する積極的な広報及び該当商品の販売活性化が図られるようにしたオンライン広告システム及びその方法を提供することにある。
【００２０】
本発明のさらに他の目的は、検索脱税と連係し、検索語入力窓に検索語を入力して出力される検索結果会社情報を、ユーザーの選択によって累積付与された統合積立型ポイントが高い順または、イベント発生順、地域順に画面出力を再整列するようにしたオンライン広告システム及びその方法を提供することにある。
【００２１】
本発明のさらに他の目的は、広告クリックによる個人別積立金額を統合累積し、あらかじめ設定された時間帯に一定時間単位に分割された当籤金を持続累積させ、累積途中にユーザーのクリックによって該当時点の当籤金をクリックユーザーに支払うようにすることによって、広告データのクリックを活性化にするようにしたオンライン広告システム及びその方法を提供することにある。
【００２２】
本発明のさらに他の目的は、特定ポータルやショッピングモールの全体ホームページに掲載された広告データに対してクリック当たりの当籤累積対象金額を分割し、統合累積当籤処理を行いながら、同時に各広告データ（または広告業者ホームページ）別個別累積当籤処理を行うようにすることによって、個別広告データまたは広告業者ホームページへのユーザー誘導を活性化させるようにしたオンライン広告システム及びその方法を提供することにある。
【００２３】
本発明のさらに他の目的は、ユーザーの広告クリックによって累積金額の当籤競売に参加できる参加時間を付与し、累積金額の当籤競売サービスに参加できるユーザーの参加時間を広告閲覧数字や広告閲覧時間で統制できるようにすることによって、より多くの広告閲覧を誘導するようにしたオンライン広告システム及びその方法を提供することにある。
【００２４】
本発明のさらに他の目的は、累積金額の当籤競売サービスに参加するための広告データをユーザーの携帯電話認証により無線インターネットを通じた該当ユーザーの携帯電話に出力させることによって、累積金額の当籤競売サービスに参加できる競売参加時間を自由に積立できるようにしたオンライン広告システム及びその方法を提供することにある。
【００２５】
本発明のさらに他の目的は、検索語入力窓に入力した特定検索語により検索語窓に出力されうるようにあらかじめ連動された多数の類似検索語のうち、特定誘導検索語に累積金額当籤競売サービスに参加できる時間積立額情報を表示し、時間積立額情報が表示された該当誘導検索語を選択／入力する場合、該当ユーザーに所定の競売参加時間を提供しながら検索結果を出力させることによって特定誘導検索語を入力するように誘導し、これによって検索語結果として特定広告を出力させるようにしたオンライン広告システム及びその方法を提供することにある。
【発明の効果】
【００２６】
上記の如く、本発明によるオンライン広告システム及びその方法は、多数の顧客は広告情報及び商品情報閲覧に対する代価として積立金を受け、この積立金は会員共同で累積されて会員統合積立型ポイントを実時間で形成し、ある顧客の購買信号によって会員が共同で累積した会員統合積立型ポイントを該当顧客の商品購買代金に対する割引率として支払うようにするため、広告閲覧を活性化させることができ、実時間でウェブサイトに掲示された会員統合積立型ポイントが変更されるので、消費の活性化を促進することができる。
【図面の簡単な説明】
【００２７】
【図１】本発明の第１実施例によるオンライン広告システムの構成を示す斜視図である。
【図２】本発明の第１実施例によるオンライン広告システムのデータ流れを示す状態図である。
【図３】本発明の第１実施例によるオンライン広告システムのサーバーで提供されるウェブサイト画面を示す図である。
【図４】本発明の第１実施例によるオンライン広告管理サーバーの構成を示すブロック構成図である。
【図５】本発明の第１実施例によるオンライン広告システムの信号流れを示すフローチャートである。
【図６】本発明の第２実施例によるオンライン広告システムを用いたウェブサイト画面を示す図である。
【図７】本発明の第２実施例によるオンライン広告システムを用いたウェブサイト画面を示す図である。
【図８】本発明の第２実施例によるオンライン広告システムの信号流れを示すフローチャートである。
【図９】本発明の第２実施例によるオンライン広告システムの信号流れを示すフローチャートである。
【図１０】本発明の第３実施例によるオンライン広告システムを用いたウェブサイトメイン画面を示す図である。
【図１１】本発明の第３実施例によるオンライン広告システムを通じたデータ処理状態を示す図面、
【図１２】本発明の第３実施例によるオンライン広告システムの信号流れを示すフローチャートである。
【図１３】本発明の第４実施例によるオンライン広告システムを通じたデータ処理状態を示す図である。
【図１４】本発明の第４実施例によるオンライン広告管理サーバーの構成を示すブロック構成図である。
【図１５】本発明の第４実施例によるオンライン広告システムの信号流れを示すフローチャートである。
【図１６】本発明の第５実施例によるオンライン広告システムを通じたデータ処理状態を示す図である。
【図１７】本発明の第５実施例によるオンライン広告管理サーバーの構成を示すブロック構成図である。
【図１８】本発明の第５実施例によるオンライン広告システムの信号流れを示すフローチャートである。
【図１９】本発明の第６実施例によるオンライン広告システムを通じたデータ処理状態を示す図である。
【図２０】本発明の第６実施例によるオンライン広告システムの信号流れを示すフローチャートである。
【図２１】本発明の第７実施例によるオンライン広告システムのユーザー端末機から出力されるウェブブラウザ画面を示す図である。
【図２２】本発明の第７実施例によるオンライン広告システムを通じたデータ処理状態を示す図である。
【図２３】本発明の第８実施例によるオンライン広告システムの構成を概略的に示す模式図である。
【図２４】本発明の第８実施例によるオンライン広告システムの信号流れを示すフローチャートである。
【図２５】本発明の第９実施例によるオンライン広告システムのサーバーで提供するウェブページ画面を示す図である。
【図２６】本発明の第９実施例によるオンライン広告システムの信号流れを示すフローチャートである。
【図２７】本発明の第１０実施例によるオンライン広告システムを概略的に示す模式図である。
【図２８】本発明の第１０実施例によるオンライン広告システムを通じて具現されるポータルサイトのホームページ画面を示す図である。
【図２９】本発明の第１０実施例によるオンライン広告システムに含まれたオンライン広告管理サーバーの構成を示すブロック構成図である。
【図３０】本発明の第１０実施例によるオンライン広告システムの信号流れを示すフローチャートである。
【図３１】本発明の第１０実施例によるオンライン広告システムの他の信号流れを示すフローチャートである。
【図３２】本発明の第１０実施例によるオンライン広告システムの他の信号流れを示すフローチャートである。
【図３３】本発明の第１０実施例によるオンライン広告システムの当籤者選定過程を示すフローチャートである。
【図３４】本発明の第１０実施例によるオンライン広告システムの当籤者選定過程を示すフローチャートである。
【図３５】本発明の第１１実施例によるオンライン広告システムを通じて具現されるポータルサイトのホームページ画面を示す図である。
【図３６】本発明の第１１実施例によるオンライン広告システムの信号流れを示すフローチャートである。
【図３７】本発明の第１１実施例によるオンライン広告システムの信号流れを示すフローチャートである。
【図３８】本発明の第１２実施例によるオンライン広告システムを通じて具現されるポータルサイトのホームページ画面を示す図である。
【図３９】本発明の第１２実施例によるオンライン広告システムの信号流れを示すフローチャートである。
【図４０】本発明の第１３実施例によるオンライン広告システムの構成を概略的に示す模式図である。
【図４１】本発明の第１３実施例によるオンライン広告システムの信号流れを示すフローチャートである。
【図４２】本発明の第１４実施例によるオンライン広告システムを通じて具現されるポータルサイトのホームページ画面を示す図である。
【図４３】本発明の第１４実施例によるオンライン広告システムを通じて具現されるポータルサイトのホームページ画面を示す図である。
【図４４】本発明の第１４実施例によるオンライン広告システムの信号流れを示すフローチャートである。
【発明を実施するための形態】
【００２８】
以下、本発明の第１実施例について図面を参照しつつ詳細に説明する。
【００２９】
図１は、本発明の第１実施例によるオンライン広告システムの構成を示す斜視図である。
【００３０】
同図を参照すると、本発明の第１実施例によるオンライン広告システムは、多数の顧客が広告を閲覧する時に与える積立金を統合処理して実時間累積し、その累積された積立金、すなわち多数の会員が共同で積み立てておいた統合積立金を、ある顧客からの購買信号発生時に該当顧客の購買代金の割引率として提供されるようにすることによって、広告閲覧及びショッピングの活性化が図られるようにしたオンライン広告システム及びその方法を提供することにその目的がある。
【００３１】
また、本発明の第１実施例によるオンライン広告システムは、多数の顧客が商品情報を閲覧する時に与える積立金を統合処理して実時間累積し、その累積された積立金、すなわち多数の会員が共同で積み立てておいた統合積立金を、ある顧客からの購買信号発生時に該当顧客の購買代金の割引率として提供されるようにすることによって、積立金額を増やし、ショッピングの活性化ができるようにしたシステムである。
【００３２】
すなわち、本発明の第１実施例によるオンライン広告システムは、基本的に、多数の顧客が商品のショッピングのために特定ショッピングモールに接続し、広告または商品情報を閲覧するためのボタンをクリックする瞬間、該当顧客のログイン情報を用いて該当顧客が同じ広告及び商品情報を閲覧したことがあるか否か判断し、該当商品情報及び広告への該当顧客の閲覧が新規である場合には該当顧客分に限って会員統合積立型ポイントを提供する。
【００３３】
ここで、会員統合積立型ポイントとは、多数の顧客が閲覧する広告及び商品情報に対する代価として与えるポイントを、全ての会員のポイントを統合して積み立てた状態で提供するポイントのことをいい、ある顧客が商品購買信号を発生させると、その時点以前まで積み立てられた全ての会員統合積立型ポイントを用いて該当商品に対する代金割引を受けることが可能になる。
【００３４】
従来の積立金システムは、単に自分の積立金を自分が利用することに過ぎず、相対的にその積立金額が非常に小さいため、ショッピングの活性化に全く寄与することができなかったが、本発明の第１実施例によるオンライン広告システムは、多数の会員が積み立てておいた会員統合積立型ポイントを商品を購買する特定顧客が使用することができるので、ショッピングの活性化に対する寄与度が非常に高い。
【００３５】
また、上記会員統合積立型ポイントは、所定額が積み立てられた状態で、ある顧客が商品を購買すると既に積み立てられたポイントがゼロ（０）状態に消尽するので、以降の時点に会員は再び広告及び商品情報を閲覧してポイントを積み立てることとなる。
【００３６】
したがって、本発明の第１実施例によるオンライン広告システムでは、該当ショッピングモールウェブサイトで画面出力される会員統合積立型ポイントが実時間で変動するようになる。
【００３７】
このため、本発明の第１実施例によるオンライン広告システムには、会員統合積立型ポイントを提供するオンライン広告管理サーバーＯＡＭＳのウェブページに接続し、そのウェブページに掲載された広告情報及び商品情報を閲覧するために、内部にモデムなどの通信モジュールが搭載されたユーザー端末機Ａ１〜Ａｎが提供される。
【００３８】
また、本発明の第１実施例によるオンライン広告システムには、顧客がユーザー端末機Ａ１〜Ａｎを通じて広告情報を閲覧できるようにオンライン広告管理サーバーＯＡＭＳのウェブページに広告情報を提供して掲載させるし、顧客の広告閲覧に対して所定の会員統合積立型ポイントを提供するための第１〜第Ｎ広告主端末機Ｂ１〜Ｂｎが提供される。
【００３９】
また、本発明の第１実施例によるオンライン広告システムには、顧客がユーザー端末機Ａ１〜Ａｎを通じて商品情報を閲覧できるようにオンライン広告管理サーバーＯＡＭＳのウェブページに商品情報を提供して販売するように掲載させるし、顧客の商品情報閲覧に対して所定の会員統合積立型ポイントを提供するための第１〜第Ｎ売主サーバーＣ１〜Ｃｎが提供される。
【００４０】
一方、本発明の第１実施例によるオンライン広告システムには、第１〜第Ｎ広告主端末機Ｂ１〜Ｂｎ及び第１〜第Ｎ売主サーバーＣ１〜Ｃｎから広告情報及び商品情報を受けてウェブページに掲載し、ユーザー端末機Ａ１〜Ａｎから転送される広告情報及び商品情報閲覧信号によって会員統合積立型ポイントを累積積立させ、顧客の商品購買信号を受けて該当顧客の購買代金に会員統合積立型ポイントを通じた割引処理を行い、積立型ポイントデータを更新させるように処理し、売主よりアップロードした商品を販売代行するオンライン広告管理サーバーＯＡＭＳが提供される。
【００４１】
また、オンライン広告管理サーバーＯＡＭＳに付加され、第１〜第Ｎ広告主端末機Ｂ１〜Ｂｎ、第１〜第Ｎ売主サーバーＣ１〜Ｃｎ及びユーザー端末機Ａ１〜Ａｎがオンライン広告管理サーバーＯＡＭＳへと接続可能にオンライン広告管理サーバーＯＡＭＳのＵＲＬをルーティングするウェブサーバーＷＢＳが提供され、また、オンライン広告管理サーバーＯＡＭＳには会員統合積立型ポイント更新情報、顧客購買信号、顧客情報、売主情報及び広告主情報を保存するための第１及び第２データベースＤＢ１，ＤＢ２が提供される。
【００４２】
したがって、本発明の第１実施例によるオンライン広告システムは、多数の顧客がオンライン広告管理サーバーＯＡＭＳより提供するウェブページに接続してそのオンライン広告管理サーバーＯＡＭＳのウェブページに掲載された広告情報及び商品情報を選択すると、該当会員の情報選択信号によって会員統合積立型ポイントが累積される。
【００４３】
この時、オンライン広告管理サーバーＯＡＭＳのウェブページに掲載された広告情報及び商品情報を多数の会員が選択しても、その積立金は、該当会員の個別積立金として積み立てられるのではなく、会員が共同で積み立てる会員統合積立型ポイントとして累積される。
【００４４】
また、オンライン広告管理サーバーＯＡＭＳのウェブページに累積された会員統合積立型ポイントは、該当ウェブページに掲載された商品情報を閲覧してその商品を購買しようとする会員に割引ポイントとして提供されるので、該会員統合積立型ポイントがある顧客に割引ポイントとして提供されると、その会員統合積立型ポイントは全部消尽され、再びゼロ状態（０）から積立型ポイントが累積し始まる。
【００４５】
したがって、オンライン広告管理サーバーＯＡＭＳは、会員のログインをチェックして認証処理し、接続する多数の会員の広告情報または商品情報選択状況をチェックして会員統合積立型ポイントを累積処理し、ある会員の購買信号の発生をチェックして該当購買会員に会員統合積立型ポイントを購買割引ポイントとして提供し、会員統合積立型ポイントを実時間更新処理する。
【００４６】
この時、オンライン広告管理サーバーＯＡＭＳは、顧客が広告情報をより積極的に閲覧できるように会員のログイン情報に基づいて該当顧客の年齢、性別、地域別に差別化された広告情報を提供することが好ましい。この時、顧客の年齢、性別、地域別に差別化された広告情報は、売主サーバーＣ１〜Ｃｎから提供された情報に基づいて構成すると良い。すなわち、売主は、該当販売物品に対するターゲット広告として顧客の年齢、性別、地域別に差別化された広告情報を構成するから、その広告情報を会員情報にマッチングさせて各顧客のコンピュータ端末機Ａ１〜Ａｎのウェブブラウザ別に差別化された広告の出力を実行することができる。
【００４７】
また、オンライン広告管理サーバーＯＡＭＳは、売主または広告業者の要求によってクリックして獲得できる最大積立金額があらかじめ設定されるようにすることができる。すなわち、売主や広告業者の要求によってオンライン広告管理サーバーＯＡＭＳに掲載されて販売される商品の最低販売価格があらかじめ設定されることができる。その場合、このような最低販売価格情報はオンライン広告管理サーバーＯＡＭＳに掲載されなければならない。
【００４８】
一方、オンライン広告管理サーバーＯＡＭＳでは、累積される積立金額別に広告掲載または商品情報掲載順序が差別化されることも可能であり、例えば、オンライン広告管理サーバーＯＡＭＳのウェブサイト最上端に出力される広告の場合には閲覧時に１０ポイントの累積積立金が提供されるとすれば、その下の広告には閲覧時に９ポイントの累積積立金が提供されるようにあらかじめ設定することができる。
【００４９】
また、オンライン広告管理サーバーＯＡＭＳでは、提供される積立金額を各広告及び商品情報別に設定でき、例えば、ある広告に１００ポイントがあらかじめ設定され、多数の顧客の選択によって１００ポイントの統合ポイントが全て支払われた状態では、該当広告がオンライン広告管理サーバーＯＡＭＳのウェブページから自動削除されるように設定することも可能である。
【００５０】
また、オンライン広告管理サーバーＯＡＭＳは、会員のログイン情報を通じて該当会員が誰か把握し、各会員別広告情報及び商品情報の閲覧情報を別々に管理し、同じ広告に対して同一会員の閲覧時に会員統合積立型ポイントが支払われないよう処理することが好ましい。
【００５１】
図２は、本発明の第１実施例によるオンライン広告システムのデータ流れを示す状態図である。
【００５２】
同図を参照すると、本発明の第１実施例によるオンライン広告システムは、多数の会員が広告情報及び商品情報を選択することによって会員統合積立型ポイントを提供し、これをある特定顧客の商品購買信号発生時まで統合累積処理し、購買信号発生時にこの会員統合積立型ポイントを割引ポイントとして支払うためのオンライン広告管理サーバーＯＡＭＳに、多数のユーザー端末機（例えば、Ａ１、Ａ２、Ａ３）が接続されており、広告情報及び販売情報をオンライン広告管理サーバーＯＡＭＳにアップロードするための広告主端末機Ｂ１及び売主サーバーＣ１が接続されている。
【００５３】
この状態で、オンライン広告管理サーバーＯＡＭＳは、広告主端末機Ｂ１及び売主サーバーＣ１からアップロードした広告情報及び商品情報を別のウェブページを通じて掲載し、これをユーザー端末機Ａ１，Ａ２，Ａ３を通じて顧客が閲覧可能に提供し、各広告情報及び商品情報別積立金情報を掲載処理する。
【００５４】
そして、オンライン広告管理サーバーＯＡＭＳは、ユーザー端末機Ａ１，Ａ２，Ａ３からウェブページに掲載された広告情報及び商品情報に対する閲覧信号が印加されると、該当広告情報及び商品情報に付与された積立金を会員統合積立型ポイントとして提供し、会員統合積立型ポイントの情報を更新させる。
【００５５】
この状態で、オンライン広告管理サーバーＯＡＭＳへあるユーザー端末機（例えば、Ａ３）から特定商品に対する購買信号が印加されると、該当時点まで累積された会員統合積立型ポイントを該当購買商品の割引ポイントとして提供処理し、オンライン広告管理サーバーＯＡＭＳは会員統合積立型ポイントを全て消尽させ、再び同じ累積処理を行う。
【００５６】
したがって、オンライン広告管理サーバーＯＡＭＳにおいて広告情報及び商品情報の閲覧に対するポイント累積は実時間で処理され、購買信号の印加によって会員統合積立型ポイントの消尽処理も実時間で処理される。
【００５７】
このような本発明の第１実施例によるオンライン広告システムのポイント提供行為は、多数の顧客が商品を購買する購買顧客にポイントを統合させて提供するという側面では一種の無尽講に似た形態を持つが、無尽講は、全ての会員が払い込んだ一定の累積金額を順番で使えるのに対し、本発明の第１実施例によるオンライン広告システムの統合積立型ポイントは購買顧客に限って受けることができるので、無尽講とはサービス自体が異なる。
【００５８】
図３は、本発明の第１実施例によるオンライン広告システムのサーバーで提供されるウェブサイト画面を示す図である。
【００５９】
図３を参照すると、オンライン広告管理サーバーＯＡＭＳのウェブサイトメイン画面２には、多数個の広告情報出力欄４が閲覧可能に掲載されており、オンライン広告管理サーバーＯＡＭＳは会員統合積立型ポイントを購買割引ポイントとして提供するので、そのウェブサイトメイン画面２にはポップアップ窓を通じて商品情報及び決済情報を出力させるための商品情報が掲載される。なお、この商品情報は、各カテゴリ別に分類された情報欄６を通じて構成され、そのカテゴリ別に選択可能な詳細商品情報欄８が備えられる。
【００６０】
また、顧客がコンピュータ端末機Ａ１〜Ａｎを用いて選択可能に設けられた広告情報出力欄４を選択すると該当広告情報を詳細出力させるポップアップ窓１２が連動してオンライン広告管理サーバーＯＡＭＳにハイパーリンク（Ｈｙｐｅｒ  Ｌｉｎｋ）状態で格納されており、オンライン広告管理サーバーＯＡＭＳのメイン画面に掲示された詳細商品情報欄８を選択すると該当商品情報の詳細情報がポップアップ窓１４として出力されるようにオンライン広告管理サーバーＯＡＭＳにハイパーリンク（Ｈｙｐｅｒ  Ｌｉｎｋ）状態で格納されており、詳細商品情報欄８で購買ボタン１６の選択を通じて該当商品を購買できるように構成されている。
【００６１】
一方、オンライン広告管理サーバーＯＡＭＳのウェブサイトメイン画面２の上端には多数の会員が広告情報出力欄４及び詳細商品情報欄８をクリックすることによって受けた統合ポイント累積情報を出力させるための統合ポイント累積情報欄１０が備えられており、商品を購買しようとする顧客は統合ポイント累積情報欄１０を確認し、該当累積金額を用いて製品購買代金に対する割引を受けながら商品を購買することができる。
【００６２】
図４は、本発明の第１実施例によるオンライン広告管理サーバーの構成を示すブロック構成図である。
【００６３】
同図を参照すると、オンライン広告管理サーバーＯＡＭＳは、第１〜第Ｎ広告主端末機Ｂ１〜Ｂｎ及び第１〜第Ｎ売主サーバーＣ１〜Ｃｎから広告情報及び商品情報を受けてウェブページに掲載し、ユーザー端末機Ａ１〜Ａｎから転送される広告情報及び商品情報閲覧信号によって会員統合積立型ポイントを累積積立させ、顧客の商品購買信号を受信して該当顧客の購買代金に対して会員統合積立型ポイントを通じた割引処理を行い、積立型ポイントデータを更新させるように処理し、売主よりアップロードした商品の販売代行処理を行う。
【００６４】
すなわち、オンライン広告管理サーバーＯＡＭＳは、多数の顧客が広告情報及び商品情報を閲覧する時にポイントを提供し、このポイントを統合させて更新処理し、ある顧客が特定商品に対する購買信号を発生させると該当購買顧客に既累積された会員統合積立型ポイントを全て購買割引金額として支払って消尽させ、これを反復することによってショッピング活性化及び広告閲覧を活性化させるようにしたサーバーである。
【００６５】
したがって、オンライン広告管理サーバーＯＡＭＳは、その内部に通信モジュール、広告情報管理部、商品情報管理部、会員情報管理部、情報閲覧管理部、会員統合積立金管理プロセッサ、決済処理プロセッサ、広告情報ＤＢ、商品情報ＤＢ、会員情報ＤＢ、情報閲覧ＤＢ、積立金変動情報ＤＢ、商品購買割引情報ＤＢ、制御部が構成されている。
【００６６】
参照符号１８は、第１〜第Ｎ広告主端末機Ｂ１〜Ｂｎ及び第１〜第Ｎ売主サーバーＣ１〜Ｃｎから広告情報及び商品情報を受けてウェブページに掲載し、ユーザー端末機Ａ１〜Ａｎから転送される広告情報及び商品情報閲覧信号を受信するためにモデムなどを備えた通信モジュールを表す。
【００６７】
参照符号２０は、第１〜第Ｎ広告主端末機Ｂ１〜Ｂｎから提供された広告情報をアップロードして掲載し、該当広告情報に対する顧客の接続状態を確認して管理する広告情報管理部を表す。
【００６８】
参照符号２２は、第１〜第Ｎ売主サーバーＣ１〜Ｃｎから提供された商品情報をアップロードして掲載し、該当商品情報に対する顧客の接続状態を確認して管理する商品情報管理部を表す。
【００６９】
参照符号２４は、会員別ターゲット広告が可能なように会員の性別、年齢、地域などの会員情報を管理する会員情報管理部を表し、参照符号２６は、広告情報管理部２０及び商品情報管理部２２と連動して広告情報及び商品情報に対する会員別閲覧情報を管理する情報閲覧管理部を表す。
【００７０】
参照符号２８は、ユーザー端末機Ａ１〜Ａｎから転送される広告情報及び商品情報閲覧信号を受信して会員統合積立金情報を更新し、あるユーザー端末機Ａ１〜Ａｎから転送される商品購買信号によって該当会員統合積立金を支払って該当統合積立金を消尽させるように処理する会員統合積立金管理プロセッサを表す。
【００７１】
参照符号３０は、会員統合積立金管理プロセッサ２８と連動してあるユーザー端末機Ａ１〜Ａｎから転送される商品購買信号によって既に積み立てられた会員統合積立金を通じて購買割引決済処理を行う決済処理プロセッサを表す。
【００７２】
参照符号３２ａは、第１〜第Ｎ広告主端末機Ｂ１〜Ｂｎから提供された広告情報を格納する広告情報ＤＢを表し、参照符号３２ｂは、第１〜第Ｎ売主サーバーＣ１〜Ｃｎから提供された商品情報を格納する商品情報ＤＢを表す。
【００７３】
参照符号３２ｃは、会員別ターゲット広告が可能なように会員の性別、年齢、地域などの会員情報を格納する会員情報ＤＢを表し、参照符号３２ｄは、広告情報管理部２０及び商品情報管理部２２と連動して広告情報及び商品情報に対する会員別閲覧情報を格納する情報閲覧ＤＢを表す。
【００７４】
参照符号３２ｅは、ユーザー端末機Ａ１〜Ａｎから転送される広告情報及び商品情報閲覧信号を受信して会員統合積立金情報を更新して格納し、ある顧客の商品購買信号によって支払われた該当会員統合積立金を更新して格納する積立金変動情報ＤＢを表す。
【００７５】
参照符号３２ｆは、会員統合積立金管理プロセッサ２８と連動してあるユーザー端末機Ａ１〜Ａｎから転送される商品購買信号によって既に積み立てられた会員統合積立金を通じて購買割引された情報を格納する商品購買割引情報ＤＢを表す。
【００７６】
参照符号３４は、第１〜第Ｎ広告主端末機Ｂ１〜Ｂｎ及び第１〜第Ｎ売主サーバーＣ１〜Ｃｎから広告情報及び商品情報を受けてウェブページに掲載し、ユーザー端末機Ａ１〜Ａｎから転送される広告情報及び商品情報閲覧信号によって会員統合積立金管理プロセッサ２８を駆動させて会員統合積立型ポイントを累積積立させ、顧客の商品購買信号を受信して決済処理プロセッサ３０を通じて該当顧客の購買代金に会員統合積立型ポイントを通じた割引処理を行い、会員統合積立金管理プロセッサ２８を駆動させて積立型ポイントデータを更新させるように処理することによって、売主よりアップロードした商品を販売代行処理を行い、広告閲覧を活性化させるように制御する制御部を表す。
【００７７】
上記した構成の本発明の第１実施例によるオンライン広告システムの機能及び作用を、添付の図面を参照しつつ詳細に説明する。
【００７８】
図５は、本発明の第１実施例によるオンライン広告システムの信号流れを示すフローチャートである。
【００７９】
まず、本発明の第１実施例によるオンライン広告システムは、多数の会員が広告情報及び商品情報を選択すると会員統合積立型ポイントを提供し、これをある特定顧客からの商品購買信号発生時まで統合累積処理し、購買信号発生時にこの会員統合積立型ポイントを割引ポイントとして支払うためのオンライン広告管理サーバーＯＡＭＳに多数のユーザー端末機（例えば、Ａ１、Ａ２、Ａ３）が接続されており、広告情報及び販売情報をオンライン広告管理サーバーＯＡＭＳにアップロードするための広告主端末機Ｂ１及び売主サーバーＣ１が接続されている。
【００８０】
この状態で、広告主端末機Ｂ１〜Ｂｎ及び売主サーバーＣ１〜Ｃｎはオンライン広告管理サーバーＯＡＭＳに接続し、広告情報及び商品情報をオンライン広告管理サーバーＯＡＭＳにアップロードし、オンライン広告管理サーバーＯＡＭＳはアップロードされた広告情報及び商品情報を別のウェブページを通じて掲載する（ＳＴ−１〜ＳＴ−２）。
【００８１】
続いて、オンライン広告管理サーバーＯＡＭＳは、ユーザー端末機Ａ１〜ＡｎからＩＤ及びパスワード情報が転送されると（ＳＴ−３）、該当情報を認証処理して顧客のログイン処理を行う（ＳＴ−４）。
【００８２】
そして、オンライン広告管理サーバーＯＡＭＳは、ユーザー端末機Ａ１〜Ａｎから特定広告または商品情報に対する閲覧信号が印加されるか否か判断し（ＳＴ−５）、閲覧信号が印加された場合には、あらかじめ格納された該当広告または商品情報を閲覧した会員情報を抽出して比較することによって、該当顧客が以前に同じ広告または商品情報を閲覧したことがあるか否か判断する（ＳＴ−６）。
【００８３】
もし、上記オンライン広告管理サーバーＯＡＭＳの判断結果、該当顧客が以前に該当広告及び商品情報を閲覧したことがない場合では、オンライン広告管理サーバーＯＡＭＳは、該当顧客の閲覧行為によって所定のポイントを提供し、該当ポイントを累積演算し（ＳＴ−７）、会員統合積立型ポイント情報を更新処理する（ＳＴ−８）。
【００８４】
一方、上記オンライン広告管理サーバーＯＡＭＳの判断結果、該当顧客が以前に該当広告及び商品情報を閲覧したことがある場合では、オンライン広告管理サーバーＯＡＭＳは、該当顧客による会員統合積立型ポイントの累積処理を行なわない。
【００８５】
また、オンライン広告管理サーバーＯＡＭＳは、あるユーザー端末機Ａ１〜Ａｎから特定商品に対する購買信号が印加されるか否か判断し（ＳＴ−９）、もしあるユーザー端末機Ａ１〜Ａｎから特定商品に対する購買信号が印加されると、オンライン広告管理サーバーＯＡＭＳは、該当時点まで累積された会員統合積立型ポイントを該当購買商品の割引ポイントとして提供する（ＳＴ−１０）。
【００８６】
また、オンライン広告管理サーバーＯＡＭＳは、会員統合積立型ポイントを最初のゼロ状態（０）に更新する（ＳＴ−１１）。この時、オンライン広告管理サーバーＯＡＭＳは、別の新規広告または商品情報のアップロード信号が印加されるか否か判断し（ＳＴ−１２）、新規広告または商品情報のアップロード信号が印加された場合には、該当情報のアップロード段階に復帰し、新規広告または商品情報のアップロード信号が印加されなかった場合には、顧客ログイン段階に復帰して会員統合積立金提供処理及び商品購買顧客に対する販売行為を反復する。
【００８７】
したがって、オンライン広告管理サーバーＯＡＭＳは、広告情報及び商品情報の閲覧に対するポイント累積を実時間で処理し、購買信号の印加によって会員統合積立型ポイントの消尽処理も実時間で処理することとなる。
【実施例】
【００８８】
以下、本発明の第２実施例について図面を参照しつつ詳細に説明する。
【００８９】
図６及び図７は、本発明の第２実施例によるオンライン広告システムを用いたウェブサイト画面を示す図である。
【００９０】
同図を参照すると、本発明の第２実施例によるオンライン広告システムは、多数の顧客が広告を閲覧する時に与える積立金を各製品カテゴリ別または製品価格帯別または各製品別に統合処理して実時間累積し、その累積された積立金、すなわち積み立てておいた統合積立金を、ある顧客からの購買信号発生時に多数の会員が共同で該当顧客の購買代金の割引率として提供されるようにすることによって、広告閲覧及びショッピングの活性化が図られるようにしたシステムである。
【００９１】
すなわち、オンライン広告管理サーバーＯＡＭＳより提供する会員統合積立型ポイントは、全体商品を対象として提供される統合ポイントであっても良く、各製品カテゴリ別または製品価格帯別または各製品別にそれぞれ別の統合ポイントを提供しても良い。
【００９２】
好ましくは、オンライン広告管理サーバーＯＡＭＳより提供する会員統合積立型ポイントは、全体商品を対象にすることよりは、各製品カテゴリ別または製品価格帯別または各製品別に差別化して提供すると良い。
【００９３】
その理由は、オンライン広告管理サーバーＯＡＭＳで販売する各製品や、製品カテゴリ別販売価格が相異なるので、例えば自動車を購買しようとする顧客にとっては２万ウォンの割引購買ポイントが購買代金に対して極めて少ない比率であるが、５万ウォン相当のジーンズを購買しようとする顧客にとっては２万ウォンの割引購買ポイントは非常に大きい比率であるから、各製品別または各製品カテゴリ別に累積されるポイント金額が差別化されることが好ましいわけである。より正確には、各製品の販売価格別に差別化された積立金累積が実行されなければならない。
【００９４】
このために、図６に示すように、オンライン広告管理サーバーＯＡＭＳのウェブサイトメイン画面４０には、各カテゴリ別または各製品別、各製品販売価格帯別に統合ポイント累積情報欄４６を構成し、該当カテゴリでの広告４２または商品情報４８の閲覧時に該当カテゴリ４４に掲示された統合ポイント累積情報欄４６に累積ポイントが更新されるようにしたり、各製品別、製品価格帯別に付加された統合ポイント累積情報欄４６に累積ポイントが更新されるようにすることができる。
【００９５】
したがって、オンライン広告管理サーバーＯＡＭＳのウェブサイトには、ある製品カテゴリを選択すると、メイン画面４０に掲示された広告情報出力欄４２と相異なる別の広告情報出力欄（図示せず）が掲示されるようにすることができる。
【００９６】
また、図７に示すように、オンライン広告管理サーバーＯＡＭＳのウェブサイトメイン画面６０には、各製品販売価格帯別に統合ポイント累積情報欄６６を構成し、該当カテゴリでの広告６２または商品情報７２閲覧時に、各製品販売価格帯別に掲示された統合ポイント累積情報欄６６に累積ポイントが更新されるようにする。
【００９７】
すなわち、本発明の第２実施例によるオンライン広告システムは、顧客が広告情報６２または商品情報７２の閲覧時に会員統合積立型ポイントを提供するが、その会員統合積立型ポイントの提供時には、該当顧客があらかじめ分類された多数の製品価格帯を選択して、ある製品価格帯に付加された会員統合積立型ポイントを累積処理するようにすることができる。
【００９８】
より詳細には、オンライン広告管理サーバーＯＡＭＳのウェブサイトにはそのオンライン広告管理サーバーＯＡＭＳで販売される多数の製品を製品価格帯別にあらかじめ分類する。例えば“０〜１万ウォン”、“１〜５万ウォン”、“５〜１０万ウォン”、“１０〜３０万ウォン”、“３０〜１００万ウォン”、“１００〜５００万ウォン”、“５００万ウォン以上”とあらかじめ価格帯が分類されており、したがって、顧客が広告情報６２または商品情報７２を閲覧した場合、提供される会員統合積立型ポイントに対して顧客が直接製品価格帯を選択し、この選択した製品価格帯の会員統合積立型ポイントが累積処理されるようにすることが好ましい。したがって、顧客は、自分がショッピンしようとする価格帯に付加された会員統合積立型ポイントに自分が獲得したポイントを累積処理可能になる。
【００９９】
上記した構成の本発明の第２実施例によるオンライン広告システムの機能及び作用を、添付の図面を参照しつつ詳細に説明する。
【０１００】
図８及び図９は、本発明の第２実施例によるオンライン広告システムの信号流れを示すフローチャートである。
【０１０１】
まず、図８は、各カテゴリ別に会員統合積立型ポイントを提供する本発明の第２実施例によるオンライン広告システムの信号流れを示す図である。本発明の第２実施例によるオンライン広告システムは、多数の会員が広告情報及び商品情報を選択すると会員統合積立型ポイントを提供し、これをある特定顧客からの商品購買信号発生時まで統合累積処理し、購買信号発生時に会員が共同で積み立てた会員統合積立型ポイントを該当顧客の割引ポイントとして支払うオンライン広告管理サーバーＯＡＭＳに多数のユーザー端末機（例えば、Ａ１、Ａ２、Ａ３）が接続されており、広告情報及び販売情報をオンライン広告管理サーバーＯＡＭＳにアップロードするための広告主端末機Ｂ１及び売主サーバーＣ１が接続されている。
【０１０２】
この状態で、オンライン広告管理サーバーＯＡＭＳは、ユーザー端末機Ａ１〜ＡｎからＩＤ及びパスワード情報が転送されると（ＳＴ−２０）、該当情報を認証処理して顧客のログイン処理を行う（ＳＴ−２１）。
【０１０３】
続いて、オンライン広告管理サーバーＯＡＭＳは、ユーザー端末機Ａ１〜Ａｎから特定広告または商品情報に対する閲覧信号が印加されるか否か判断し（ＳＴ−２２）、閲覧信号が印加された場合には、オンライン広告管理サーバーＯＡＭＳは、データベースに格納された多数商品のカテゴリ情報を抽出する（ＳＴ−２３〜ＳＴ−２４）。
【０１０４】
そして、オンライン広告管理サーバーＯＡＭＳは、該当ユーザー端末機Ａ１〜Ａｎに該当カテゴリのうちいずれかのカテゴリを選択要請する信号を転送する（ＳＴ−２５）。これによって、オンライン広告管理サーバーＯＡＭＳは、ユーザー端末機Ａ１〜Ａｎに転送されたカテゴリ選択信号を通じて該当カテゴリ別に累積された会員統合積立型ポイントを累積更新する（ＳＴ−２６）。
【０１０５】
この状態で、オンライン広告管理サーバーＯＡＭＳは、あるユーザー端末機Ａ１〜Ａｎから特定商品に対する購買信号が印加されるか否か判断し（ＳＴ−２７）、もし、あるユーザー端末機Ａ１〜Ａｎから特定商品に対する購買信号が印加されると、オンライン広告管理サーバーＯＡＭＳは、該当顧客が選択した商品のカテゴリ情報及び該当カテゴリ別に累積された会員統合積立型ポイント情報を抽出し（ＳＴ−２８）、その会員統合積立型ポイントを該当購買商品の割引ポイントとして提供処理する（ＳＴ−２９）。
【０１０６】
また、オンライン広告管理サーバーＯＡＭＳは、該当カテゴリ別の会員統合積立型ポイントを最初のゼロ状態（０）に更新処理する（ＳＴ−３０）。
【０１０７】
したがって、オンライン広告管理サーバーＯＡＭＳは、広告情報及び商品情報の閲覧に対するポイント累積を各カテゴリ別に実時間処理し、購買信号の印加によって会員統合積立型ポイントの消尽処理も実時間で処理することとなる。
【０１０８】
図９は、各商品価格帯別に会員統合積立型ポイントを提供する本発明の第２実施例によるオンライン広告システムの信号流れを示す図である。本発明の第２実施例によるオンライン広告システムは、多数の会員が広告情報及び商品情報を選択すると会員統合積立型ポイントを提供し、これをある特定顧客からの商品購買信号発生時まで統合累積処理し、購買信号発生時に会員が共同で積み立てた会員統合積立型ポイントを該当顧客の割引ポイントとして支払うオンライン広告管理サーバーＯＡＭＳに多数のユーザー端末機（例えば、Ａ１、Ａ２、Ａ３）が接続されており、広告情報及び販売情報をオンライン広告管理サーバーＯＡＭＳにアップロードするための広告主端末機Ｂ１及び売主サーバーＣ１が接続されている。
【０１０９】
この状態で、オンライン広告管理サーバーＯＡＭＳは、ユーザー端末機Ａ１〜ＡｎからＩＤ及びパスワード情報が転送されると（ＳＴ−３１）、該当情報を認証処理して顧客のログイン処理を行う（ＳＴ−３２）。
【０１１０】
続いて、オンライン広告管理サーバーＯＡＭＳは、ユーザー端末機Ａ１〜Ａｎから特定広告または商品情報に対する閲覧信号が印加されるか否か判断し（ＳＴ−３３）、閲覧信号が印加された場合にはオンライン広告管理サーバーＯＡＭＳはデータベースに格納された多数商品の価格帯情報を抽出する（ＳＴ−３４）。
【０１１１】
そして、オンライン広告管理サーバーＯＡＭＳは、該当ユーザー端末機Ａ１〜Ａｎに該当カテゴリのうちいずれかの商品価格帯を選択要請する信号を転送する（ＳＴ−３５）。これによって、オンライン広告管理サーバーＯＡＭＳは、ユーザー端末機Ａ１〜Ａｎに転送された商品価格帯選択信号を通じて該当商品価格帯に対してあらかじめ累積された会員統合積立型ポイントに与えられたポイントを累積更新する（ＳＴ−３７）。
【０１１２】
この状態で、オンライン広告管理サーバーＯＡＭＳは、あるユーザー端末機Ａ１〜Ａｎから特定商品に対する購買信号が印加されるか否か判断し（ＳＴ−３８）、もし、あるユーザー端末機Ａ１〜Ａｎから特定商品に対する購買信号が印加されると、オンライン広告管理サーバーＯＡＭＳは、該当顧客が選択した商品の価格帯情報及び該当価格帯別に累積された会員統合積立型ポイント情報を抽出し（ＳＴ−３９）、その会員統合積立型ポイントを該当購買商品の割引ポイントとして提供処理する（ＳＴ−４０）。
【０１１３】
また、オンライン広告管理サーバーＯＡＭＳは、該当商品価格帯別の会員統合積立型ポイントを最初のゼロ状態（０）に更新処理する（ＳＴ−４１）。
【０１１４】
したがって、オンライン広告管理サーバーＯＡＭＳは、広告情報及び商品情報の閲覧に対するポイント累積を各カテゴリ別に実時間処理し、購買信号の印加によって会員統合積立型ポイントの消尽処理も実時間で処理することとなる。
【０１１５】
以下、本発明の第３実施例について図面を参照しつつ詳細に説明する。
【０１１６】
図１０は、本発明の第３実施例によるオンライン広告システムを通じたウェブサイトメイン画面を示す図である。
【０１１７】
同図を参照すると、本発明の第３実施例によるオンライン広告システムは、各広告別に相異なる累積ポイント情報を掲示し、顧客が広告選択時に一層大きい累積ポイントが提供される広告がどんな広告かを確認することができるようにし、多数の顧客が広告を閲覧する時に与える積立金を統合処理して実時間累積し、その累積された積立金、すなわち多数の会員が共同で積み立てておいた統合積立金を、ある顧客の購買信号発生時に該当顧客の購買代金の割引率として提供されるようにすることによって、広告閲覧及びショッピングの活性化が図られるようにしたシステムである。
【０１１８】
また、本発明の第３実施例によるオンライン広告システムは、広告主によりあらかじめサーバーに該当広告閲覧を通じて提供できる積立金限界値を設定し、該当広告閲覧を通じてあらかじめ設定された積立金が全て支払われた状態には、その広告に積立金支払不可広告ということを表示する表示語句が含まれるようにしたシステムである。
【０１１９】
すなわち、本発明の第３実施例によるオンライン広告システムは、広告主の選択によって１回広告閲覧時に提供するポイント情報があらかじめ広告内に掲載されるようにし、あらかじめ広告料を決めておき、該当広告料に該当する分だけ広告閲覧時に積立金を提供するようにすることによって、一定の金額で効果的な広告を実行できるようにし、顧客には各広告別に、閲覧時の提供されるポイント金額情報及びポイント支払可否に対する情報を露出させることによって、顧客が選択できるようにしたシステムである。
【０１２０】
例えば、図１０に示すように、本発明の第３実施例によるオンライン広告システムに備えられたオンライン広告管理サーバーＯＡＭＳのウェブページ８０には、多数の広告情報８２が掲載されており、各広告情報８２内には、該当広告の閲覧時に獲得できるポイント金額情報８４が含まれている。また、ウェブページ８０には、多数会員が共同で積み立てる統合ポイント累積情報８６が掲載されている。
【０１２１】
したがって、顧客はオンライン広告管理サーバーＯＡＭＳのウェブページ８０に掲載された各広告別ポイント金額情報８４を通じて大きいポイント金額順に広告を閲覧し、会員統合積立型ポイントをより效果的に累積させることができる。
【０１２２】
また、オンライン広告管理サーバーＯＡＭＳは、ウェブページ８０に掲載された各広告別ポイント金額情報８４を大きいポイント金額の順番で配置し、顧客の閲覧がより容易となるように構成することが好ましい。
【０１２３】
一方、オンライン広告管理サーバーＯＡＭＳは、広告主の要求によってあらかじめ該当広告閲覧を通じて支払う全体ポイント金額を設定し、多数の顧客が１回閲覧のたびに該当全体ポイント金額から１回広告閲覧時に支払われるポイントを削減する方式で一定広告支払金額を設定することができる。この時、オンライン広告管理サーバーＯＡＭＳは、各広告別に設定された全体ポイント金額が全て消尽された場合、該当広告主端末機Ｂ１〜Ｂｎに広告ポイント金額消尽情報を転送する。
【０１２４】
また、オンライン広告管理サーバーＯＡＭＳは、各広告別に設定された全体ポイント金額が全て消尽された場合、自動でウェブページ８０から該当広告情報を削除したり、低い順位に広告情報を再配置できるようにしたプログラムが搭載されている。
【０１２５】
図１１は、本発明の第３実施例によるオンライン広告システムを用いたデータ処理状態を示す図である。
【０１２６】
同図を参照すると、本発明の第３実施例によるオンライン広告システムにおいてオンライン広告管理サーバーＯＡＭＳには広告ポイント支払管理プログラム（図示せず）が搭載されており、この広告ポイント支払管理プログラムを通じて、オンライン広告管理サーバーＯＡＭＳは広告主端末機（例えば、Ｂ１）から転送された設定情報を登録させ、該当広告主の設定金額と比較しながら、顧客の広告閲覧時にポイント支払を行うようになる。
【０１２７】
すなわち、広告主端末機Ｂ１は、オンライン広告管理サーバーＯＡＭＳに、広告閲覧時に提供する全体ポイント金額（例えば、２万ポイント）をあらかじめ設定する。そして、広告主端末機Ｂ１は、オンライン広告管理サーバーＯＡＭＳに、広告１回閲覧時に提供するポイント金額（例えば、２０ポイント）情報をあらかじめ設定する。
【０１２８】
すると、オンライン広告管理サーバーＯＡＭＳは、各広告主別に１回広告閲覧時に提供するポイント及び全体支払ポイントを設定した状態で、ある顧客の広告選択信号がユーザー端末機Ａ１から転送されると該当広告のポイント設定情報を抽出し、該当広告の支払残余ポイントが存在するか否か判断し、該当広告の支払残余ポイントが存在しないと、ウェブページ８０に掲示された広告情報８２に広告閲覧時ポイント支払不可情報を掲示する。
【０１２９】
そして、オンライン広告管理サーバーＯＡＭＳは、該当広告主端末機Ｂ１にポイント消尽情報を転送し、ポイント充填を行うようにする。
【０１３０】
また、時によっては、オンライン広告管理サーバーＯＡＭＳが、支払ポイントを全て消尽した広告情報８２に対してはその広告情報８２を他の広告情報よりも低い順位で画面に出力されるように自動設定することが可能である。
【０１３１】
上記した構成の本発明の第３実施例によるオンライン広告システムの機能と作用を、添付の図面を参照して詳細に説明する。
【０１３２】
図１２は、本発明の第３実施例によるオンライン広告システムの信号流れを示すフローチャートである。
【０１３３】
まず、本発明の第３実施例によるオンライン広告システムは、広告主端末機Ｂ１はオンライン広告管理サーバーＯＡＭＳに、広告閲覧時に提供する全体ポイント金額をあらかじめ設定する（ＳＴ−５０）。そして、広告主端末機Ｂ１は、オンライン広告管理サーバーＯＡＭＳに、広告１回閲覧時に提供するポイント金額（例えば、２０ポイント）情報をあらかじめ設定する（ＳＴ−５１）。
【０１３４】
すると、オンライン広告管理サーバーＯＡＭＳは、各広告主別に１回広告閲覧時に提供するポイント及び全体支払ポイントを設定登録する（ＳＴ−５３及びＳＴ−５４）。続いて、オンライン広告管理サーバーＯＡＭＳは、ある顧客の広告閲覧信号がユーザー端末機Ａ１から転送されるか否か判断する（ＳＴ−５５）。
【０１３５】
もし、ある顧客の広告閲覧信号がユーザー端末機Ａ１から転送されると、オンライン広告管理サーバーＯＡＭＳは、該当広告のポイント設定情報を抽出し（ＳＴ−５６）、該当広告の支払残余ポイントが存在するか否か判断する（ＳＴ−５７）。
【０１３６】
もし、該当広告の支払残余ポイントが存在しない場合には、ウェブページ８０に掲示された広告情報８２に広告閲覧時ポイント支払不可情報を掲示し（ＳＴ−５８）、オンライン広告管理サーバーＯＡＭＳは、該当広告主端末機Ｂ１にポイント消尽情報を転送してポイント充填を行うようにする（ＳＴ−５９）。
【０１３７】
一方、該当広告の支払残余ポイントが存在する場合には、オンライン広告管理サーバーＯＡＭＳは、該当のあらかじめ累積された会員統合積立型ポイントに与えられたポイントを累積更新する（ＳＴ−６０）。
【０１３８】
この状態で、オンライン広告管理サーバーＯＡＭＳは、あるユーザー端末機Ａ１〜Ａｎから特定商品に対する購買信号が印加されるか否か判断し（ＳＴ−６１）、もし、あるユーザー端末機Ａ１〜Ａｎから特定商品に対する購買信号が印加されると、オンライン広告管理サーバーＯＡＭＳは会員統合積立型ポイント情報を抽出し（ＳＴ−６２）、その会員統合積立型ポイントを該当購買商品の割引ポイントとして提供処理する（ＳＴ−６３）。
【０１３９】
また、オンライン広告管理サーバーＯＡＭＳは、会員統合積立型ポイントを最初のゼロ状態（０）に更新処理する（ＳＴ−６４）。
【０１４０】
一方、場合によっては、オンライン広告管理サーバーＯＡＭＳが支払ポイントを全て消尽した広告情報８２に対しては、ウェブサイトに掲示された該当広告情報８２を他の広告情報よりも低い順位で画面に出力されるように自動設定することが可能である。
【０１４１】
以下、本発明の第４実施例について図面を参照しつつ詳細に説明する。
【０１４２】
図１３は、本発明の第４実施例によるオンライン広告システムを通じたデータ処理状態を示す図である。
【０１４３】
同図を参照すると、本発明の第４実施例によるオンライン広告システムは、販売者の広告閲覧者に対する指定条件（年齢、性別、趣味など）によって各ユーザーの等級を分類し、多数の顧客が広告を閲覧する時に与える積立金を統合積立用に累積し、該当ユーザーが広告を閲覧する時に、ポイントが個人等級別に差等累積される等級別ポイントを提供し、該当等級群別に分類されたあるユーザーが購買行為をすると、等級別ポイントが消尽されるようにしたシステムである。
【０１４４】
すなわち、本発明の第４実施例によるオンライン広告システムは、販売者が、広告を閲覧する閲覧者の指定条件（年齢、性別、趣味など）によってユーザーの等級を多数個に分類し、ユーザーが広告を閲覧する時に、自動で累積される会員統合積立型ポイントと無関係に、該当ユーザーの等級によって別の等級別割引ポイントを個人別に累積できるようにし、該当ユーザーが商品購買をする場合に限って該当等級別割引ポイントを使用することができるようにしたシステムである。
【０１４５】
これにより、本発明の第４実施例によるオンライン広告システムは、販売者が販売しようとする商品の購買範囲に該当するユーザーにより多くの等級別割引ポイントを提供できるようにする。この時、販売者とは、商品販売のための様々な商品広告をオンライン広告管理サーバーＯＡＭＳに掲示した状態で、オンライン広告管理サーバーＯＡＭＳに掲示された商品情報をユーザーがクリックする時に、該当ユーザーの等級を考慮して差別化された等級別割引ポイントを提供するようにした者のことを指し、よって、販売者は広告主と一致することもできる。
【０１４６】
例えば、販売者または広告主は、各販売商品のターゲットユーザー層をあらかじめ定め、そのターゲットユーザー層によって多数の等級を分類し、あらかじめオンライン広告管理サーバーＯＡＭＳに登録するようにする。すなわち、ＭＰ３のような製品の場合には、青少年階層や、２０代及び３０代序盤の人々が購買する製品で、男性よりは女性の購買率がより高く、音楽が趣味であるユーザーが購買する確率がより高く、地域においては首都圏に住むユーザーが購買確率がより高いので、年齢、地域、趣味、性別を全て考慮して製品別にターゲット等級を定めると良い。
【０１４７】
等級は、大きく、Ａ、Ｂ、Ｃ等級順とし、ターゲット等級（Ａ等級）から一定順序に決めると良く、より細分化された等級に分類しても良い。
【０１４８】
オンライン広告管理サーバーＯＡＭＳに多数のユーザー等級が製品別に分類されて登録されている状態で、ある特定ユーザー端末機Ａ１〜Ａｎから特定製品情報または広告を選択して閲覧するための信号が印加されると、オンライン広告管理サーバーＯＡＭＳは、該当ユーザーが選択した製品または広告情報を抽出し、該当ユーザーのログイン情報を通じてあらかじめ登録された等級情報を抽出し、該当ユーザーに特別購買割引ポイントをより多く支払うこととなる。この時、特別購買割引ポイントとは、該当ユーザーが購買信号を発生する場合に限って追加に割引されるポイントのことを指す。
【０１４９】
図１４は、本発明の第４実施例によるオンライン広告管理サーバーの構成を示すブロック構成図である。
【０１５０】
同図を参照すると、製品別等級情報を販売者または広告主があらかじめ登録し、ユーザー端末機Ａ１〜Ａｎが閲覧信号を発生させた製品を確認し、あらかじめ登録された等級情報を抽出し、ユーザーのログイン情報を用いて該当ユーザーの属した等級を判断し、その等級に該当する特別購買割引ポイントをユーザーに提供するための全体制御を行うオンライン広告管理サーバーＯＡＭＳは、その内部に通信モジュール及びユーザー認証プロセッサ、制御部、販売商品別等級分類プロセッサ、ユーザー接続チェックプロセッサ、統合積立型ポイント管理プロセッサ、等級別ポイント管理プロセッサ、購買信号チェックプロセッサが備えられている。
【０１５１】
参照符号１００は、広告主サーバーＢ１〜Ｂｎ及び売主サーバーＣ１〜Ｃｎ、ユーザーコンピュータ端末機Ａ１〜Ａｎが接続され、各種データをアップロード及びダウンロードできるようにプロトコルをマッチングさせ、データ互換処理を行う通信モジュールを表す。
【０１５２】
参照符号１０４は、ユーザーコンピュータ端末機Ａ１〜Ａｎから転送されたユーザーのログイン情報を通じて該当ユーザーの認証を行う公知のユーザー認証プロセッサを表す。
【０１５３】
参照符号１０２は、製品別等級情報をあらかじめ登録し、ユーザー端末機Ａ１〜Ａｎが閲覧信号を発生させた製品を確認し、あらかじめ登録された等級情報を抽出し、ユーザーのログイン情報を用いて該当ユーザーの属した等級を判断し、その等級に該当する特別購買割引ポイントをユーザーに提供するための全体プロセッサを制御する制御部を表す。
【０１５４】
参照符号１０６ａは、広告主サーバーＢ１〜Ｂｎ及び売主サーバーＣ１〜Ｃｎから転送された販売商品別情報及び該当商品別ユーザーの等級分類情報を登録させ、接続したユーザーを確認し、該当ユーザーに対する商品別等級を指定する販売商品別等級分類プロセッサを表す。
【０１５５】
参照符号１０６ｂは、通信モジュール１００を通じて信号接続されたユーザー端末機Ａ１〜Ａｎの接続状態をチェックするためのユーザー接続チェックプロセッサを表し、参照符号１０６ｃは、ユーザーコンピュータ端末機Ａ１〜Ａｎから転送された広告及び商品情報閲覧信号によって特別購買割引ポイントとは無関係に会員が統合して特定会員の購買信号発生時に割引ポイントとして提供される統合積立型ポイントを管理する統合積立型ポイント管理プロセッサを表す。
【０１５６】
参照符号１０６ｄは、販売商品別等級分類プロセッサ１０６ａと連動して、ユーザー別に付与された商品別等級ポイントを累積管理するための等級別ポイント管理プロセッサを表し、参照符号１０６ｅは、あるユーザーコンピュータ端末機Ａ１〜Ａｎから転送された購買信号を受け付けて決済処理を行う購買信号チェックプロセッサを表す。
【０１５７】
上記した構成の本発明の第４実施例によるオンライン広告システムの機能及び作用を、添付の図面を参照しつつ詳細に説明する。
【０１５８】
図１５は、本発明の第４実施例によるオンライン広告システムの信号流れを示すフローチャートである。
【０１５９】
まず、本発明の第４実施例によるオンライン広告システムは、多数の会員が広告情報及び商品情報を選択すると会員統合積立型ポイントを提供し、これをある特定顧客の商品購買信号発生時まで統合累積処理し、購買信号発生時に会員統合積立型ポイントを割引ポイントとして支払い、また、製品別等級情報を販売者または広告主があらかじめ登録し、ユーザー端末機Ａ１〜Ａｎが閲覧信号を発生させた製品を確認し、あらかじめ登録された等級情報を抽出し、ユーザーのログイン情報を用いて該当ユーザーの属した等級を判断し、その等級に該当する特別購買割引ポイントをユーザーに提供するためのオンライン広告管理サーバーＯＡＭＳに、多数のユーザー端末機（例えば、Ａ１、Ａ２、Ａ３）が接続されており、広告情報及び販売情報をオンライン広告管理サーバーＯＡＭＳにアップロードさせるための広告主端末機Ｂ１及び売主サーバーＣ１が接続されている。
【０１６０】
この状態で、広告主端末機Ｂ１〜Ｂｎ及び売主サーバーＣ１〜Ｃｎはオンライン広告管理サーバーＯＡＭＳに接続し、広告情報及び商品情報をオンライン広告管理サーバーＯＡＭＳにアップロードする（ＳＴ−１００及びＳＴ−１０１）。
【０１６１】
また、広告主端末機Ｂ１〜Ｂｎ及び売主サーバーＣ１〜Ｃｎは、オンライン広告管理サーバーＯＡＭＳに、広告情報及び商品情報のターゲットとなるユーザーの等級情報（年齢別、地域別、性別に分類された等級情報）を転送する（ＳＴ−１０２）。
【０１６２】
すると、オンライン広告管理サーバーＯＡＭＳは、アップロードされた広告情報及び商品情報、商品及び広告別ユーザーの等級情報を別のウェブページを通じて掲載し、等級情報をプロセッサに自動処理されるように設定する（ＳＴ−１０３）。
【０１６３】
次いで、オンライン広告管理サーバーＯＡＭＳは、ユーザー端末機Ａ１〜ＡｎからＩＤ及びパスワード情報が転送されると（ＳＴ−１０４）、該当情報を認証処理して顧客のログイン処理を行う（ＳＴ−１０５）。
【０１６４】
続いて、オンライン広告管理サーバーＯＡＭＳは、ユーザー端末機Ａ１〜Ａｎから特定広告または商品情報に対する閲覧信号が印加されるか否か判断し（ＳＴ−１０６）、閲覧信号が印加された場合にはあらかじめ格納された該当広告または商品情報を閲覧した会員情報を抽出し、該当商品情報及び広告情報に関連して格納されたユーザーの等級情報を抽出し（ＳＴ−１０７）、該当ユーザーの等級を定める。
【０１６５】
そして、オンライン広告管理サーバーＯＡＭＳは、該当顧客の閲覧行為によって所定のポイントを提供し、該当ポイントを累積演算し（ＳＴ−１０８）、会員統合積立型ポイント情報を更新処理する。
【０１６６】
一方、オンライン広告管理サーバーＯＡＭＳは、該当商品情報及び広告情報に関連して格納されたユーザーの等級情報を通じて、定められた該当ユーザーの等級によって等級別特別購買割引ポイントを累積演算し、更新処理する（ＳＴ−１０９）。
【０１６７】
すなわち、もし、商品の等級情報がＡ、Ｂ、Ｃ、Ｄ、Ｅ等級に区分された状態であり、該当ユーザーが該当商品に限ってＡ等級の会員であり、これまで累積されたＡ等級のポイントが１００ポイントであり、該当ユーザーに提供されたポイントが１０ポイントであれば、全体Ａ等級のポイントは１１０ポイントと累積演算される。すなわち、Ａ等級に統合的に累積された等級ポイントである１１０ポイントは、該当等級に属するユーザーはいずれも購買信号を発生する瞬間、購買信号を発生するユーザーに割引率として支払われながら消尽され、ゼロ状態（０）に更新される。
【０１６８】
その後、オンライン広告管理サーバーＯＡＭＳは、あるユーザー端末機Ａ１〜Ａｎから特定商品に対する購買信号が印加されるか否か判断し（ＳＴ−１１０）、もし、あるユーザー端末機Ａ１〜Ａｎから特定商品に対する購買信号が印加されると、オンライン広告管理サーバーＯＡＭＳは、該当ユーザーの等級情報を確認し（ＳＴ−１１１）、該当時点まで累積された会員統合積立型ポイント及び該当ユーザーの属した等級ポイントを割引ポイントとして支払う（ＳＴ−１１２）。
【０１６９】
また、オンライン広告管理サーバーＯＡＭＳは、会員統合積立型ポイント及び該当ユーザーの属した等級ポイントを最初のゼロ状態（０）に更新処理する（ＳＴ−１１３）。
【０１７０】
したがって、オンライン広告管理サーバーＯＡＭＳは、広告情報及び商品情報の閲覧に対するポイント累積を実時間で処理し、購買信号の印加によって会員統合積立型ポイントの消尽処理も実時間で処理することとなり、各商品別に分類された各等級ポイントを会員統合方式で運営し、あるユーザーが特定商品に対する購買信号を発生させると該当商品に関連してあらかじめ分類され、該当ユーザーの属した等級によってその等級ポイントが追加的に割引ポイントとして支払われるようになるので、該当等級に属したユーザーの商品購買を促進することができ、各商品販売者及び広告主はターゲット等級顧客により多くのポイントを支払うこととなるので、ターゲットマーケティングが可能になる。
【０１７１】
以下、本発明の第５実施例について図面を参照しつつ詳細に説明する。
【０１７２】
図１６は、本発明の第５実施例によるオンライン広告システムを通じたデータ処理状態を示す図である。
【０１７３】
同図を参照すると、本発明の第５実施例によるオンライン広告システムは、ユーザーが特定商品を指定し、購買する時点の統合積立型ポイントをあらかじめ設定することによって、統合積立型ポイントがあらかじめ設定したユーザーの統合積立型ポイントまで累積されると、該当ユーザーが自動で購買信号が発生するようにしたシステムである。
【０１７４】
より詳細には、本発明の第５実施例によるオンライン広告システムは、ユーザーがあらかじめ特定商品を選択して登録させ、統合積立型ポイントを通じて割引受ける金額を指定し、その統合積立型ポイントの累積金額をオンライン広告管理サーバーＯＡＭＳに登録させることによって、そのオンライン広告管理サーバーＯＡＭＳでユーザーの広告閲覧や、商品情報閲覧を通じて統合型に累積される会員統合積立型ポイントが該当ユーザーの設定ポイントになると自動で購買信号が発生するようにしたシステムである。
【０１７５】
この時、オンライン広告管理サーバーＯＡＭＳではユーザーの購買信号が発生するたびに既累積された会員統合積立型ポイントが該当購買ユーザーの割引金として提供されるので、その会員統合積立型ポイントは消尽されてゼロ（０）状態に更新されるので、該当ユーザーが設定した予約購買ポイントになるまで他のユーザーが購買信号を発生させない場合にのみ該当会員統合積立型ポイントを割引ポイントとして提供されながら自動で商品の購買が行われることができる。
【０１７６】
一方、オンライン広告管理サーバーＯＡＭＳでは、売主があらかじめ該当ユーザーの購買予約ポイントを把握し、追加的な割引ポイントを該当ユーザーに限ってさらに支払うようにしても良い。すなわち、１００００ウォンの商品に対して２０００ウォンの会員統合積立型ポイントが支払われる瞬間に購買するとあらかじめ設定したユーザーが１０人である場合、販売者は、該当会員統合積立型ポイントが１０００ウォン積み立てられた場合、１０００ウォンの追加ポイントをさらに支払うようにオンライン広告管理サーバーＯＡＭＳに設定でき、オンライン広告管理サーバーＯＡＭＳは広告主端末機Ｂ１〜Ｂｎ及び売主サーバーＣ１〜Ｃｎに実時間で会員統合積立型ポイント情報を提供するようにする。
【０１７７】
図１７は、本発明の第５実施例によるオンライン広告管理サーバーの構成を示すブロック構成図である。
【０１７８】
同図を参照すると、ユーザー端末機Ａ１〜Ａｎから転送された特定会員統合積立型ポイント設定及び予約購買信号を受信し、該当設定会員統合積立型ポイントになるまで他のユーザーの購買信号が発生しないと、自動で該当設定金額の会員統合積立型ポイントを設定したユーザーに提供して割引購買ができるように処理するオンライン広告管理サーバーＯＡＭＳは、その内部に通信モジュール、ユーザー認証プロセッサ、制御部、統合積立型ポイント管理プロセッサ、購買ポイント設定管理プロセッサ、決済処理チェックプロセッサが備えられている。
【０１７９】
参照符号１００は、広告主サーバーＢ１〜Ｂｎ、売主サーバーＣ１〜Ｃｎ及びユーザーコンピュータ端末機Ａ１〜Ａｎが接続され、各種データをアップロード及びダウンロードできるようにプロトコルをマッチングさせ、データ互換処理を行う通信モジュールを表す。
【０１８０】
参照符号１０４は、ユーザーコンピュータ端末機Ａ１〜Ａｎから転送されたユーザーのログイン情報を通じて該当ユーザーの認証を行う公知のユーザー認証プロセッサを表す。
【０１８１】
参照符号１０２は、ユーザー端末機Ａ１〜Ａｎから転送された広告閲覧及び商品情報閲覧信号に対応して自動で一定額のポイントを提供し、そのポイントを累積して購買信号を発生する特定ユーザーが割引を受けるように会員統合積立型ポイントを演算累積管理し、ユーザー端末機Ａ１〜Ａｎから予約購買信号及びポイント設定情報を受けて登録させ、会員統合積立型ポイントが該当ユーザーの設定ポイントになる時点に自動で該当ユーザーの購買信号を発生させて購買処理を行う制御部を表す。
【０１８２】
参照符号１１０ａは、ユーザーコンピュータ端末機Ａ１〜Ａｎから転送された広告及び商品情報閲覧信号によって特別購買割引ポイントとは無関係に会員が統合して特定会員の購買信号発生時に割引ポイントとして提供される統合積立型ポイントを管理する統合積立型ポイント管理プロセッサを表す。
【０１８３】
参照符号１１０ｂは、ユーザー端末機Ａ１〜Ａｎから予約購買信号及びポイント設定情報を受けて登録させ、会員統合積立型ポイントが該当ユーザーの設定ポイントになる時点に自動で該当ユーザーの購買信号を発生させることによって予約購買処理を行う購買ポイント設定管理プロセッサを表し、参照符号１１０ｃは、あるユーザーコンピュータ端末機Ａ１〜Ａｎから転送された購買信号を受け付けて決済処理を行う購買信号チェックプロセッサを表す。
【０１８４】
上記した構成の本発明の第５実施例によるオンライン広告システムの機能及び作用を、添付の図面を参照しつつ詳細に説明する。
【０１８５】
図１８は、本発明の第５実施例によるオンライン広告システムの信号流れを示すフローチャートである。
【０１８６】
まず、本発明の第５実施例によるオンライン広告システムは、多数の会員が広告情報及び商品情報を選択することによって会員統合積立型ポイントを提供し、これをある特定顧客の商品購買信号発生時まで統合累積処理し、購買信号発生時に会員統合積立型ポイントを割引ポイントとして支払い、ユーザー端末機Ａ１〜Ａｎから転送された特定会員統合積立型ポイント設定及び予約購買信号を受信して、該当設定会員統合積立型ポイントになるまで他のユーザーの購買信号が発生しないと、自動で該当設定金額の会員統合積立型ポイントを設定したユーザーに提供して割引購買がなされるように処理するオンライン広告管理サーバーＯＡＭＳに対して多数のユーザー端末機（例えば、Ａ１、Ａ２、Ａ３）が接続されており、広告情報及び販売情報をオンライン広告管理サーバーＯＡＭＳにアップロードさせるための広告主端末機Ｂ１及び売主サーバーＣ１が接続されている。
【０１８７】
この状態で、広告主端末機Ｂ１〜Ｂｎ及び売主サーバーＣ１〜Ｃｎは、オンライン広告管理サーバーＯＡＭＳに接続し、広告情報及び商品情報をオンライン広告管理サーバーＯＡＭＳにアップロードさせる（ＳＴ−１２０）。
【０１８８】
すると、オンライン広告管理サーバーＯＡＭＳは、アップロードされた広告情報及び商品情報を別のウェブページを通じて掲載する（ＳＴ−１２１）。
【０１８９】
そして、オンライン広告管理サーバーＯＡＭＳは、ユーザー端末機Ａ１〜ＡｎからＩＤ及びパスワード情報が転送されると（ＳＴ−１２２）、該当情報を認証処理して顧客のログイン処理を行う（ＳＴ−１２３）。
【０１９０】
次に、オンライン広告管理サーバーＯＡＭＳは、接続したユーザー端末機Ａ１〜Ａｎから自動予約購買信号が印加されるか否か判断する（ＳＴ−１２４）。
【０１９１】
もし、ユーザー端末機Ａ１〜Ａｎから自動予約購買信号が印加されていない場合には、オンライン広告管理サーバーＯＡＭＳは、ユーザーコンピュータ端末機Ａ１〜Ａｎから特定広告または商品情報に対する閲覧信号が印加されるか否か判断し（ＳＴ−１２５）、閲覧信号が印加された場合にはあらかじめ格納された該当広告または商品情報を閲覧した会員情報を抽出し、閲覧の代価としてあらかじめ設定された所定のポイントを会員統合積立型ポイントに累積演算処理する（ＳＴ−１２６）。
【０１９２】
その後、オンライン広告管理サーバーＯＡＭＳは、あるユーザー端末機Ａ１〜Ａｎから特定商品に対する購買信号が印加されるか否か判断する（ＳＴ−１２７）。
【０１９３】
もし、該当ユーザー端末機Ａ１〜Ａｎから自動予約購買信号及び商品情報、設定ポイント情報が印加された場合には、オンライン広告管理サーバーＯＡＭＳは、該当商品情報、設定ポイント情報及びユーザー情報を登録させる（ＳＴ−１２８）。
【０１９４】
この状態で、オンライン広告管理サーバーＯＡＭＳは、ユーザーコンピュータ端末機Ａ１〜Ａｎから特定広告または商品情報に対する閲覧信号が印加されるか否か判断し（ＳＴ−１２９）、閲覧信号が印加された場合には、あらかじめ格納された該当広告または商品情報を閲覧した会員情報を抽出し、閲覧の代価としてあらかじめ設定された所定のポイントを会員統合積立型ポイントに累積演算処理する（ＳＴ−１３０）。
【０１９５】
また、オンライン広告管理サーバーＯＡＭＳは、累積された会員統合積立型ポイントがあらかじめ登録された予約購買ポイントと一致するか否か判断し（ＳＴ−１３１）、あるユーザーがあらかじめ設定した予約購買ポイントと会員統合積立型ポイントが一致する場合には、オンライン広告管理サーバーＯＡＭＳは、該当ユーザーコンピュータ端末機Ａ１〜Ａｎで決済要求信号を転送する（ＳＴ−１３２）。
【０１９６】
次いで、オンライン広告管理サーバーＯＡＭＳは、該当ユーザーコンピュータ端末機Ａ１〜Ａｎから決済信号を受信し、あらかじめ累積された会員統合積立型ポイント金額分だけ割引された金額で決済処理を行う（ＳＴ−１３３）。
【０１９７】
また、オンライン広告管理サーバーＯＡＭＳは、会員統合積立型ポイントを最初のゼロ状態（０）に更新処理する（ＳＴ−１３４）。
【０１９８】
以下、本発明の第６実施例について図面を参照しつつ詳細に説明する。
【０１９９】
図１９は、本発明の第６実施例によるオンライン広告システムを通じたデータ処理状態を示す図である。
【０２００】
同図を参照すると、本発明の第６実施例によるオンライン広告システムは、ユーザーのコンピュータ端末機にウェブブラウザと連動した別のプログラムを搭載し、あらかじめ販売者が設定した一定以下の人員数のユーザーが該当商品情報を一定時間閲覧する時点に、該当商品情報を画面出力させているユーザーにのみ商品購買時に獲得できる所定の特別割引ポイントをさらに提供するようにしたシステムである。
【０２０１】
より詳細には、本発明の第６実施例によるオンライン広告システムは、販売者がオンライン広告管理サーバーＯＡＭＳに商品情報を提供し、特別ポイント支払条件として特定人員数及び維持時間情報を設定し、ユーザー端末機Ａ１〜Ａｎにウェブブラウザの出力商品情報を確認できるようにした画面チェックプログラムを搭載した状態で、ユーザー端末機Ａ１〜Ａｎの画面チェックプログラムを通じて該当商品情報を画面出力させる全体ユーザーの数字及び維持時間情報をオンライン広告管理サーバーＯＡＭＳが把握し、販売者が設定した特定以下の人員数が該当商品情報を閲覧する時間が一定時間維持されると、オンライン広告管理サーバーＯＡＭＳが該当商品情報を画面出力しているユーザーにのみ特別割引ポイントをより多く支払うようにしたシステムである。すなわち、商品情報に対する閲覧が少ない商品に対して、販売者の設定によって該当商品情報を閲覧するユーザーに購買促進を誘導するために特別ポイントをより多く支払うわけである。
【０２０２】
このため、オンライン広告管理サーバーＯＡＭＳがより容易に、ユーザー端末機Ａ１〜Ａｎから出力する商品情報を確認するために、各商品情報データ内部には固有のコード情報を内蔵しており、ユーザー端末機Ａ１〜Ａｎに搭載された画面チェックプログラムは、オンライン広告管理サーバーＯＡＭＳに実時間画面出力させる商品情報のコードデータを転送する。
【０２０３】
これにより、オンライン広告管理サーバーＯＡＭＳは、該当ユーザー端末機Ａ１〜Ａｎでどの商品情報を閲覧しているか、該当商品情報を閲覧終了したかを実時間でチェックできるようになる。
【０２０４】
このために、本発明の第６実施例によるオンライン広告システムでは、ユーザー端末機Ａ１〜Ａｎにウェブブラウザの出力商品情報を確認できるようにした画面チェックプログラムＰＣＰが搭載されており、一定の時間間隔で自動でオンライン広告管理サーバーＯＡＭＳにウェブブラウザに出力される商品コード情報を転送することになる。
【０２０５】
また、本発明の第６実施例によるオンライン広告システムには、オンライン広告管理サーバーＯＡＭＳに自社の商品情報を画面出力させるユーザーの数字と、該当ユーザーの数字が一定時間維持される場合、特別購買ポイントを支払できるようにユーザー及び時間条件情報を転送するための売主サーバーＣ１が提供される。
【０２０６】
一方、本発明の第６実施例によるオンライン広告システムには、売主サーバーＣ１〜Ｃｎから自社の商品情報を画面出力させるユーザーの数字と、該当ユーザーの数字が一定時間維持される場合、特別購買ポイントを支払できるようにユーザー及び時間条件情報を受けて登録させ、多数のユーザー端末機Ａ１〜Ａｎに搭載された画面チェックプログラムＰＣＰから商品コード情報を受けて該当商品情報を閲覧する全体ユーザーの数字を演算し、該当ユーザーが売主が設定した一定以下の数字であり、一定時間該当閲覧ユーザー数字が維持された時点に、特別購買ポイントを支払うように処理するオンライン広告管理サーバーＯＡＭＳが提供される。ここで、特別購買ポイントとは、購買信号を発生する場合に限って割引金額として支払われるポイントのことを指す。
【０２０７】
また、一定の時間間隔で、多数のユーザー端末機Ａ１〜Ａｎに搭載された画面チェックプログラムＰＣＰがオンライン広告管理サーバーＯＡＭＳに閲覧する商品情報をより容易に転送するために、オンライン広告管理サーバーＯＡＭＳで提供する商品情報内にはコード情報が含まれており、ユーザー端末機Ａ１〜Ａｎに搭載された画面チェックプログラムＰＣＰは、該当商品コード情報を一定の時間間隔で、オンライン広告管理サーバーＯＡＭＳに転送するようにプログラムが構成されている。
【０２０８】
上記した構成の本発明の第６実施例によるオンライン広告システムの機能及び作用を、添付の図面を参照しつつ詳細に説明する。
【０２０９】
図２０は、本発明の第６実施例によるオンライン広告システムの信号流れを示すフローチャートである。
【０２１０】
まず、オンライン広告管理サーバーＯＡＭＳに対して多数のユーザー端末機（例えば、Ａ１、Ａ２、Ａ３）が接続されており、広告情報及び販売情報をオンライン広告管理サーバーＯＡＭＳにアップロードさせるための広告主端末機Ｂ１及び売主サーバーＣ１が接続されている。
【０２１１】
この状態で、広告主端末機Ｂ１〜Ｂｎ及び売主サーバーＣ１〜Ｃｎは、オンライン広告管理サーバーＯＡＭＳに接続し、広告情報及び商品情報、自社の商品情報を画面出力させるユーザーの数字と、該当ユーザーの数字が一定時間維持される場合、特別購買ポイントを支払できるようにユーザー及び時間条件情報をオンライン広告管理サーバーＯＡＭＳにアップロードする（ＳＴ−１４０及びＳＴ−１４１）。
【０２１２】
すると、オンライン広告管理サーバーＯＡＭＳは、アップロードされた広告情報及び商品情報、特別購買ポイント支払条件情報を別のウェブページを通じて掲載する（ＳＴ−１４２）。
【０２１３】
続いて、オンライン広告管理サーバーＯＡＭＳは、ユーザーコンピュータ端末機Ａ１〜Ａｎに搭載された画面チェックプログラムＰＣＰから商品コード情報を受け（ＳＴ−１４３）、該当商品情報を閲覧する全体ユーザーの数字を演算する（ＳＴ−１４４）。
【０２１４】
そして、オンライン広告管理サーバーＯＡＭＳは、同じ商品情報を閲覧しているユーザーが、売主が設定した一定以下なのか判断し（ＳＴ−１４５）、一定時間該当閲覧ユーザー数字が設定数字以下と維持されるか否か判断し（ＳＴ−１４６）、その時点に特別購買ポイントを支払うように処理する（ＳＴ−１４７）。
【０２１５】
もし、同じ商品情報を閲覧しているユーザーが、売主が設定した一定以下でなかったり、一定時間該当閲覧ユーザー数字が設定数字以下と維持されない時点に、他のユーザーの端末機Ａ１〜Ａｎから購買信号が印加されると（ＳＴ−１５２）、オンライン広告管理サーバーＯＡＭＳは該当ユーザーに会員統合積立型ポイントを割引ポイントとして提供する（ＳＴ−１５３）。
【０２１６】
一方、同じ商品情報を閲覧しているユーザーが、売主が設定した一定以下であり、一定時間該当閲覧ユーザー数字が設定数字以下と維持される時点に、特別購買ポイントを受けたユーザーの端末機Ａ１〜Ａｎから購買信号が印加されると（ＳＴ−１４８）、オンライン広告管理サーバーＯＡＭＳは、該当ユーザーに会員統合積立型ポイント及び特別購買ポイントを割引ポイントとして提供し（ＳＴ−１４９）、決済処理を行う（ＳＴ−１５０）。
【０２１７】
また、オンライン広告管理サーバーＯＡＭＳは、会員統合積立型ポイント及び該当ユーザーの属した等級ポイントを最初のゼロ状態（０）で更新処理する（ＳＴ−１５１）。
【０２１８】
以下、本発明の第７実施例について図面を参照しつつ詳細に説明する。
【０２１９】
図２１は、本発明の第７実施例によるオンライン広告システムのユーザー端末機から出力されるウェブブラウザ画面を示す図である。
【０２２０】
同図を参照すると、本発明の第７実施例によるオンライン広告システムは、ウィンドウズ上で駆動される文書作成プログラム、イメージ編集プログラム、ゲームプログラム、ウィンドウズエクスプローラプログラムを含む各種アプリケーションの画面ページに連動してユーザーの購買希望商品情報及び統合積立型ポイント情報、購買決定手段が備えられた画面を該当画面上に出力させるようにすることによって、ポイント情報確認が容易であり、購買決定信号を迅速に発生させるようにしたシステムである。
【０２２１】
すなわち、本発明の第７実施例によるオンライン広告システムは、ウィンドウズ上で駆動される各種アプリケーション、例えば、文書作成プログラム、イメージ編集プログラム、ゲームプログラム及びウィンドウズエクスプローラプログラムと連動してユーザーがあらかじめ指定した購買希望商品情報及び統合積立型ポイント情報、購買決定手段が備えられた画面を該当画面上に出力させるようにするシステムである。
【０２２２】
したがって、ユーザー端末機Ａ１〜Ａｎのウェブブラウザから出力されるあるアプリケーション画面１１２には、その応用プログラムを動作させるための各種ツール窓１１４が備えられており、このツール窓１１４の下段には作業窓１２２が備えられている。
【０２２３】
本発明の第７実施例によるオンライン広告システムは、アプリケーション画面１１２のツール窓１１４と作業窓１２２との間に、ポイント出力窓１１５を掲載する。
【０２２４】
ポイント出力窓１１５は、ユーザーがあらかじめ指定した購買希望商品情報１１６及び販売価格情報１１８、統合積立型ポイント情報１２０、購買決定ボタンが備えられている。
【０２２５】
図２２は、本発明の第７実施例によるオンライン広告システムを通じたデータ処理状態を示す図である。
【０２２６】
同図を参照すると、本発明の第７実施例によるオンライン広告システムは、ユーザー端末機Ａ１〜Ａｎのウィンドウズ上で駆動される各種応用ソフトウェア、例えば、文書作成プログラム、イメージ編集プログラム、ゲームプログラム及びウィンドウズエクスプローラプログラムと連動してユーザーがあらかじめ指定した購買希望商品情報及び統合積立型ポイント情報、購買決定手段が備えられた画面を該当画面上に出力させるようにする商品情報出力ソフトウェアを搭載させる。
【０２２７】
すると、この商品情報出力ソフトウェアは、各種応用ソフトウェア、例えば、文書作成プログラム、イメージ編集プログラム、ゲームプログラム及びウィンドウズエクスプローラプログラムと連動してユーザーがあらかじめ指定した購買希望商品情報及び統合積立型ポイント情報、購買決定手段が備えられた画面を該当画面上に出力させるようにし、ポイント出力窓１１５に構成された購買希望商品情報１１６、販売価格情報１１８及び統合積立型ポイント情報１２０を参照して購買決定ボタンを介して購買信号を発生させると、オンライン広告管理サーバーＯＡＭＳはその購買信号を受けて会員統合積立型ポイントを割引ポイントとして支払って決済処理を行い、ポイント出力窓１１５に構成された統合積立型ポイント情報１２０がゼロ状態（０）に更新処理される。
【０２２８】
以下、本発明の第８実施例について図面を参照しつつ詳細に説明する。
【０２２９】
図２３は、本発明の第８実施例によるオンライン広告システムの構成を概略的に示す模式図である。
【０２３０】
図２３を参照すると、本発明の第８実施例によるオンライン広告システムは、商品広告を出力させるウェブサーバーの広告費用に対する口座を広告／販売アシスタントが買収し、該当広告商品の販売がされると該当商品提供業者からインセンティブの精算処理がなされるように管理することによって、統合積立型ポイント提供システムに対する積極的な広報及び該当商品の販売活性化が図られるようにしたシステムである。
【０２３１】
すなわち、本発明の第８実施例によるオンライン広告システムは、広告閲覧及び商品情報閲覧を通じた販売活性化のために、広告／販売アシスタントを適用し、多数の広告／販売アシスタントを通じて広告料を分割・前払いするようにし、以降、該当商品の販売時に各広告／販売アシスタントの持分率によって選別的なインセンティブを支払うようにするシステムである。
【０２３２】
このために、本発明の第８実施例によるオンライン広告システムには、会員統合積立型ポイントを提供するオンライン広告管理サーバーＯＡＭＳのウェブページに接続し、このウェブページに掲載された広告情報及び商品情報を閲覧するために、内部にモデムなどの通信モジュールが搭載されたユーザー端末機Ａ１〜Ａｎが提供される。
【０２３３】
また、本発明の第８実施例によるオンライン広告システムには、顧客がユーザー端末機Ａ１〜Ａｎを通じて広告情報を閲覧できるようにオンライン広告管理サーバーＯＡＭＳのウェブページに広告情報を提供して掲載するようにし、顧客の広告閲覧に対して所定の会員統合積立型ポイントを提供し、広告／販売アシスタントに広告費用を持分率方式で販売し、商品販売時に広告／販売アシスタントの持分率によって選別的なインセンティブを支払うようにする第１〜第Ｎ広告主端末機Ｂ１〜Ｂｎが提供される。
【０２３４】
また、本発明の第８実施例によるオンライン広告システムには、顧客がユーザー端末機Ａ１〜Ａｎを通じて商品情報を閲覧できるようにオンライン広告管理サーバーＯＡＭＳのウェブページに商品情報を提供して販売するように掲載するようにし、顧客の商品情報閲覧に対して所定の会員統合積立型ポイントを提供し、広告／販売アシスタントに広告費用を持分率方式で販売し、商品販売時に広告／販売アシスタントの持分率によって選別的なインセンティブを支払うようにする第１〜第Ｎ売主サーバーＣ１〜Ｃｎが提供される。
【０２３５】
また、第１〜第Ｎ広告主端末機Ｂ１〜Ｂｎ及び第１〜第Ｎ売主サーバーＣ１〜Ｃｎがアップロードした広告情報及び商品情報を閲覧し、特定商品を指定した状態で、オンライン広告管理サーバーＯＡＭＳに広告／販売アシスタント申請信号及び広告持分購買信号を発生し、広告持分費用に対して決済信号を発生させる広告／販売アシスタント端末機Ｄ１〜Ｄｎが提供される。
【０２３６】
一方、本発明の第８実施例によるオンライン広告システムには、第１〜第Ｎ広告主端末機Ｂ１〜Ｂｎ及び第１〜第Ｎ売主サーバーＣ１〜Ｃｎから広告情報及び商品情報を受けてウェブページに掲載し、ユーザー端末機Ａ１〜Ａｎから転送される広告情報及び商品情報閲覧信号によって会員統合積立型ポイントを累積積立させ、顧客の商品購買信号を受信して該当顧客の購買代金に会員統合積立型ポイントを通じた割引処理を行い、積立型ポイントデータを更新させるように処理し、売主よりアップロードした商品を販売代行し、広告／販売アシスタントに広告費用を持分率方式で販売し、商品販売による決済処理時に広告／販売アシスタントの持分率によって選別的なインセンティブを支払うようにするオンライン広告管理サーバーＯＡＭＳが提供される。
【０２３７】
また、オンライン広告管理サーバーＯＡＭＳには、第１〜第Ｎ広告主端末機Ｂ１〜Ｂｎ、第１〜第Ｎ売主サーバーＣ１〜Ｃｎ、ユーザー端末機Ａ１〜Ａｎがオンライン広告管理サーバーＯＡＭＳへと接続可能にオンライン広告管理サーバーＯＡＭＳのＵＲＬをルーティングするウェブサーバーＷＢＳが提供される。また、オンライン広告管理サーバーＯＡＭＳには、会員統合積立型ポイント更新情報及び顧客購買信号、顧客情報、売主情報、広告主情報、広告／販売アシスタント情報、広告／販売アシスタント別持分率情報を格納するための第１及び第２データベースＤＢ１，ＤＢ２が提供される。
【０２３８】
したがって、本発明の第８実施例によるオンライン広告システムは、多数の顧客がオンライン広告管理サーバーＯＡＭＳから提供するウェブページに接続してそのオンライン広告管理サーバーＯＡＭＳのウェブページに掲載された広告情報及び商品情報を選択すると、該当会員の情報選択信号によって会員統合積立型ポイントが累積される。
【０２３９】
この時、オンライン広告管理サーバーＯＡＭＳのウェブページに掲載された広告情報及び商品情報を多数の会員が選択しても、その積立金は該当会員の個別積立金として積み立てられるのではなく、会員が共同で積み立てる会員統合積立型ポイントとして累積される。
【０２４０】
また、オンライン広告管理サーバーＯＡＭＳのウェブページに累積された会員統合積立型ポイントは、該当ウェブページに掲載された商品情報を閲覧し、その商品を購買しようとする会員に割引ポイントとして提供されるので、会員統合積立型ポイントがある顧客に割引ポイントとして提供されると、その会員統合積立型ポイントは全て消尽され、再びゼロ状態（０）から積立型ポイントが累積し始まる。
【０２４１】
一方、オンライン広告管理サーバーＯＡＭＳは、広告／販売アシスタントに広告費用を持分率方式で販売し、商品販売による決済処理時に広告／販売アシスタントの持分率によって選別的なインセンティブを支払うように処理することによって、売主及び広告主が大きな費用をかけずに容易に広告を出すことができるし、あらかじめ出市した商品に対して広告／販売アシスタントを通じた選好度を予測できるという長所がある。
【０２４２】
また、広告／販売アシスタントを通じて特定商品販売に対するオンライン上の活動を促すことができるので、商品販売が活性化される。
【０２４３】
上記した構成の本発明の第８実施例によるオンライン広告システムの機能及び作用を、添付の図面を参照しつつ詳細に説明する。
【０２４４】
図２４は本発明の第８実施例によるオンライン広告システムの信号流れを示すフローチャートである。
【０２４５】
まず、本発明の第８実施例によるオンライン広告システムは、多数の会員が広告情報及び商品情報を閲覧すると会員統合積立型ポイントを提供し、広告／販売アシスタントに広告費用を持分率方式で販売し、商品販売による決済処理時に広告／販売アシスタントの持分率によって選別的なインセンティブを支払うようにするオンライン広告管理サーバーＯＡＭＳに、多数のユーザー端末機（例えば、Ａ１、Ａ２、Ａ３）及び広告／販売アシスタント端末機Ｄ１〜Ｄｎが接続されており、広告情報及び販売情報をオンライン広告管理サーバーＯＡＭＳにアップロードするための広告主端末機Ｂ１及び売主サーバーＣ１が接続されている。
【０２４６】
この状態で、広告主端末機Ｂ１〜Ｂｎ及び売主サーバーＣ１〜Ｃｎは、オンライン広告管理サーバーＯＡＭＳに接続し、広告情報及び商品情報をオンライン広告管理サーバーＯＡＭＳにアップロードする。
【０２４７】
すると、オンライン広告管理サーバーＯＡＭＳは、アップロードされた広告情報及び商品情報を別のウェブページを通じて掲載する。
【０２４８】
そして、オンライン広告管理サーバーＯＡＭＳは、広告／販売アシスタント端末機Ｄ１〜Ｄｎから商品選択情報及び広告持分決済情報を受信し（ＳＴ−１６０）、該当持分に対する広告金額を決済処理し（ＳＴ−１６１）、該当広告／販売アシスタント情報及び決済情報を登録させる。
【０２４９】
この状態で、オンライン広告管理サーバーＯＡＭＳは商品が販売されるか否か判断し（ＳＴ−１６２）、該当商品に関連した広告／販売アシスタント情報が存在するか否か判断する。
【０２５０】
続いて、オンライン広告管理サーバーＯＡＭＳの判断結果、販売された商品に関連した広告／販売アシスタント情報が存在する場合には、該当広告／販売アシスタント情報に含まれた持分率情報を通じて該当広告／販売アシスタント端末機Ｄ１〜Ｄｎ側に販売インセンティブを提供する（ＳＴ−１６３）。
【０２５１】
一方、オンライン広告管理サーバーＯＡＭＳは、あらかじめ設定されたインセンティブ情報と商品販売によって支払ったインセンティブ情報とを比較し、商品販売によって支払ったインセンティブが既設定インセンティブより大きいか等しいかを判断する（ＳＴ−１６４）。
【０２５２】
もし、商品販売によって支払ったインセンティブが既設定インセンティブより大きいか等しい場合には、それ以上オンライン広告管理サーバーＯＡＭＳは該当広告／販売アシスタントにインセンティブを支払わなく、商品販売によって支払ったインセンティブが既設定インセンティブよりも小さい場合には、オンライン広告管理サーバーＯＡＭＳは持続して該当指定商品の販売によってインセンティブを支払うように処理する（ＳＴ−１６５）。
【０２５３】
以下、本発明の第９実施例について図面を参照しつつ詳細に説明する。
【０２５４】
図２５は本発明の第９実施例によるオンライン広告システムのサーバーで提供するウェブページ画面を示す図である。
【０２５５】
同図を参照すると、本発明の第９実施例によるオンライン広告システムは、検索ポータルと連係し、検索語入力窓に検索語を入力して出力される検索結果会社情報を、ユーザーの選択によって累積付与された統合積立型ポイントが高い順、または、イベント発生順、地域順に画面出力を再整列するようにしたシステムである。
【０２５６】
すなわち、本発明の第９実施例によるオンライン広告システムは、ショッピングモールが搭載された検索ポータルに適用されるか、検索窓が備えられたショッピングモールに適用される時に、検索窓を通じて特定商品名を入力すると、その会員統合積立型ポイントの高い順に検索結果情報を再整列したり、イベント金額や割引比率が高い順に検索結果情報を再整列したり、地域別に検索結果情報を選択できるようにした手段が備えられたシステムである。
【０２５７】
このために、オンライン広告管理サーバーＯＡＭＳのウェブサイトメイン画面２には多数個の広告情報出力欄４が閲覧可能に掲載されており、オンライン広告管理サーバーＯＡＭＳは会員統合積立型ポイントを購買割引ポイントとして提供するので、このウェブサイトメイン画面２にはポップアップ窓を通じて商品情報及び決済情報を出力させるための商品情報が掲載される。この商品情報は、各カテゴリ別に分類された情報欄６を通じて構成され、そのカテゴリ別に選択可能な詳細商品情報欄８が備えられている。
【０２５８】
また、ユーザーがコンピュータ端末機Ａ１〜Ａｎを用いて選択可能に備えられた広告情報出力欄４を選択すると、該当広告情報を詳細出力させるポップアップ窓１が連動してオンライン広告管理サーバーＯＡＭＳにハイパーリンク（Ｈｙｐｅｒ  Ｌｉｎｋ）状態で格納されており、オンライン広告管理サーバーＯＡＭＳのメイン画面に掲示された詳細商品情報欄８を選択すると、該当商品情報の詳細情報がポップアップ窓１４に出力されるようにオンライン広告管理サーバーＯＡＭＳにハイパーリンク（Ｈｙｐｅｒ  Ｌｉｎｋ）状態で格納されており、詳細商品情報欄８で購買ボタン１６の選択を通じて該当商品を購買できるように構成されている。
【０２５９】
一方、オンライン広告管理サーバーＯＡＭＳのウェブサイトメイン画面２の上端には多数の会員が広告情報出力欄４及び詳細商品情報欄８をクリックすることによって受け取った統合ポイント累積情報を出力させるための統合ポイント累積情報欄１０が備えられているので、商品を購買しようとする顧客は統合ポイント累積情報欄１０を確認し、該当累積金額を用いて製品購買代金に対する割引を受けながら商品を購買できる。
【０２６０】
また、オンライン広告管理サーバーＯＡＭＳのウェブサイトメイン画面２の上端の所定部には、特定商品の検索結果を画面出力させるための検索語を入力するための検索語入力窓１３０が備えられており、その下端には会員統合積立型ポイントが高い順に検索結果情報を再整列したり、イベント金額や割引比率が高い順に検索結果情報を再整列したり、地域別に検索結果情報を選択できるようにした累積順整列ボタン１３２ａ、イベント整列ボタン１３２ｂ、地域別整列ボタン１３２ｃが備えられている。
【０２６１】
上記した構成の本発明の第９実施例によるオンライン広告システムの機能及び作用を、添付の図面を参照しつつ詳細に説明する。
【０２６２】
図２６は、本発明の第９実施例によるオンライン広告システムの信号流れを示すフローチャートである。
【０２６３】
まず、本発明の第９実施例によるオンライン広告システムは、多数の会員が広告情報及び商品情報を選択すると会員統合積立型ポイントを提供し、これをある特定顧客の商品購買信号発生時まで統合累積処理し、購買信号発生時に会員統合積立型ポイントを割引ポイントとして支払うためのオンライン広告管理サーバーＯＡＭＳに、多数のユーザー端末機（例えば、Ａ１、Ａ２、Ａ３）が接続されており、広告情報及び販売情報をオンライン広告管理サーバーＯＡＭＳにアップロードするための広告主端末機Ｂ１及び売主サーバーＣ１が接続されている。
【０２６４】
この状態で、広告主端末機Ｂ１〜Ｂｎ及び売主サーバーＣ１〜Ｃｎは、オンライン広告管理サーバーＯＡＭＳに接続し、広告情報及び商品情報をオンライン広告管理サーバーＯＡＭＳにアップロードし（ＳＴ−１７０）、オンライン広告管理サーバーＯＡＭＳはアップロードされた広告情報及び商品情報を別のウェブページを通じて掲載する（ＳＴ−１７１）。
【０２６５】
続いて、オンライン広告管理サーバーＯＡＭＳは、ユーザー端末機Ａ１〜ＡｎからＩＤ及びパスワード情報が転送されると（ＳＴ−１７２）、該当情報を認証処理して顧客のログイン処理を行う（ＳＴ−１７３）。
【０２６６】
そして、オンライン広告管理サーバーＯＡＭＳは、ユーザー端末機Ａ１〜Ａｎから特定広告または商品情報に対する閲覧信号が印加されるか否か判断し（ＳＴ−１７４）、閲覧信号が印加された場合には、あらかじめ格納された該当広告または商品情報を閲覧した会員情報を抽出し、比較することによって、該当顧客が以前に同じ広告または商品情報を閲覧したことがあるか否か判断する（ＳＴ−１７５）。
【０２６７】
もし、オンライン広告管理サーバーＯＡＭＳの判断結果、該当顧客が以前に該当広告及び商品情報を閲覧したことがない場合には、オンライン広告管理サーバーＯＡＭＳは、該当顧客の閲覧行為によって所定のポイントを提供し、該当ポイントを累積演算し（ＳＴ−１７６）、会員統合積立型ポイント情報を更新処理する（ＳＴ−１７７）。
【０２６８】
一方、オンライン広告管理サーバーＯＡＭＳの判断結果、該当顧客が以前に該当広告及び商品情報を閲覧したことがある場合には、オンライン広告管理サーバーＯＡＭＳは、該当顧客による会員統合積立型ポイントの累積処理を行なわない。
【０２６９】
この時、オンライン広告管理サーバーＯＡＭＳは、ユーザー端末機Ａ１〜Ａｎから転送された商品整列信号（ポイント累積順、イベント順、地域別）によって、会員統合積立型ポイントの高い順序、イベント割引金額や比率の高い順序、または、地域選択による商品情報を再整列処理し（ＳＴ−１７８）、その商品情報をユーザー端末機Ａ１〜Ａｎに転送して画面出力させる。
【０２７０】
また、オンライン広告管理サーバーＯＡＭＳは、あるユーザー端末機Ａ１〜Ａｎから特定商品に対する購買信号が印加されるか否か判断し（ＳＴ−１７９）、もし、あるユーザー端末機Ａ１〜Ａｎから特定商品に対する購買信号が印加されると、オンライン広告管理サーバーＯＡＭＳは、該当時点まで累積された上記会員統合積立型ポイントを該当購買商品の割引ポイントとして提供する（ＳＴ−１８０）。
【０２７１】
また、オンライン広告管理サーバーＯＡＭＳは、会員統合積立型ポイントを最初のゼロ状態（０）に更新処理する（ＳＴ−１８１）。この時、オンライン広告管理サーバーＯＡＭＳは別の新規広告または商品情報のアップロード信号が印加されるか否か判断し（ＳＴ−１８２）、新規広告または商品情報のアップロード信号が印加された場合には、該当情報のアップロード段階に復帰し、新規広告または商品情報のアップロード信号が印加されないと、顧客ログイン段階に復帰して上記の会員統合積立金提供処理及び商品購買顧客に対する販売行為を反復する。
【０２７２】
したがって、オンライン広告管理サーバーＯＡＭＳは、広告情報及び商品情報の閲覧に対するポイント累積を実時間で処理し、購買信号の印加によって会員統合積立型ポイントの消尽処理も実時間で処理することとなる。
【０２７３】
以下、本発明の第１０実施例によるオンライン広告システムについて、図面を参照しつつ詳細に説明する。
【０２７４】
図２７は、本発明の第１０実施例によるオンライン広告システムを概略的に示す模式図である。
【０２７５】
同図を参照すると、本発明の第１０実施例によるオンライン広告システムは、広告クリックによる個人別積立金額を統合累積し、あらかじめ設定された時間帯に一定時間単位に分割された当籤金を持続累積させ、累積途中にユーザーのクリックによって該当時点の当籤金をクリックユーザーに支払うようにすることによって、広告データのクリックを活性化させるようにしたシステムである。
【０２７６】
すなわち、本発明の第１０実施例によるオンライン広告システムは、ユーザーの広告クリック数に対応してあらかじめ設定された広告クリック別積立金額を全て統合し、特定時間帯に全体累積積立金額を分割し、時間経過に比例して当籤金を累積増加させ、当籤金の累積増加途中にいずれかのユーザーが入札ボタンをクリックすると、該当ユーザーが当籤者として選ばれ、当籤者に当籤金が支払われるようにした累積当籤金に対する競売入札サービスを提供するシステムである。
【０２７７】
一方、本発明の第１０実施例によるオンライン広告システムは、競売システムという表現と、入札、当籤などの表現を使用するが、実際に当該技術は一般競売とは全く違う。一般競売は、定められた商品に対して各ユーザーが応札価格を提示し、最高落札価格を提示したユーザーを落札者とするのに対し、本発明の第１０実施例によるオンライン広告システムの説明で記載された競売は、多数のユーザーが、変更する当籤金を実時間で確認しながらクリック時間や任意番号を通じて当籤者を選定するものである。ただし、本発明は、多数のユーザーが特定対象をおいて競争するという意味で「競売」という表現を使用したわけで、ユーザーが当籤金額を確保するためにクリック信号をサーバー側に発生することが、本発明でいう「入札」である。
【０２７８】
このような競売入札サービスは、一定時間帯（例えば、午前１２時から１２時３０分）に多数回連続して進行されるので、該競売入札サービスに当籤金として支払われる累積金額の財源はいずれも、多数のユーザーが広告データをクリックして得た補償として積み立てられた積立金を統合した金額財源である。
【０２７９】
また、ある一回分の進行時間はあらかじめ定められているのではなく、当籤者が出るとその回分の競売入札サービスが終了し、次の回分の競売入札サービスが自動で進行されるように構成されている。全体競売入札サービスの進行時間を３０分間とすれば、全体競売入札サービス時に支払われる当籤金を３０分で分けて秒当たりまたは分当りの当籤金の累積分を演算し、当籤金が秒当たりまたは分当りの間隔で持続して増加するようにする。
【０２８０】
したがって、本発明の第１０実施例によるオンライン広告システムは、競売入札サービスの進行途中に、最初に入札ボタンをクリックしたユーザーが当籤者として選ばれるが、入札ボタンを遅くクリックするほど該当回の当籤金額は増加する。すなわち、ユーザーがどの時点にいくらの当籤金を受けるのに関らず、システムが支払うべき全体当籤金額は変わらない。
【０２８１】
一方、本発明の第１０実施例によるオンライン広告システムは、競売入札サービスに参加できるユーザーを、広告データを一定回数以上クリックしたユーザーに限定することによって広告データの閲覧を誘導するようにする。
【０２８２】
また、本発明の第１０実施例によるオンライン広告システムは、ユーザーのＩＰまたはＭＡＣアドレス、クッキー情報格納及び比較を通じて同一ユーザーが同一の広告データを多数回閲覧した場合、該当広告データを１回閲覧したと処理することによって多数の広告データを閲覧できるようにする。
【０２８３】
また、本発明の第１０実施例によるオンライン広告システムは、当籤者の選定時に、入札ボタンを最初にクリックしたユーザーではなく任意クリック順番のユーザーを当籤者と選定することも可能にすることによって、通信速度において不利なユーザーにも同等な入札機会を提供するようにする。
【０２８４】
このために、本発明の第１０実施例によるオンライン広告システムには、広告データをサーバーに登録させ、クリック当たり広告費用を振り替え、サーバーに登録された会員情報を受け取るための広告主端末機Ｂ１〜Ｂｎが備えられている。
【０２８５】
本発明の第１０実施例によるオンライン広告システムには、サーバーに登録された広告データを閲覧し、既設定された広告当籤金競売入札時間帯に時間経過に比例して増加する累積当籤金情報を確認し、特定当籤金に対する入札信号を発生するために内部にモデムなどの通信モジュールが備えられており、ウェブブラウザが備えられたユーザー端末機Ａ１〜Ａｎが備えられている。
【０２８６】
本発明の第１０実施例によるオンライン広告システムには、広告主端末機Ｂ１〜Ｂｎから広告データを受信して登録し、ユーザー端末機Ａ１〜Ａｎから広告データ閲覧信号を受信して広告費用を精算し、その広告費用を累積して特定時間帯になると、時間経過に比例して累積金額情報を累積して出力させ、特定累積金額に対する入札信号をユーザー端末機Ａ１〜Ａｎから受信して該当ユーザーを当籤者と選定して当籤金を支払い、次の回分の当籤金累積を実行するようにしたオンライン広告管理サーバーＯＡＭＳが提供される。
【０２８７】
オンライン広告管理サーバーＯＡＭＳの内部には、広告主端末機Ｂ１〜Ｂｎ及びユーザー端末機Ａ１〜Ａｎとのウェブ通信を行うウェブサーバーＷＢＳが備えられている。
【０２８８】
一方、オンライン広告管理サーバーＯＡＭＳは、ユーザー端末機Ａ１〜Ａｎから特定累積金額に対する入札信号を受信すると、該当ユーザーが登録された広告データのうち一定個数以上をクリックしたユーザーなのか判断した後、当籤者として選定するようにあらかじめ設定されている。
【０２８９】
また、オンライン広告管理サーバーＯＡＭＳは、ユーザー端末機Ａ１〜ＡｎのＩＰ住所またはＭＡＣアドレス、クッキー情報格納し、比較することによって、同一ユーザーが同一広告データを多数回閲覧した場合、該当広告データを１回閲覧したと処理するようにあらかじめ設定されている。
【０２９０】
また、オンライン広告管理サーバーＯＡＭＳは、当籤者の選定時に、入札ボタンを最初にクリックしたユーザーではなく任意クリック順番のユーザーを当籤者として選定するようにあらかじめ設定されており、当籤順番は各回ごとに任意抽出するように設定されている。
【０２９１】
一方、本発明は、上記オンライン広告管理サーバーＯＡＭＳと連動し、オンライン広告管理サーバーＯＡＭＳから受け取った広告データをホームページに掲載した各種業者サーバー（図示せず）が備えられるが、その広告データ掲載サーバーは一般のポータルなどの業者サーバーであるので、その詳細説明は省略する。
【０２９２】
図２８は、本発明の第１０実施例によるオンライン広告システムを通じて具現されるポータルサイトのホームページ画面を示す図である。
【０２９３】
同図を参照すると、本発明の第１０実施例によるオンライン広告システムを通じて具現されるポータルサイトのホームページ１４０には、図２８のような画面がユーザー端末機Ａ１〜Ａｎのウェブブラウザを通じて出力される。
【０２９４】
ポータルサイトのホームページ１４０には、多数の広告データ１４２が掲載されており、これらの広告データ１４２を多数のユーザーが閲覧することによって統合して積み立てた金額を、あらかじめ設定された競売時間帯に分割して時間経過によって増加するように表示するが、時間経過によって変更される当籤可能金額情報１４４は、ポータルサイトのホームページ１４０の上端の所定部に備えられている。
【０２９５】
また、当籤可能金額情報１４４の側面には競売入札ボタン１４６が備えられており、ユーザーは、ユーザー端末機Ａ１〜Ａｎのウェブブラウザを通じてポータルサイトのホームページ１４０で時間経過によって変更される当籤可能金額情報１４４を確認しながら希望する適正金額に到達すると競売入札ボタン１４６をクリックして当籤金を受けるようにする。
【０２９６】
前述したように、ユーザーは、より多くの金額を当籤金として受けようとするが、他のユーザーが該当当籤金を受ける危険性があるのでいつまでも待ち続けることはできないし、少なすぎる当籤金を確保するために競売入札ボタン１４６を早くクリックすることもできない。
【０２９７】
該当競売入札時間帯（例えば、１２時から１２時３０分まで）には多数の競売回数が進行され、各回の競売時間は当籤者が確定されるまでであって、あらかじめ定められたわけではない。
【０２９８】
好ましくは、該当日に限って、競売入札で当籤された当籤者は多数回を通じて複数当籤されないようにすると良い。すなわち、前回で当籤者として確定されたユーザーは、次の回では当籤者から排除されるようにする。
【０２９９】
これは、オンライン広告管理サーバーＯＡＭＳで各回の当籤者情報を管理しながら、次回の予備当籤者の情報を既に当籤された当籤者の情報と比較して当籤者を確定すれば良い。
【０３００】
図２９は、本発明の第１０実施例によるオンライン広告システムに含まれたオンライン広告管理サーバーの構成を示すブロック構成図である。
【０３０１】
同図を参照すると、本発明の第１０実施例によるオンライン広告システムに含まれたオンライン広告管理サーバーＯＡＭＳはその内部に、通信モジュール、会員／広告主情報管理部、広告データ登録管理部、広告クリック数演算部、累積金額管理部、時間別当籤金変動／更新管理部、会員ＩＰ管理部、広告費用精算部、会員／広告主ＤＢ、広告データＤＢ、クリック数演算ＤＢ、累積金額／当籤金変動ＤＢ、会員ＩＰＤＢ、広告費用精算ＤＢ、制御部が備えられる。
【０３０２】
参照符号１４８は、広告主端末機Ｂ１〜Ｂｎから広告データを受信し、ユーザー端末機Ａ１〜Ａｎから広告クリック信号を受信し、競売時間帯に累積当籤金情報を実時間で提供し、ユーザー端末機から入札信号を受信する通信モジュールを表す。
【０３０３】
参照符号１５０は、会員情報及び広告主情報を登録し、認証処理する会員／広告主情報管理部を表し、参照符号１５２は、広告主端末機Ｂ１〜Ｂｎから受け取った広告データを登録管理する広告データ登録管理部を表す。
【０３０４】
参照符号１５４は、広告データをホームページに掲載した各種業者サーバーから会員情報及び広告別クリック情報を受信して演算管理する広告クリック数演算部を表し、参照符号１５６は、広告クリック数演算部１５４と連動して広告別／クリック数別広告費用を累積管理する累積金額管理部を表す。
【０３０５】
参照符号１５８は、競売時間となり、各回分の分割当籤金を時間経過別に累積変動させ、当籤金が選定されると、該当回の当籤金をリセットさせる時間別当籤金変動／更新管理部を表し、参照符号１６０は、広告データの重複クリック、一日競売の重複当籤を防止するために会員のＩＰまたはＭＡＣアドレス、クッキー情報を格納管理する会員ＩＰ管理部を表し、参照符号１６２は、ユーザー端末機Ａ１〜Ａｎから受信した広告データ別クリック信号を演算して広告費用を精算する広告費用精算部を表す。
【０３０６】
参照符号１６４ａは、会員情報及び広告主情報を登録するための会員／広告主ＤＢを表し、参照符号１６４ｂは、広告主端末機Ｂ１〜Ｂｎから受け取った広告データを格納する広告データＤＢを表し、参照符号１６４ｃは、広告データをホームページに掲載した各種業者サーバーから会員情報及び広告別クリック情報を受信して格納するクリック数演算ＤＢを表す。
【０３０７】
参照符号１６４ｄは、広告別／クリック数別広告費用を累積格納する累積金額／当籤金変動ＤＢを表し、参照符号１６４ｅは、広告データの重複クリック、一日競売の重複当籤を防止するために会員のＩＰまたはＭＡＣアドレス、クッキー情報を格納する会員ＩＰＤＢを表し、参照符号１６４ｆは、ユーザー端末機Ａ１〜Ａｎから受信した広告データ別クリック信号を演算して広告費用情報を格納する広告費用精算ＤＢを表す。
【０３０８】
一方、参照符号１６６は、広告主端末機Ｂ１〜Ｂｎから広告データを受信して登録し、ユーザー端末機Ａ１〜Ａｎから広告データ閲覧信号を受信して広告費用を精算するように制御し、その広告費用を実時間累積し、競売時間になったか否かを判断し、時間経過に比例して当籤金を分割累積処理し、特定当籤金額に対する選択信号をユーザー端末機Ａ１〜Ａｎから受信して該当ユーザーを当籤者として選定して当籤金を支払い、次回の当籤金累積を実行するように制御する制御部を表す。
【０３０９】
上記した構成の本発明の第１０実施例によるオンライン広告システムの機能及び作用を、添付の図面を参照しつつ詳細に説明する。
【０３１０】
図３０は、本発明の第１０実施例によるオンライン広告システムの信号流れを示すフローチャートである。
【０３１１】
まず、オンライン広告管理サーバーＯＡＭＳは、広告主端末機Ｂ１〜Ｂｎから広告データを受信して登録させ（ＳＴ−２０１）、この広告データが掲載されるホームページに競売入札時間を公表する（ＳＴ−２０２）。
【０３１２】
次いで、オンライン広告管理サーバーＯＡＭＳは、ユーザー端末機Ａ１〜Ａｎから転送された広告データ情報及びそのクリック情報を受信して各広告別クリック数を演算処理し（ＳＴ−２０２）、該当広告のクリック別積立金額を統合累積処理する（ＳＴ−２０４）。
【０３１３】
この状態で、ンライン広告管理サーバーＯＡＭＳは、競売入札時間になったか否か判断し（ＳＴ−２０５）、競売入札時間になると、オンライン広告管理サーバーＯＡＭＳは該当全体競売累積金額を一定時間単位（例えば、秒または分）に分割し、各時間単位の経過によって累積金額増加額を表示する（ＳＴ−２０６）。
【０３１４】
累積金額増加分が表示される途中に、オンライン広告管理サーバーＯＡＭＳがあるユーザー端末機Ａ１〜Ａｎから入札信号を受信すると、オンライン広告管理サーバーＯＡＭＳは該当時点の累積当籤金をユーザーに支払う当籤金として確定し（ＳＴ−２０８）、全体累積当籤金額から該当回の当籤金を減算処理する（ＳＴ−２０９）。
【０３１５】
その後、オンライン広告管理サーバーＯＡＭＳは、競売時間が終了するか否か判断し（ＳＴ−２１０）、残余競売時間が存在する場合には再びユーザー端末機Ａ１〜Ａｎから広告データクリック信号を受信して演算し、それによる全体累積金額を変更しながらＳＴ−２０６過程に復帰する。
【０３１６】
もし、競売時間が終了した場合には、オンライン広告管理サーバーＯＡＭＳは、各回の当籤者に当籤金を支払う（ＳＴ−２１１）。
【０３１７】
要するに、全体競売時間が３０分なら１８００秒であり、広告クリックにより広告主と精算する全体累積金額が１８００万ウォンであればこの１８００万ウォンを３０分間ユーザーに支払う当籤金とし、オンライン広告管理サーバーＯＡＭＳは秒当たり１万ウォンずつ増加表示されるようにする。増加される所定の当籤金額をユーザーがクリックした場合、該当時点の当籤金額をクリックしたユーザーに提供し、また当籤金額は０ウォンにリセットされ、１秒当たり１万ウォンずつ増加しつつ表示される。
【０３１８】
すなわち、競売入札時間たる３０分以内には多数回の競売が進行され、多数の当籤者が選定される。競売の開始からユーザーが獲得できる当籤金は秒当たり１万ウォンずつ増加することとなり、ユーザーは単に入札信号を発生させるだけで当籤金を受けることが可能になり、同日付の競売入札時間である３０分以内には複数の当籤者が出ないようにオンライン広告管理サーバーＯＡＭＳがユーザー情報を管理するので、無条件他のユーザーより速く入札信号を発生させて少ない金額を当籤金として受けることがより有利であるとはいえない。結局として、本実施例を通じて各回ごとに異なるユーザーが異なる当籤金を受けることとなる。
【０３１９】
また、オンライン広告管理サーバーＯＡＭＳは、各ユーザー端末機Ａ１〜Ａｎから転送されたクリック信号及びユーザー情報を受信してＤＢに順次に累積し、任意の順番を当籤者として選定することができる。
【０３２０】
図３１、３２は、本発明の第１０実施例によるオンライン広告システムの他の信号流れを示すフローチャートである。
【０３２１】
図３１は、本発明の第１０実施例によるオンライン広告システムを通じて、同一広告データに対して同一ユーザーが重複クリックを通じて全体累積当籤金を増加させるのを防止し、広告データに対する閲覧を活性化させようとする信号流れである。
【０３２２】
まず、オンライン広告管理サーバーＯＡＭＳは、広告主端末機Ｂ１〜Ｂｎから広告データを受信して登録させ（ＳＴ−２２０）、この広告データが掲載されるホームページに競売入札時間及び入札条件を公表する（ＳＴ−２１２）。
【０３２３】
この時、入札条件は、所定以上の広告データをクリックしたユーザーが競売に参加できるようにする内容、及び、同一広告データを２回以上クリックした場合にも１回クリックとして累積金額を演算するという内容である。
【０３２４】
そして、オンライン広告管理サーバーＯＡＭＳは、ユーザー端末機Ａ１〜Ａｎから転送された広告データ情報及びそのクリック情報を受信すると（ＳＴ−２２２）、該当広告クリック情報に対する同一ユーザーのアカウントが存在するか否か判断する（ＳＴ−２２３）。ユーザーのアカウントは、ＩＤやクッキー情報、ＩＰ、ＭＡＣアドレスのように該当ユーザーを認識できる全ての情報を含む。
【０３２５】
もし、オンライン広告管理サーバーＯＡＭＳの判断結果、同一広告データに対して同一ユーザーのクリックがあらかじめ存在した場合には、オンライン広告管理サーバーＯＡＭＳは該当ユーザーのクリックによる積立金を累積処理しない（ＳＴ−２２４）。
【０３２６】
一方、オンライン広告管理サーバーＯＡＭＳの判断結果、同一広告データに対して同一ユーザーのクリック情報が存在しないと、各広告別クリック数を演算処理し、該当広告のクリック別積立金額を統合累積処理し（ＳＴ−２２５）、その広告別クリック情報を格納する（ＳＴ−２２６）。
【０３２７】
この状態で、オンライン広告管理サーバーＯＡＭＳは、競売入札時間になったか否か判断し（ＳＴ−２２７）、競売入札時間になった場合には、オンライン広告管理サーバーＯＡＭＳは該当全体競売累積金額を一定時間単位（例えば、秒または分）に分割して、各時間単位の経過によって累積金額増加額を表示する（ＳＴ−２２８）。
【０３２８】
累積金額増加分が表示される途中に、オンライン広告管理サーバーＯＡＭＳはあるユーザー端末機Ａ１〜Ａｎから入札信号を受信すると（ＳＴ−２２９）、該当ユーザーのアカウント情報を認証して該当ユーザーの同日付の広告クリック数が既設定クリック数よりも大きいか等しいか判断する（ＳＴ−２３０）。
【０３２９】
もし、オンライン広告管理サーバーＯＡＭＳの判断結果、同日付の該当ユーザーの広告クリック数が既設定クリック数よりも小さい場合には、該当ユーザーの当籤を取消する（ＳＴ−２３１）。
【０３３０】
一方、オンライン広告管理サーバーＯＡＭＳの判断結果、同日付の該当ユーザーの広告クリック数が既設定クリック数より大きいか等しい場合には、オンライン広告管理サーバーＯＡＭＳは、該当時点の累積当籤金をユーザーに支払う当籤金として確定し（ＳＴ−２３２）、全体累積当籤金額から該当回の当籤金を減算処理する（ＳＴ−２３３）。
【０３３１】
そして、オンライン広告管理サーバーＯＡＭＳは競売時間が終了するか否か判断し（ＳＴ−２３４）、残余競売時間が存在する場合には再びユーザー端末機Ａ１〜Ａｎから広告データクリック信号を受信して演算し（ＳＴ−２３５）、それによる全体累積金額を変更しながら（ＳＴ−２３６）ＳＴ−２２８過程に復帰する。
【０３３２】
もし、競売時間が終了した場合には、オンライン広告管理サーバーＯＡＭＳは各回の当籤者に当籤金を支払う（ＳＴ−２３７）。
【０３３３】
一方、図３２は、本発明のシステムを通じて非会員も競売に入札できるようにし、非会員の会員加入を誘導するようにする過程を示すフローチャートである。
【０３３４】
まず、オンライン広告管理サーバーＯＡＭＳは、広告主端末機Ｂ１〜Ｂｎから広告データを受信して登録させ（ＳＴ−２４０）、この広告データが掲載されるホームページに競売入札時間及び入札条件を公表する（ＳＴ−２４１）。
【０３３５】
この時、入札条件とは、所定以上の広告データをクリックしたユーザーが競売に参加できるようにする内容、及び、同一広告データを２回以上クリックした場合には１回クリックとして累積金額を演算するという内容である。
【０３３６】
続いて、オンライン広告管理サーバーＯＡＭＳはユーザー端末機Ａ１〜Ａｎから転送された広告データ情報及びそのクリック情報を受信すると（ＳＴ−２４２）、該当広告クリック情報に対する同一ユーザーのアカウントが存在するか否か判断する（ＳＴ−２４３）。ユーザーのアカウントには、ＩＤやクッキー情報、ＩＰ、ＭＡＣアドレスのように該当ユーザーを認識できる全ての情報が含まれる。
【０３３７】
もし、オンライン広告管理サーバーＯＡＭＳの判断結果、同一広告データに対して同一ユーザーのクリックがあらかじめ存在すると、オンライン広告管理サーバーＯＡＭＳは、該当ユーザーのクリックによる積立金を累積処理しない（ＳＴ−２４４）。
【０３３８】
一方、オンライン広告管理サーバーＯＡＭＳの判断結果、同一広告データに対して同一ユーザーのクリック情報が存在しないと、各広告別クリック数を演算処理し、該当広告のクリック別積立金額を統合累積処理し（ＳＴ−２４５）、この広告別クリック情報を格納する（ＳＴ−２４６）。
【０３３９】
この状態で、オンライン広告管理サーバーＯＡＭＳは競売入札時間になるか否か判断し（ＳＴ−２４７）、競売入札時間になると、オンライン広告管理サーバーＯＡＭＳは該当全体競売累積金額を一定時間単位（例えば、秒または分）に分割し、各時間単位の経過によって累積金額増加額を表示する（ＳＴ−２４８）。
【０３４０】
累積金額増加分が表示される途中に、オンライン広告管理サーバーＯＡＭＳはあるユーザー端末機Ａ１〜Ａｎから入札信号を受信すると（ＳＴ−２４９）、該当ユーザーのアカウント情報を認証して該当ユーザーの同日付の広告クリック数が既設定クリック数よりも大きいか等しいか判断する（ＳＴ−２５０）。
【０３４１】
もし、オンライン広告管理サーバーＯＡＭＳの判断結果、同日付の該当ユーザーの広告クリック数が既設定クリック数よりも小さい場合には、該当ユーザーの当籤を取消する（ＳＴ−２５１）。
【０３４２】
一方、オンライン広告管理サーバーＯＡＭＳの判断結果、同日付の該当ユーザーの広告クリック数が既設定クリック数より大きいか等しいと、オンライン広告管理サーバーＯＡＭＳは該当時点の累積当籤金をユーザーに支払う当籤金として確定し（ＳＴ−２５２）、全体累積当籤金額から該当回の当籤金を減算処理する（ＳＴ−２５３）。
【０３４３】
以降、オンライン広告管理サーバーＯＡＭＳは競売時間が終了するか否か判断し（ＳＴ−２５４）、残余競売時間が存在する場合には、再びユーザー端末機Ａ１〜Ａｎから広告データクリック信号を受信して演算し（ＳＴ−２５５）、それによる全体累積金額を変更しながら（ＳＴ−２５６）、ＳＴ−２４８過程に復帰する。
【０３４４】
もし、競売時間が終了した場合には、オンライン広告管理サーバーＯＡＭＳはユーザー端末機Ａ１〜Ａｎから受信した会員アカウントを通じて該当予備当籤者が会員なのか否かを判断し（ＳＴ−２５７）、会員でない場合には待ち時間をカウントする（ＳＴ−２５８）。一定の設定時間が経過した時点に（ＳＴ−２５９）、オンライン広告管理サーバーＯＡＭＳは該当予備当籤者が会員加入したか否か判断し（ＳＴ−２６０）、会員に加入しなかった場合には該当ユーザーの当籤を取消処理し（ＳＴ−２６１）、該当回の当籤金額を全体累積金額に合算処理する（ＳＴ−２６２）。
【０３４５】
一方、一定時間内に該当予備当籤者が会員加入したか、既存会員である場合には、オンライン広告管理サーバーＯＡＭＳは該当予備当籤者を該当回の当籤者として確定して当籤金を支払う（ＳＴ−２６３）。
【０３４６】
図３３及び図３４は、本発明の第１０実施例によるオンライン広告システムの当籤者選定過程を示すフローチャートである。
【０３４７】
まず、オンライン広告管理サーバーＯＡＭＳは、競売時間になって新規回の競売が開始されたか否か判断する（ＳＴ−２７０）。新規回の競売が開始された場合には、オンライン広告管理サーバーＯＡＭＳはユーザー端末機Ａ１〜Ａｎから入札信号及びユーザーアカウント情報を受信する（ＳＴ−２７１）。
【０３４８】
次いで、オンライン広告管理サーバーＯＡＭＳは、入札順序別入札者情報を累積格納し（ＳＴ−２７２）、最初に入札信号を発生した入札者情報を抽出し（ＳＴ−２７３）、当籤者として確定処理する（ＳＴ−２７４）。
【０３４９】
この状態で、オンライン広告管理サーバーＯＡＭＳは、該当回を終了し、該当回の累積金額を当籤金として支払いながら該当回の累積金額情報をリセットさせる（ＳＴ−２７５）。
【０３５０】
そして、オンライン広告管理サーバーＯＡＭＳは競売時間が終了したか否か判断し（ＳＴ−２７６）、残余競売時間存在時にはＳＴ−２７０過程に復帰する。
【０３５１】
図３４は、図３３とは異なる当籤者選定過程を示す図である。まず、オンライン広告管理サーバーＯＡＭＳは競売時間になって新規回の競売が開始されたか否か判断する（ＳＴ−２８０）。新規回の競売が開始されると、オンライン広告管理サーバーＯＡＭＳはユーザー端末機Ａ１〜Ａｎから入札信号及びユーザーアカウント情報を受信する（ＳＴ−２８１）。
【０３５２】
そして、オンライン広告管理サーバーＯＡＭＳは入札順序別入札者情報及び該当入札情報別累積金額情報を連係付けて格納する（ＳＴ−２８２）。
【０３５３】
この状態で、オンライン広告管理サーバーＯＡＭＳは該当回の入札受付締切時間になったか否か判断し（ＳＴ−２８３）、締切時間になった場合には累積された該当回の入札情報のうち任意順番の入札番号を当籤者として指定する（ＳＴ−２８４）。
【０３５４】
この状態で、オンライン広告管理サーバーＯＡＭＳは該当回を終了し、該当回の累積金額を当籤金として支払いながら、該当回の累積金額情報をリセットさせる（ＳＴ−２８５及びＳＴ−２８６）。
【０３５５】
続いて、オンライン広告管理サーバーＯＡＭＳは競売時間が終了したか否か判断し（ＳＴ−２８７）、残余競売時間存在時に第ＳＴ−２８０過程に復帰する。
【０３５６】
以下、本発明の第１１実施例によるオンライン広告システムについて、図面を参照しつつ詳細に説明する。
【０３５７】
図３５は、本発明の第１１実施例によるオンライン広告システムを通じて具現されるポータルサイトのホームページ画面を示す図である。
【０３５８】
同図を参照すると、本発明の第１１実施例によるオンライン広告システムは、特定ポータルやショッピングモールの全体ホームページに掲載された広告データに対してクリック当たり当籤累積対象金額を分割し、統合累積当籤処理を行いながら、これと同時に各広告データ（または広告業者ホームページ）別の個別累積当籤処理を行うようにすることによって、個別広告データまたは広告業者ホームページへのユーザー誘導を活性化させようにしたシステムである。
【０３５９】
すなわち、本発明の第１１実施例によるオンライン広告システムは、ユーザーが広告データをクリックすることによって累積して積み立てた積立金を分割し、一部分割積立金を用いて該当広告データが掲載された業者のホームページで全体統合競売を進行すると同時に、残りの一部分割された累積積立金を用いて各広告データを提供した業者別個別競売を進行するように複合的な広告競売サービスを提供する。
【０３６０】
競売進行時間は、統合競売サービスが終了した以降に業者別個別広告競売が進行されるようにする。
【０３６１】
このような第１実施例のような広告競売システムを進行して終了した後に、この広告データを掲載した業者のホームページで特定広告データをユーザーが選択すると、ユーザー端末機Ａ１〜Ａｎのウェブブラウザには図３５のようなサブページ１７０の画面情報が出力される。
【０３６２】
このサブページ１７０には、該当広告データの内容を出力する広告出力窓１７２が備えられており、この広告出力窓１７２の上端には該当広告業者別競売入札時間情報１７８及び該当サイト別積立金額情報１８０がそれぞれ出力され、広告出力窓１７２の下端には、競売進行時に一定時間単位別に時間経過に比例して増加する当籤金情報１７４と、競売入札ボタン１７６が備えられている。
【０３６３】
したがって、第１実施例と同様に、ユーザーは、その端末機Ａ１〜Ａｎを通じてウェブブラウザに出力される個別業者のサブページ１７０に掲載された競売当籤金情報１７４を確認し、特定時点に競売入札ボタン１７６をクリックして当籤金を受ける。
【０３６４】
一方、本発明の第１１実施例によるオンライン広告システムは、ユーザーがより便利に個別広告業者のサブページを出力し、業者別競売に参加するために特定広告データを関心品目として登録させることができ、その登録情報はオンライン広告管理サーバーＯＡＭＳでユーザー別に格納管理するようにする。
【０３６５】
上記した構成の本発明の第１１実施例によるオンライン広告システムの機能及び作用を、添付の図面を参照しつつ詳細に説明する。
【０３６６】
図３６及び図３７は、本発明の第１１実施例によるオンライン広告システムの信号流れを示すフローチャートである。
【０３６７】
まず、オンライン広告管理サーバーＯＡＭＳは、広告主端末機Ｂ１〜Ｂｎから広告データを受信して登録させ（ＳＴ−２９０）、この広告データが掲載されるホームページに競売入札時間及び入札条件を公表する（ＳＴ−２９１）。
【０３６８】
入札条件は、業者別広告競売参加時に該当業者の広告データをクリックしたユーザーに限って当籤処理がなされるという内容である。
【０３６９】
次いで、オンライン広告管理サーバーＯＡＭＳは、ユーザー端末機Ａ１〜Ａｎから転送された広告データ情報及びそのクリック情報を受信すると（ＳＴ−２９２）、該当広告クリック情報に対する同一ユーザーのアカウントが存在するか否か判断する（ＳＴ−２９３）。ユーザーのアカウントには、ＩＤやクッキー情報、ＩＰ、ＭＡＣアドレスのように該当ユーザーを認識できる全ての情報が含まれる。
【０３７０】
もし、オンライン広告管理サーバーＯＡＭＳの判断結果、同一広告データに対して同一ユーザーのクリックがあらかじめ存在した場合には、オンライン広告管理サーバーＯＡＭＳは、該当ユーザーのクリックによる積立金を累積処理しない（ＳＴ−２９４）。
【０３７１】
一方、オンライン広告管理サーバーＯＡＭＳの判断結果、同一広告データに対して同一ユーザーのクリック情報が存在しないと、各広告別クリック数を演算処理し、該当広告のクリック別積立金額を全体広告競売分と業者別広告競売分にそれぞれ分割して統合累積処理し（ＳＴ−２９５）、この広告別クリック情報を格納する（ＳＴ−２９６）。
【０３７２】
この状態で、オンライン広告管理サーバーＯＡＭＳは、全体広告競売入札時間になったか否か判断し（ＳＴ−２９７）、全体広告競売入札時間になった場合には、オンライン広告管理サーバーＯＡＭＳは該当全体広告競売累積金額を一定時間単位（例えば、秒または分）に分割し、各時間単位の経過によって累積金額増加額を表示する（ＳＴ−２９８）。すなわち、全体広告競売累積金額を全体広告競売進行時間で分けて時間単位別当籤金増加額を演算表示する（ＳＴ−２９９及びＳＴ−３００）。
【０３７３】
累積金額増加分が表示される途中に、オンライン広告管理サーバーＯＡＭＳはあるユーザー端末機Ａ１〜Ａｎから入札信号を受信すると（ＳＴ−３０１）、該当ユーザーのアカウント情報を認証して該当ユーザーを当籤者として確定し、当籤金を支払う（ＳＴ−３０２）。
【０３７４】
次いで、オンライン広告管理サーバーＯＡＭＳは、全体広告競売時間が終了したか否か判断し（ＳＴ−３０３）、残余競売時間が存在する場合には、再びユーザー端末機Ａ１〜Ａｎから広告データクリック信号を受信して演算し（ＳＴ−３０４）、それによる全体累積金額を変更しながら（ＳＴ−３０５）、ＳＴ−２９８過程に復帰する。
【０３７５】
もし、全体広告競売時間が終了した場合には、オンライン広告管理サーバーＯＡＭＳは各広告データ別に累積された累積金額情報を抽出する（ＳＴ−３０６）。
【０３７６】
そして、オンライン広告管理サーバーＯＡＭＳは、該当広告別累積金額を一定時間単位（例えば、秒または分）に分割し、各時間単位の経過によって累積金額増加額を表示する。すなわち、各広告別に累積された累積金額を広告競売進行時間で分けて時間単位別に比例して当籤金増加額を演算表示する（ＳＴ−３０７及びＳＴ−３０８）。
【０３７７】
累積金額増加分が表示される途中に、オンライン広告管理サーバーＯＡＭＳはあるユーザー端末機Ａ１〜Ａｎから入札信号を受信すると（ＳＴ−３１０）、該当ユーザーのアカウント情報を通じて該当ユーザーが該当広告データを該当日時にクリックしたことがあるか否か判断する（ＳＴ−３１１）。
【０３７８】
すなわち、各広告別個別広告競売の当籤者となるためには該当日時に該当広告情報を閲覧しねばならない。これを単に当籤者に限る条件とせず、応札条件として設定することも十分に可能である。
【０３７９】
もし、オンライン広告管理サーバーＯＡＭＳの判断結果、該当ユーザーが該当広告データを該当日時にクリックしたことがない場合には、オンライン広告管理サーバーＯＡＭＳは、一定時間カウントを行い、設定時間に該当広告をクリックしたか否か判断し（ＳＴ−３１２及びＳＴ−３１３）、広告をクリックした場合には当籤金を確定し、該当当籤金分だけを累積当籤金額から減算する。広告をクリックしていない場合には該当当籤者を取消処理する（ＳＴ−３１４）。
【０３８０】
また、オンライン広告管理サーバーＯＡＭＳの判断結果、該当日時に該当広告データを該当ユーザーがクリックした場合は、該当時点の当籤金額を確定し（ＳＴ−３１５）、該当当籤金分だけを累積当籤金額から減算処理する（ＳＴ−３１６）。
【０３８１】
一方、オンライン広告管理サーバーＯＡＭＳは、該当個別広告競売時間が終了したか否か判断し（ＳＴ−３１７）、残余競売時間が存在する場合には再びユーザー端末機Ａ１〜Ａｎから広告データクリック信号を受信して演算し、それによる全体累積金額を変更しながらＳＴ−３０９過程に復帰する。
【０３８２】
もし、個別広告競売時間が終了した場合には、オンライン広告管理サーバーＯＡＭＳは各回の当籤者に当籤金を支払う（ＳＴ−３１８）。
【０３８３】
したがって、本実施例によって、特定ポータルサイトのホームページを通じてユーザーが広告データをクリックした積立金を統合累積し、一部分割して各個別広告データ別に差別的に累積させることによって全体広告競売を進行し、全体広告競売が終了した以降に各広告データ別（各広告サイト別）に個別広告競売を再び進行可能になるので、複数の競売参加機会が与えられようになり、広告主の立場では実質的に広告サイトまたは広告情報を出力するページにユーザーを誘導可能になる。
【０３８４】
この時、広告サイト別に個別広告競売を進行する主体を、オンライン広告管理サーバーＯＡＭＳではなく広告主端末機Ｂ１〜Ｂｎとしても良い。
【０３８５】
以下、本発明の第１２実施例によるオンライン広告システムについて、図面を参照しつつ詳細に説明する。
【０３８６】
図３８は、本発明の第１２実施例によるオンライン広告システムを通じて具現されるポータルサイトのホームページ画面を示す図である。
【０３８７】
同図を参照すると、本発明の第１２実施例によるオンライン広告システムは、ユーザーの広告クリックによって累積金額の当籤競売に参加できる参加時間を付与し、累積金額の当籤競売サービスに参加できるユーザーの参加時間を広告閲覧数字や広告閲覧時間で統制できるようにすることによって、より多くの広告閲覧を誘導するようにしたシステムである。
【０３８８】
すなわち、本発明の第１２実施例によるオンライン広告システムは、広告データを他のユーザーよりも多く閲覧したユーザーに相対的に多くの利益を提供すべく、広告競売に参加できる入札時間を各ユーザー別に閲覧した広告個数で制限するようにしたシステムである。
【０３８９】
したがって、本発明の第１２実施例によるオンライン広告システムを通じて広告データを掲載した業者のホームページで特定広告データをユーザーが選択すると、ユーザー端末機Ａ１〜Ａｎのウェブブラウザには図３８のようなサブページ１８２の画面情報が出力される。
【０３９０】
このサブページ１８２には、該当広告データの内容を出力する広告出力窓１７２が備えられており、この広告出力窓１７２の上端には、該当広告業者別競売入札時間情報１７８及び該当サイト別積立金額情報１８４がそれぞれ出力され、広告出力窓１７２の下段には、競売進行時に各ユーザー別競売参加可能時間情報１８６が表示される。
【０３９１】
上記した構成の本発明の第１２実施例によるオンライン広告システムの機能及び作用を、添付の図面を参照しつつ詳細に説明する。
【０３９２】
図３９は、本発明の第１２実施例によるオンライン広告システムの信号流れを示すフローチャートである。
【０３９３】
まず、オンライン広告管理サーバーＯＡＭＳは、広告主端末機Ｂ１〜Ｂｎから広告データを受信して登録させ（ＳＴ−３２０）、この広告データが掲載されるホームページに競売入札時間及び入札条件を公表する（ＳＴ−３２１）。
【０３９４】
ここで、入札条件は、広告競売参加時にユーザー別競売参加時間が制限されているという内容である。
【０３９５】
そして、オンライン広告管理サーバーＯＡＭＳは、ユーザー端末機Ａ１〜Ａｎから転送された広告データ情報及びそのクリック情報を受信すると（ＳＴ−３２２）、該当広告クリック情報に対する同一ユーザーのアカウントが存在するか否か判断する（ＳＴ−３２３）。ユーザーのアカウントには、ＩＤやクッキー情報、ＩＰ、ＭＡＣアドレスのように該当ユーザーを認識できる全ての情報が含まれる。
【０３９６】
もし、オンライン広告管理サーバーＯＡＭＳの判断結果、同一広告データに対して同一ユーザーのクリックがあらかじめ存在した場合には、オンライン広告管理サーバーＯＡＭＳは、該当ユーザーのクリックによる積立金を累積処理しない（ＳＴ−３２４）。
【０３９７】
一方、オンライン広告管理サーバーＯＡＭＳの判断結果、同一広告データに対して同一ユーザーのクリック情報が存在しないと、各広告別積立金を全体累積積立金額に統合累積処理し、該当広告別競売時間情報を抽出して個人別に競売参加時間を与える（ＳＴ−３２５〜ＳＴ−３２７）。
【０３９８】
この時、オンライン広告管理サーバーＯＡＭＳが提供する競売参加時間は、各広告別に異なるが、広告主の選択により差別的に競売参加時間を提供しても良く、広告種類別、すなわちテキスト広告は３秒、画像広告は５秒、動映像広告は１０秒等として提供しても良い。
【０３９９】
したがって、オンライン広告管理サーバーＯＡＭＳは、該当広告データ別競売参加時間情報を該当広告データを閲覧したユーザー別に格納する。
【０４００】
この状態で、オンライン広告管理サーバーＯＡＭＳは広告競売入札時間になったか否か判断し（ＳＴ−３２８）、広告競売入札時間になった場合には、オンライン広告管理サーバーＯＡＭＳは、該当統合累積された広告競売累積金額を一定時間単位（例えば、秒または分）で分割し、各時間単位の経過によって累積金額増加額を表示する（ＳＴ−３２９及びＳＴ−３３０）。すなわち、全体広告競売累積金額を広告競売進行時間で分けて時間単位別当籤金増加額を演算表示する。
【０４０１】
累積金額増加分が表示される途中に、オンライン広告管理サーバーＯＡＭＳはあるユーザー端末機Ａ１〜Ａｎから入札信号を受信すると（ＳＴ−３３１）、該当ユーザーのアカウント情報を認証して該当ユーザーに提供された競売参加時間以内に受信された入札信号であるか否か判断する（ＳＴ−３３２）。
【０４０２】
もし、該当ユーザーに提供された競売参加時間が超過した状態でユーザー端末機Ａ１〜Ａｎから転送された入札信号をオンライン広告管理サーバーＯＡＭＳが受信した場合には、オンライン広告管理サーバーＯＡＭＳは該当入札者の当籤を取消処理する（ＳＴ−３３３）。
【０４０３】
一方、該当ユーザーに提供された競売参加時間内にユーザー端末機Ａ１〜Ａｎから転送された入札信号をオンライン広告管理サーバーＯＡＭＳが受信した場合には、オンライン広告管理サーバーＯＡＭＳは該当入札者を当籤者として確定し、当籤金を支払う（ＳＴ−３３４）。
【０４０４】
そして、オンライン広告管理サーバーＯＡＭＳは広告競売時間が終了したか否か判断し（ＳＴ−３３５）、残余競売時間が存在する場合には再びユーザー端末機Ａ１〜Ａｎから広告データクリック信号を受信して演算し（ＳＴ−３３７）、それによる全体累積金額を変更しながら（ＳＴ−３３８）、ＳＴ−３２９過程に復帰する。
【０４０５】
以下、本発明の第１３実施例によるオンライン広告システムについて図面を参照しつつ詳細に説明する。
【０４０６】
図４０は、本発明の第１３実施例によるオンライン広告システムの構成を概略的に示す模式図である。
【０４０７】
同図を参照すると、本発明の第１３実施例によるオンライン広告システムは、累積金額の当籤競売サービスに参加するための広告データをユーザーの携帯電話認証により無線インターネットを通じた該当ユーザーの携帯電話に出力させることによって、累積金額の当籤競売サービスに参加できる競売参加時間を自由に積立できるようにしたシステムである。
【０４０８】
すなわち、本発明の第１３実施例によるオンライン広告システムは、ユーザーが広告競売に参加するには広告データを閲覧しなければならないが、その広告データをユーザーの携帯電話を通じて容易に閲覧し、その閲覧情報をサーバーが管理できるようにしたシステムである。
【０４０９】
このため、本発明の第１３実施例によるオンライン広告システムには、広告データをサーバーに登録させ、クリック当たりの広告費用を振り替え、サーバーに登録された会員情報を受け取るための広告主端末機Ｂ１〜Ｂｎが備えられている。
【０４１０】
本発明の第１３実施例によるオンライン広告システムには、サーバーに登録された広告データを閲覧し、既設定された広告当籤金競売入札時間帯に時間経過に比例して増加する累積当籤金情報を確認し、特定当籤金に対する入札信号を発生するために内部にモデムなどの通信モジュールが備えられており、ウェブブラウザが備えられたユーザー端末機Ａ１〜Ａｎが備えられており、オンライン広告管理サーバーＯＡＭＳから認証信号を受信して無線インターネット自動コールバック設定要請信号を発生し、オンライン広告管理サーバーＯＡＭＳから広告データを受信して閲覧し、この閲覧情報をオンライン広告管理サーバーＯＡＭＳに自動転送するユーザー携帯電話Ｃ１〜Ｃｎが備えられている。
【０４１１】
本発明の第１３実施例によるオンライン広告システムには、広告主端末機Ｂ１〜Ｂｎから広告データを受信して登録し、ユーザー端末機Ａ１〜Ａｎ及びユーザー携帯電話Ｃ１〜Ｃｎから広告データ閲覧信号を受信して広告費用を精算し、その広告費用を累積して特定時間帯になると時間経過に比例して累積金額情報を累積して出力させ、特定累積金額に対する入札信号をユーザー端末機Ａ１〜Ａｎから受信して該当ユーザーを当籤者として選定し、当籤金を支払い、次回の当籤金累積を実行するようにしたオンライン広告管理サーバーＯＡＭＳが提供される。
【０４１２】
このオンライン広告管理サーバーＯＡＭＳの内部には、広告主端末機Ｂ１〜Ｂｎ及びユーザー端末機Ａ１〜Ａｎとのウェブ通信を行うウェブサーバーＷＢＳ及びユーザー携帯電話Ｃ１〜Ｃｎを通じた無線データ通信を行うＷＡＰサーバーＷＡＰＳが備えられている。
【０４１３】
一方、オンライン広告管理サーバーＯＡＭＳは、ユーザー端末機Ａ１〜Ａｎ及び携帯電話Ｃ１〜Ｃｎから特定累積金額に対する入札信号を受信すると、該当ユーザーが登録された広告データのうち一定個数以上をクリックしたユーザーなのか判断した後、当籤者として選定するようにあらかじめ設定されている。
また、オンライン広告管理サーバーＯＡＭＳは、ユーザー端末機Ａ１〜ＡｎのＩＰアドレスまたはＭＡＣアドレス、クッキー情報またはユーザー携帯電話Ｃ１〜Ｃｎから電話番号情報を受信して格納し、比較することによって、同一ユーザーが同じ広告データを多数回閲覧した場合、該当広告データを１回閲覧したと処理するようにあらかじめ設定されている。
【０４１４】
一方、本発明は、オンライン広告管理サーバーＯＡＭＳと連動し、オンライン広告管理サーバーＯＡＭＳから受け取った広告データをホームページに掲載した各種業者サーバー（図示せず）が備えられるが、これら広告データ掲載サーバーは一般ポータルなどのサーバーであるからその詳細説明は省略する。
【０４１５】
上記した構成の本発明の第１３実施例によるオンライン広告システムの機能及び作用を、添付の図面を参照しつつ詳細に説明する。
【０４１６】
図４１は、本発明の第１３実施例によるオンライン広告システムの信号流れを示すフローチャートである。
【０４１７】
まず、図４１では、本発明の第１３実施例によるオンライン広告システムの信号流れのうち、ユーザー携帯電話Ｃ１〜Ｃｎを通じて行われる信号流れを説明する。
【０４１８】
オンライン広告管理サーバーＯＡＭＳは、広告主端末機Ｂ１〜Ｂｎから広告データを受信して登録させた状態で、ユーザー携帯電話Ｃ１〜Ｃｎから広告受信に対する携帯電話番号登録要請信号を受信して該当携帯電話番号を登録し認証処理する（ＳＴ−３８０）。
【０４１９】
この状態で、オンライン広告管理サーバーＯＡＭＳは、ユーザー携帯電話Ｃ１〜ＣｎにコールバックＵＲＬ情報を転送する（ＳＴ−３８１）。すると、ユーザー携帯電話Ｃ１〜Ｃｎは該当コールバックＵＲＬを受信して画面出力させ、ユーザーが無線インターネットに接続して該当コールバックＵＲＬを選択すると（ＳＴ−３８２）、該当ＵＲＬのアドレスであるオンライン広告管理サーバーＯＡＭＳに接続され、該当ＵＲＬにあらかじめ設定された広告データをオンライン広告管理サーバーＯＡＭＳが抽出してユーザー携帯電話Ｃ１〜Ｃｎに転送し、画面出力させる（ＳＴ−３８３）。
【０４２０】
この時、コールバックＵＲＬは、無線インターネットを通じて特定サーバーに接続するためのサーバーのアドレスと、特定ファイル（広告データファイル）情報が共に登録されている。
【０４２１】
したがって、オンライン広告管理サーバーＯＡＭＳは、ユーザー携帯電話Ｃ１〜Ｃｎに転送される広告データの閲覧に対する代価として提供される競売参加時間情報及びユーザー情報を登録し、各広告別積立金を全体累積積立金額に統合累積処理する（ＳＴ−３８４〜ＳＴ−３８６）。
【０４２２】
その状態で、オンライン広告管理サーバーＯＡＭＳは広告競売入札時間になったか否か判断し（ＳＴ−３８７）、広告競売入札時間になった場合にはオンライン広告管理サーバーＯＡＭＳは、該当統合累積された広告競売累積金額を一定時間単位（例えば、秒または分）で分割し（ＳＴ−３８８）、各時間単位の経過によって累積金額増加額を表示する（ＳＴ−３８９）。すなわち、広告競売累積金額を広告競売進行時間で分けて時間単位別当籤金増加額を演算表示する。
【０４２３】
累積金額増加分が表示される途中に、オンライン広告管理サーバーＯＡＭＳはあるユーザー端末機Ａ１〜Ａｎまたはユーザー携帯電話Ｃ１〜Ｃｎから入札信号を受信すると（ＳＴ−３９０）、該当ユーザーのアカウント情報を認証し、該当ユーザーに提供された競売参加時間以内に受信された入札信号か否かを判断する（ＳＴ−３９１）。
【０４２４】
もし、該当ユーザーに提供された競売参加時間が超過した状態でユーザー端末機Ａ１〜Ａｎまたはユーザー携帯電話Ｃ１〜Ｃｎから転送された入札信号をオンライン広告管理サーバーＯＡＭＳが受信した場合には、オンライン広告管理サーバーＯＡＭＳは該当入札者の当籤を取消処理する（ＳＴ−３９２）。
【０４２５】
一方、該当ユーザーに提供された競売参加時間内にユーザー端末機Ａ１〜Ａｎから転送された入札信号をオンライン広告管理サーバーＯＡＭＳが受信した場合には、オンライン広告管理サーバーＯＡＭＳは、該当入札者を当籤者として確定して当籤金を支払処理する（ＳＴ−３９３）。
【０４２６】
そして、オンライン広告管理サーバーＯＡＭＳは広告競売時間が終了したか否か判断し（ＳＴ−３９５）、残余競売時間が存在する場合には再びユーザー端末機Ａ１〜Ａｎから広告データクリック信号を受信して演算し（ＳＴ−３９６）、それによる全体累積金額を変更しながら（ＳＴ−３９７）、ＳＴ−３８８過程に復帰する。
【０４２７】
以下、本発明の第１４実施例によるオンライン広告システムについて、図面を参照しつつ詳細に説明する。
【０４２８】
図４２及び図４３は、本発明の第１４実施例によるオンライン広告システムを通じて具現されるポータルサイトのホームページ画面を示す図である。
【０４２９】
同図を参照すると、本発明の第１４実施例によるオンライン広告システムは、検索語入力窓に入力した特定検索語により検索語窓に出力されうるようにあらかじめ連動された多数の類似検索語のうちの特定誘導検索語に累積金額当籤競売サービスに参加できる時間積立額情報を表示し、時間積立額情報が表示された該当誘導検索語を選択／入力する場合、該当ユーザーに所定の競売参加時間を提供しながら検索結果を出力させることによって特定誘導検索語を入力するように促し、これによって検索語結果として特定広告を出力させるようにしたシステムである。
【０４３０】
すなわち、本発明の第１４実施例によるオンライン広告システムは、他の実施例の広告競売サービスと類似なサービスを提供するが、直接広告データを閲覧したユーザーに競売参加利益を提供するのではなく、検索ポータルを通じた検索語の入力時にユーザーが入力した検索語と共に検索窓に出力される類似検索語のうちの一部誘導検索語に競売参加時間提供情報を表示し、その誘導検索語を入力して検索を実行した場合、競売参加時間を提供するようにしたシステムである。
【０４３１】
要するに、他の実施例と同様に、広告競売に参加するためにはユーザーが広告データを閲覧して広告競売に参加できる時間を受けるが、本実施例では検索語の検索時に誘導検索語の選択及び検索実行を通じて広告競売参加時間を受けることができる。
【０４３２】
この時、検索語窓に出力される類似検索語のうち、特定誘導検索語には広告競売参加時間を提供するための検索語であることを表示する別の記号または文字が表示されると好ましい。
【０４３３】
したがって、本発明の第１４実施例によるオンライン広告システムの支援下に構成される検索ポータルホームページ１９０には、検索窓１９２が備えられており、この検索窓１９２にはユーザーが入力する検索語１９４が入力される。
【０４３４】
ユーザーが検索窓１９２に検索語を入力すると、通常、該当検索窓１９２には検索ポータルに登録されて支援される類似検索語１９６が多数個出力される。本発明では、検索窓１９２に共に出力される類似検索語のうち特定検索語をクリックするようにする誘導検索語１９８を含め、競売時間の積立が可能であることをユーザーに知らせる表示または情報を掲載させる。
【０４３５】
この時、誘導検索語１９８は、ユーザーが入力した検索語１９４と類似な検索語であっても良く、全く異なる検索語であっても良い。
【０４３６】
もし、ユーザーが誘導検索語１９８を選択して検索窓１９２に入力したのち検索ボタンをクリックした場合には、図４３に示すような各種検索結果情報２００が画面出力されるが、この検索結果情報２００は、スポンサリンク及びパワーリンクなどのような所定の広告金額を検索ポータルに支払う広告業者情報である。
【０４３７】
したがって、本発明は、このような検索結果情報２００に掲載された広告情報の広告主から検索結果情報の露出を活性化にするようにする所定の費用を受け、これを財源として広告競売の当籤金を支払う。
【０４３８】
上記した構成の本発明の第１４実施例によるオンライン広告システムの機能及び作用を、添付の図面を参照しつつ詳細に説明する。
【０４３９】
図４４は、本発明の第１４実施例によるオンライン広告システムの信号流れを示すフローチャートである。
【０４４０】
まず、オンライン広告管理サーバーＯＡＭＳは、広告主端末機Ｂ１〜Ｂｎから特定検索語に対する誘導検索費用に対する登録申請及び特定検索ポータル情報を受信した状態で、該当検索ポータルサーバーに誘導検索語と競売時間表示情報を連係登録させる（ＳＴ−４００）。
【０４４１】
この状態で、検索ポータルサーバーは、特定検索語が検索窓に入力されるか否か判断し（ＳＴ−４０１）、該当検索語と関連してＤＢにあらかじめ構築された誘導検索語情報を抽出し（ＳＴ−４０２）、検索窓に出力させる（ＳＴ−４０３）。
【０４４２】
その後、検索ポータルサーバーは、ユーザー端末機Ａ１〜Ａｎから競売時間積立が可能な誘導検索語を選択／入力した信号が受信されるか否か判断し（ＳＴ−４０４）、競売時間積立が可能な誘導検索語を選択／入力した信号が受信される場合には、該当検索結果データをユーザー端末機Ａ１〜Ａｎに転送する（ＳＴ−４０５）。
【０４４３】
そして、検索ポータルサーバーはオンライン広告管理サーバーＯＡＭＳに該当ユーザー別広告競売参加時間積立情報を転送し、オンライン広告管理サーバーＯＡＭＳは該当ユーザー別広告競売参加時間積立情報を更新処理し（ＳＴ−４０５）、各広告別積立金を全体累積積立金額に統合累積処理する（ＳＴ−４０７）。
【０４４４】
この状態で、オンライン広告管理サーバーＯＡＭＳは、広告競売入札時間になったか否か判断し（ＳＴ−４０８）、広告競売入札時間になった場合には、オンライン広告管理サーバーＯＡＭＳは、該当統合累積された広告競売累積金額を一定時間単位（例えば、秒または分）で分割し（ＳＴ−４０９）、各時間単位の経過によって累積金額増加額を表示する（ＳＴ−４１０）。すなわち、広告競売累積金額を広告競売進行時間で分けて時間単位別当籤金増加額を演算表示する。
【０４４５】
累積金額増加分が表示される途中に、オンライン広告管理サーバーＯＡＭＳは、あるユーザー端末機Ａ１〜Ａｎから入札信号を受信すると（ＳＴ−４１１）、該当ユーザーのアカウント情報を認証し、該当ユーザーに提供された競売参加時間以内に受信された入札信号か否かを判断する（ＳＴ−４１２）。
【０４４６】
もし、該当ユーザーに提供された競売参加時間が超過した状態でユーザー端末機Ａ１〜Ａｎから転送された入札信号をオンライン広告管理サーバーＯＡＭＳが受信した場合には、オンライン広告管理サーバーＯＡＭＳは該当入札者の当籤を取消処理する（ＳＴ−４１３）。
【０４４７】
一方、該当ユーザーに提供された競売参加時間内にユーザー端末機Ａ１〜Ａｎから転送された入札信号をオンライン広告管理サーバーＯＡＭＳが受信した場合には、オンライン広告管理サーバーＯＡＭＳは該当入札者を当籤者として確定し、当籤金を支払う（ＳＴ−４１４）。
【０４４８】
続いて、オンライン広告管理サーバーＯＡＭＳは、広告競売時間が終了したか否か判断し（ＳＴ−４１５）、残余競売時間が存在する場合には、再びユーザー端末機Ａ１〜Ａｎから広告データクリック信号を受信して演算し（ＳＴ−４１７）、それによる全体累積金額を変更しながら（ＳＴ−４１８）ＳＴ−４０９過程に復帰する。
【０４４９】
一方、本発明の実施例によるオンライン広告システム及びその方法は、上記の実施例に限定されず、その技術的要旨を逸脱しない範囲内で様々な変更が可能である。
【産業上の利用可能性】
【０４５０】
上記の如く、本発明によるオンライン広告システム及びその方法は、多数の顧客には広告情報及び商品情報閲覧に対する代価として積立金が提供され、この提供された積立金は会員共同で累積されて会員統合積立型ポイントを実時間で形成し、ある顧客からの購買信号によって会員が共同で累積した会員統合積立型ポイントを該当顧客の商品購買代金に対する割引率として支払うので、広告閲覧を活性化させることができ、実時間でウェブサイトに掲示された会員統合積立型ポイントが変更されるので、消費の活性化を促すことができる。
【符号の説明】
【０４５１】
Ａ１〜Ａｎ    ユーザー端末機
Ｂ１〜Ｂｎ    広告主端末機
Ｃ１〜Ｃｎ    売主サーバー
ＷＢＳ    ウェブサーバー
ＯＡＭＳ    オンライン広告管理サーバー
【図１】
2009538466.tif 000003
【図２】
2009538466.tif 000004
【図３】
2009538466.tif 000005
【図４】
2009538466.tif 000006
【図５】
2009538466.tif 000007
【図６】
2009538466.tif 000008
【図７】
2009538466.tif 000009
【図８】
2009538466.tif 000010
【図９】
2009538466.tif 000011
【図１０】
2009538466.tif 000012
【図１１】
2009538466.tif 000013
【図１２】
2009538466.tif 000014
【図１３】
2009538466.tif 000015
【図１４】
2009538466.tif 000016
【図１５】
2009538466.tif 000017
【図１６】
2009538466.tif 000018
【図１７】
2009538466.tif 000019
【図１８】
2009538466.tif 000020
【図１９】
2009538466.tif 000021
【図２０】
2009538466.tif 000022
【図２１】
2009538466.tif 000023
【図２２】
2009538466.tif 000024
【図２３】
2009538466.tif 000025
【図２４】
2009538466.tif 000026
【図２５】
2009538466.tif 000027
【図２６】
2009538466.tif 000028
【図２７】
2009538466.tif 000029
【図２８】
2009538466.tif 000030
【図２９】
2009538466.tif 000031
【図３０】
2009538466.tif 000032
【図３１】
2009538466.tif 000033
【図３２】
2009538466.tif 000034
【図３３】
2009538466.tif 000035
【図３４】
2009538466.tif 000036
【図３５】
2009538466.tif 000037
【図３６】
2009538466.tif 000038
【図３７】
2009538466.tif 000039
【図３８】
2009538466.tif 000040
【図３９】
2009538466.tif 000041
【図４０】
2009538466.tif 000042
【図４１】
2009538466.tif 000043
【図４２】
2009538466.tif 000044
【図４３】
2009538466.tif 000045
【図４４】
2009538466.tif 000046
【国際調査報告】
2009538466.tif 000047
2009538466.tif 000048